(57)【要約】  ルーズリーフを取り外しできるバインダー。バインダーが３６０度に開いている際、そのバインダーには、バックカバーの下に平らに置けるフロントカバーがある。バインダーのリングは、ルーズリーフがカバーの上下に平坦に置けるよう、平らに折られたカバーの端を回転することが可能である。バインダーが３６０度に開いている際、カバーに部分的あるいは全体的に組み込まれ、フロント及びバックカバーに平行に回転する最小の断面を持つスパインを有するスケルトンがある。フロントカバー、ミドルカバー及びバックカバーは、リングの回転を妨げないように接続されている。スケルトンのリングを開閉する仕組み、ルーズリーフの足し増しを可能にする、使用中バインダーの許容量を見えやすく安定させることが示されている。
2007527814.tif 000002
【特許請求の範囲】
【請求項１】
複数のルーズリーフをリリーズできるように綴じれるバインダーの組合せ：
導管付きの導管ケース一つ；
上記の導管にはめ込まれた背骨一つ；
上記の背骨に付加された複数のバインダーリング；
上記の導管に関連する各上記のバインダーリング（回転可能）；
上記した全部のバインダーリングを一斉に、十分に開けることができる作動装置；
上記の背骨が上記の導管に回転できるように配置されている。この背骨は上記の導管ケースが回転できるためのピボットである。
上記の導管ケースはシートの形の材料で作られ、導管を限定する包みポーションと平面ポーションがある。シートの形の材料の厚さは、包みポーションが開く時には、上記した導管の直径より小さい。
後続の組合せでは、上記の導管に付加される上記の平面ポーション、このポーションには付加カバーポーションが付いている。
それによって、上記の付加カバーポーションと別に、部品が単独に製造され、コンポーネントの製造、パッキング、輸送と組合せに能率的になる。
【請求項２】
請求１のバインダーは、さらに開放的溝付きで、折り目に隣接した導管が付いている付加カバーポーションから構成し、上記の包みポーションは管状ポーションのような形をしている。上記の導管ケースは上記の付加カバーポーションに付加されるので、上記の開放的溝付きの導管が上記の管状ポーションが受けられる。それによって、上記した導管ケースは上記の付加カバーポーションとさらなる同一平面に位置するのである。
【請求項３】
複数のルーズリーフをリリーズできるように綴じれるバインダーの組合せ：
バックカバー、ミドルカバーとフロントカバーから構成しているカバー一つ；
複数のバインダーリング；
上記のミドルカバーが上記のバックカバーを上記のフロントカバーに繋げる；
管状ポーションと十分に平面なポーション付きの導管ケースを有しているバックカバー；
上記の導管ケースは上記のバックカバーに付加される。バックカバーは上記の管状ポーションから離れた反対側にある、上記した平面ポーションの縁に近い；
上記の導管ケースは導管を制限し、また複数の穴があり、これらの穴のそれぞれは少なくとも上記のバインダーリングを一つ受ける；
各バインダーリングは導管内にある軸の周りに設置された；
折り目から、上記のバックカバーはミドルカバーから分離された；
上記の導管ケースはフレキシブル材料から作られ、上記の折り目をまたがっている。
上記のカバーが閉じる場合、上記の管状ポーションはミドルカバーを通じて上げられた；
折り目が折り目に沿って、３６０°平らに開く場合、管状ポーションは折り目の周辺から垂れる；
それによって、管状ポーションは上記のカバーの平面構造と十分接近の平面になる。
【請求項４】
複数のルーズリーフをリリーズできるように綴じれるバインダーの組合せ：
導管付きの導管ケース一つ；
複数のバインダーリング。リングは開閉可能；
ユーザは表面に上記の導管ケースを付加するための、貼り付けたインスタント粘着性がある付着物一つ；
上記の導管ケースはシート状のフレキシブル材料で作られている；
包みポーションと十分に平面のポーションがある上記した導管ケース；
上記の包みポーションが上記の導管を制限している；
上記した貼り付けられたインスタント粘着性付着物が付いている上記の平面ポーション；
上記の導管にある軸の周りに十分回転できる各上記したバインダーリング；
上記の導管ケースが複数の穴を決定する。これらの穴のそれぞれは上記の導管と交差し、また少なくとも上記のバインダーリングにある近くのポーションの一つを受ける；
上記の導管ケースの縁の周りに、上記のバインダーリングの離れたポーションは回転できる；
それによって、上記のインスタント粘着性付着物は上記の導管ケースの早くて、簡単な装着が準備できる。導管ケースにはファイルフォルダのような上記したバインダーリングがあり、このバインダーリングはユーザが選定した付加カバーポーションが付いている。
【請求項５】
請求４のバインダー。そのうち、上記したフレキシブル材料が利用され、材料はカンバス、ペーパ、カード、カードボード、プラスチック、ビニールと繊維が入っているものから構成している。
【請求項６】
請求４のバインダーにはさらにポケットスパニングギャップから構成している；
それによって、上記の導管ケースがポケットが改良されたフォルダに付加される場合、このポケットスパニングギャップはポケットに対し、アクセスが増大され、簡単になる。
【請求項７】
リーズリーフ式バインダーカバーの組合せ：
十分平らなカバーポーション一つ；
導管ケース一つ；
即時ピボット用の止め具一つ；
上記の導管ケースは導管を限定するカバーポーションであり、また上記した平らなカバーポーションに接続されるものである；
この導管ケースはユーザが選択した互換性を持ったピボット（軸）バインディングを受けることができる。ピボットバインディングには、軸としてのポーションと複数の開けられるバインダーリングを持ち、そのため、上記のピボットバインディングにあるこの軸としてのポーションは導管に設置され、回転できるようになっている。この導管はピボットのように、その周りに上記の平らなカバーポーションが回転できる；
上記の導管ケースは複数の穴を決定している。各穴はこの導管と交差し、また少なくともピボットバインディングにある開けられるバインダーリングの一つを受ける；
この導管ケースは全体的にインスタントピボット用止め具と組み合わせられる；
このインスタントピボット用止め具はフレキシブル材料で作られた穴縁があり、穴は導管に開けるものである。ツールなしに、手で操作すれば、フレキシブル材料が十分出て、導管に十分な大きさの穴を開け、上記のピボットバインディングの軸ポーションを受ける。
バインダーリングの回転がある場合、ピボットバインディングの軸ポーションを安全に固定するため、インスタントピボット止め具には閉鎖機構を用意され、穴を狭くしたり、クローズしたりすることができる；
この導管はピボットバインディングにある軸ポーションがぴったり固定できるように寸法が作られている。よって、軸ポーションの平行移動はあらかじめ設定された範囲内のバインダーリングの回転を阻害しないようにする；
前記の平らなカバーポーションは導管より十分広いこと；
前記の穴の大きさは穴間の距離の最大の５倍以下にする；
そして、ルーズリーフを綴じるとき、ユーザは十分余裕のあるものが提供され、適切なピボットバインディングが選択できる。特に、リングサイズとオプション動作機構を考慮する場合。
【請求項８】
請求７のルーズリーフ式バインダーカバー。そのうち、上記したフレキシブル材料が利用され、材料はカンバス、ペーパ、カード、カードボード、プラスチック、ビニールと繊維が入っているものから構成している。
【請求項９】
（最近更新）請求７のルーズリーフ式バインダーカバーには、ユーザにより封じられたラップ−フラップ閉鎖器を持ったインスタントピボット用止め具があり、ラップ−フラップへイサキは包みポーションから構成し、包みポーションはシート状のフレキシブル材料で作られている。包みポーションのフリーエンドには準備閉鎖ツールがあり、この閉鎖ツールは導管を閉鎖するには、このフリーエンドを平らなカバーポーションに付加する。この準備閉鎖ツールは自動粘着型、水性粘着型、取外し可能な粘着型、貼り直し可能な粘着型、プラスチックジッパーロック、フックとループ、タブと穴、平らに延長できる２プロングファスナーとスナップファスナーといった類から選択される。
【請求項１０】
請求７のルーズリーフ式バインダーカバーにはインスタントピボット用止め具がある。この止め具は、スナップインホック閉鎖器から構成する。このスナップインホック閉鎖器は上記の穴に隣接した弾力的材料で作られている。また、前記したピボットバインディングの軸ポーションは一時的に拡張可能な穴を通過し、導管に固定される。また、穴は拡張前の状態に戻る。
【請求項１１】
ルーズリーフ式バインダーカバーの組合せ：
十分に平らなカバーポーション一つ；
導管ケース一つ；
ユーザにより封じられるラップ−フラップ閉鎖器一つ；
上記の導管ケースは導管を限定し、平らなカバーポーションと接続される；
上記の導管ケースはユーザが選択した互換性を持った骨組みを受けることができる。この骨組みには複数の開けられるバインダーリングに付加される背骨がある。よって、背骨は回転できるように導管に設定される。導管はピボットとして、平らなカバーポーションそれの周りに回転できるようになっている；
前記の導管ケースは複数の穴を決定している。各穴は導管と交差し、少なくとも開けられるバインダーリングの一つのポーションを受けることができる；
この導管ケースは全体的にユーザに封じられるインスタントラップ−フラップ閉鎖器と組み合わせられる；
このインスタントラップ−フラップ閉鎖器はシート状のフレキシブル材料で作られ、包みポーションと隣接した、十分に平らなフリーエンドから構成している；
準備閉鎖ツールで上記した導管ケースを安全に閉じるための平らなフリーエンド；
この準備閉鎖ツールは自動粘着型、水性粘着型、取外し可能な粘着型、貼り直し可能な粘着型、プラスチックジッパーロック、フックとループ、タブと穴、平らに延長できる２プロングファスナーとスナップファスナーといった類から選択される；
組合わせる前に、包みポーションは平らに開けられた場合、複数の穴のそれぞれには閉じた周囲の長さを持っている。よって、この導管は縦の連続的ポーションの１と２が複数の穴の反対側にあり、導管の縦寸法と平行する；
上記した穴が開けられた後の長さは少なくとも複数のバインダーリングの外寸法と同等である；
それによって、組合わせる時、二者択一の櫛型ポーションを用いるより、ユーザが選択する骨組みを利用した方が、各導管ケースの縦の連続的ポーションの１と２がもっと操りやすくなる。櫛型のポーションには連続的でない縁が数多くの穴に中断され、特にフレキシブル材料を操る場合である。
【請求項１２】
複数のルーズリーフをリリーズできるように綴じれるバインダーの組合せ：
導管があるカバー一つ；
背骨とある骨組み一つと複数のバインダーリング；
各バインダーリングは開けられるものであり、背骨につけられるものである；
上記した骨組みはモールドプラスチックである；
バインダーリングが閉じた場合、各バインダーリングは上記した背骨と回転するのが強制されている；
上記のカバーは複数の穴を決定している。各穴は導管と交差し、少なくとも開けられるバインダーリングの一つのポーションを受けることができる；
背骨は回転できるように導管に設定される。導管はピボットとして、カバーポーションそれの周りに回転できるようになり、よって、各バインダーリングは導管と連動して回転できるようになっている；
上記したカバーは包みポーションに沿って、平らなポーションがあるバックカバーから構成している。包みポーションはこの導管を限定している；
包みポーションはシート状の柔らかいフレキシブル材料で作られ、この材料は平らに開けられる場合、十分均一な厚さがある；
包みポーションはエンド１とエンド２があり、幅広くて、導管の縦の寸法と平行する；
包みポーションのこのエンド１とエンド２は導管に構造的な支えを与えるため、スムーズに、且つ目釘なしに、バックカバーの平らなポーションに付けられる。
【請求項１３】
請求１２のバインダー。それはカンバス、ペーパ、カード、カードボード、プラスチック、ビニールと繊維から成る類の柔らかいフレキシブル材料が含まれている。
【請求項１４】
請求１２のバインダーには、上記の穴に穴によって伸ばされた切り口がある；
骨組みとカバーを組合わせる時、これらの切り口は一時的に拡張され、バインダーリングがこれらの穴を通過できるようにフレキシブルである；
切り目がある穴の広げられた長さは少なくとも複数のバインダーリングの外寸法と同等である；
上記の骨組みと上記のカバーとを組合わせた後、上記の切り目が非常に狭くなる。それによって、切り目の反対側の縁が近くなり、ほぼ平滑で隙間がない平面が作り出される；
【請求項１５】
請求１２のバインダー。組合わせる前に、包みポーションは平らに開けられた場合、そのうち複数の穴のそれぞれには閉じた周囲の長さを持っている。よって、この導管は縦の連続的ポーションの１と２が複数の穴の反対側にあり、導管の縦寸法と平行する；
穴の開けられた長さは少なくとも複数のバインダーリングの外寸法と同等である；
それによって、組合わせる時、二者択一の櫛型ポーションを用いるより、ユーザが選択する骨組みを利用した方が、各導管ケースの縦の連続的ポーションの１と２がもっと操りやすくなる。櫛型のポーションには連続的でない縁が数多くの穴に中断され、特にフレキシブル材料を操る場合である。
【請求項１６】
請求１２のバインダーはさらにスライド式ジッパータブ、ジッパータブストップ２つから構成し、このジッパータブストップはスライド式ジッパータブを上記の背骨に固定するため、背骨の反対エンドにある。このジッパータブは二つの方向に上記の背骨をスライドすることができ、バインダーリングを開くか閉じることができる。ジッパー動作によって、スライドは早くて、連続にできる。
【請求項１７】
複数のルーズリーフをリリーズできるように綴じれるバインダーの組合せ：
リングでは、少なくとも一つ開閉できる；
直角ベース一つ；
リングの閉鎖を固定する閉鎖器一つ；
楕円形周囲の長さを持っているリング一つ；
このリングの直径はちょっと小さめである。小さめな直径が十分に垂直になる時、この直径は縦のリングの一を決めてる；
上記の縦のリング位置に設置される時、このリングには垂直で、コラムの形をした厚いポーションが出てくる；
上記の縦のリング位置に設置される時、このリングには水平で、弓の形をした薄い上部が出てくる；
上記の縦のリング位置に設置される時、このリングには水平で、拡張できるポーションがあり、このポーションはちょっと低めになる；
平均的に言えば、上記のコラムの形をした厚いポーションは弓の形をした薄い上部より厚い；
直角ベースは垂直に上記のリングの低めなポーションと交差する；
前記の小さめな直径の方向に施された手頃な圧力に応じて、上記のリングは裏返せるように圧縮できる。それによって、ほとんどの裏返せる垂直圧力を提供し、また前記のリングに施された手頃な圧力を消し、リングを広がった形に緩めるため、コラムの形をした厚いポーションが永久変形を抵抗している；
【請求項１８】
請求１７のバインダー。そのうち、上記のリングにマイナー直径とメジャー直径がある。このリングが完全に広がった形に緩められた時、メジャー直径は少なくとマイナー直径の１．５倍になる；
【請求項１９】
請求１７のバインダーにある閉鎖気は伸び縮みができるインターロック閉鎖器である；
【請求項２０】
請求１７のバインダーはさらにリングクラッシュレジスター付きのカバーから構成している。このリングクラッシュレジスターはカバーにある物理的な障害物として、上記のリングと隣接し、リングの永久的変形を防止する。上記リングのマイナー直径の方向に施された過度な圧力により、リングは永久的変形が発生する恐れがある。このレジスターの設置により、前記の圧力はリングに分散される；
【請求項２１】
請求１７のバインダーにはさらに有効なカバーがあり、このカバーは閉じた状態で基本カバー折り目を持っている。それによって、閉じた状態では、このカバーはきれいな流線型輪郭を見せ、超薄くて、空間が節約できる；
【請求項２２】
請求１７のバインダーには、前記の基本カバー折り目が２つ近く位置している折り目を持ち、二つの折り目とも完全な９０°である。二つの９０°の折り目間の距離は前記のリングのマイナー直径の半分より小さい。
【請求項２３】
請求１７のバインダーには、フリップトップ蝶版つきのリングがある。
【請求項２４】
リーズリーフ式バインダーの組合せ：
インターロック開閉器を通じてオープン位置から閉じられるようになっている複数の楕円形バインダーリング；
上記楕円形バインダーリングの回転主軸と合うピボットの接続部品一つ、接続部品は少なくとも一つピボットがある；
接続部品は前記の楕円形バインダーリングを回転主軸に沿って繋げて、整列される；
閉じた状態では、各楕円形バインダーリグにメジャー直径、マイナー直径と周囲長さがある；
前記主軸は垂直に各楕円形バインダーリングと交差する。各楕円形バインダーリングのマイナー直径と前記の周囲長さとほぼ交差する；またこれはマイナー直径が完全に垂直になる時に垂直リングの一を決め、主軸はほぼマイナー直径の低めなエンドに配置される；
前記のピボットは少なくとも楕円形バインダーリングの一つに垂直に付けられ、およそまっすぐに、或いは緩やかなカーブでボトムポーションに付けられ、相当安定なベースが作られる；
上記リング１が閉じた状態でも、通常使用状態でも、ボトムポーションは常におよそまっすぐに、或いは緩やかなカーブを保持し、リング１が垂直リング位置にある時、いつもリング１をピボットの両サイドへフロップしないようにしている；
閉じた状態でも、楕円形バインダーリングも楕円形を維持し、それによって楕円形バインダーリングは閉じた状態でも、通常使用状態でも、メジャー直径が常にマイナー直径と比べ、少なくとも１．５倍の長さを持っている。
ピボットを見込みのカバーの導管に入れるため、ピボットは十分薄いでなければならない。この見込みのカバーは楕円形バインダーリングが閉じた状態で、ピボットが軸方向に見込みのカバーと楕円形バインダーリングの逆回転と相対になる；
それによって、楕円形バインダーリング付きのピボットのアレンジは楕円形バインダーリングの回転できる付加物を平らに折ることができる超薄のカバーにおさめることができる。よって、超薄のカバーが閉じた状態では、保存空間が節約できる。また、超薄のカバーが１８０°開けられた状態では、リングで綴じられているページがめくりやすくなる。それに、超薄カバーが３６０°に開けられた状態では、リングで綴じられている紙はピボットの上としたに十分平らに積み重ねられる。
【請求項２５】
請求２４のバインダーには
前記の各楕円形バインダーリングは、前記の垂直リング位置にある時、ほぼ水平で、櫛型の硬いポーションを持っている；
前記の各楕円形バインダーリングは、前記の垂直リング位置にある時、ほぼ水平で、弓形のフレキシブルな上部を持っている；
前記の各楕円形バインダーリングは、前記の垂直リング位置にある時、ほぼ水平で、低めなポーションを持っている；
各楕円形バインダーリングは前記のマイナー直径の方向に施された手頃な圧力に応じて、裏返せ、圧縮できる。よって、ほとんどの希望した裏返せる垂直圧力を提供するため、弓形のフレキシブルな上部は外側へもっと平らに、また幅広くされる同時に、コラムの形をした硬いポーションは永久的変形を抵抗している；
各楕円形バインダーリングは弾けて広がった形になり、上記の手頃な圧力を取消す。
【請求項２６】
請求２４のバインダーには、ピボットがあり、ピボットが背骨でもある。各楕円形バインダーリングは上記背骨に付けられる。上記背骨と楕円形バインダーリングは骨組みの構成部品であり、この骨組みはモールドプラスチックで作られた塊である。
【請求項２７】
請求２４のバインダー、更なる組合せ：
導管がある導管ケース一つ；
導管に入れた前記のピボット；
導管と相対的に回転できる各前記の楕円形バインダーリング；
この導管はシート状の材料で作られ、包みポーションがあり、導管と十分平らなポーションを限定している。包みポーションが開けられた状態では、シートが厚さは当導管の直径より小さい；
上記導管ケースを付加カバーポーションに付けるための上記平らなポーション；
それによって、部品が単独に製造され、コンポーネントの製造、パッキング、輸送と組合せに能率的になる。
【請求項２８】
請求２４のバインダー、更なる組合せ：
導管ケースと付加カバーポーションがあるカバー一つ；
導管がある当導管ケースと縁折り目がある付加カバーポーション；
前記のピボットは当導管に入れられている。また上記各楕円形バインダーリングは導管と相対に回転できる；
この導管には包みポーションと十分平らなポーションがあり、前記の導管ケースを付加カバーポーションに固定するため、包みポーションは導管と平らなポーションを決定している。
包みポーションはシート状材料で作られ、平らに開けられた状態では、材料は厚さが同等である；
上記導管は前記縁折り目と接近し、平行している；
前記付加カバーポーションは３６０°に開き、折ることができる。縁折り目に沿っており、平らな構造で、包みポーションは縁折り目に突き出る。
【請求項２９】
請求２４のバインダーには、前記の接続部品はピボットに硬く繋ぎ、接続部品がピボットに対する回転を阻止する。ピボットが動かないのに対し、前記のリング１はピボットをめぐって回転できる。接続部品に平らなポーションがあり、接続部品を付加カバーポーションに付けるためのものである。
【請求項３０】
請求２４のバインダーには、前記のインターロック閉鎖器が伸び縮みできるインターロック閉鎖器である。この伸び縮みできるインターロック閉鎖器は書く楕円形バインダーリングのマイナー直径の十分に、裏返せる伸張性、或いは収縮性を提供し、開けられた状態で、ページがめくりやすなる反面、縮まった状態では、空間が節約できる。
【発明の詳細な説明】
【技術分野】
【０００１】
この発明はルーズリーフ用バインダー及びそれと類似するルーズリーフ手帳、ルーズリーフ用フリップチャート（図表閉じ）、ルーズリーフ用パッド、ルーズリーフ用アルバム等の製品に関連している。
【背景技術】
【０００２】
バインダーは一般に「スケルトン」とカバーの２部分から構成されている。ここで言うスケルトンとは、カバーを除く、バインダーのシャーシー、リング（輪）、スパイン（背骨となる部分）及びそれを機能可能にする構造を意味する。ここで言うスパインとは、リングの付いたスケルトンの細長い背骨のような部分だが、縦または横に突き出た、リング、操作レバー、リングベースを包んでいるスプリング、細長い部分の周りを包み回転するカバーを留めるファスナー等の背骨部分とは一緒に回転しない要素を除く。
【０００３】
スケルトンとカバーに関連するルーズリーフ用バインダーの目的は、  バインダーの取るスペース「フットプリント」を最小限にすることである。バインダーのフットプリントとは、それを平らな表面に置いた時にバインダーに覆われるスペースのことである。バインダーのフットプリントを小さくすることによって机、テーブル、膝上のスペースを有効に使用出来ることになる。
その代用としての針金で閉じられたノートは、フロントカバー（表紙）と前のページを、バックカバー（裏表紙）と後ろにあるページの下に折り返すことが出来る。しかし、針金閉じのノートにページを足したり減らしたりは可能でない。
【０００４】
従来のルーズリーフ用バインダーは使用中、フロントカバーとバックカバーが１８０度の角度で開く為、場所を取る。このようにフットプリントが大きいことでバインダーは使用中じゃまになりがちである。仮にフロントカバーとページを後ろに折り返すことが出来たとしても、従来のバインダーの場合まず平らにはならない。そして、この場合かなりの負担がかかり、バインダーによってはルーズリーフが破れたり前後のカバーやページが軸を中心に盛り上がり書く表面が平らにならない。更にこの場合、積み重なったルーズリーフの圧力を手首で抑えながら一番上のルーズリーフに書き込むのは難しい。
【０００５】
これまでにも、従来のルーズリーフ用バインダーの上記のような難点を無くし、使用中のフットプリントを小さくしようという試みがなされてきた。しかしながら、こういった試みにも次のような欠点が見られた。（１）特質の損失（２）その機能性のある部分のみの改善（３）新たな欠点の表れ。
【０００６】
フットプリントの減少を試みたルーズリーフ用バインダーの欠点の原因は主に次のようである。（１）スケルトンのスパインの容積の広がり（２）カバーとスケルトンの接着の仕方（３）カバーの構成ルーズリーフのスケルトンのスパイン容積の拡大
といった失点の第一の原因は、主に簡素な仕組みでスケルトンの全てのリングを一度に開閉させるという目的に基づく。こういったスケルトンをＳｉｍｕｌｔａｎｅｏｕｓｌｙ  Ｏｐｅｎａｂｌｅ／Ｃｌｏｓｅａｂｌｅ  Ｒｉｎｇｓ  Ａｃｔｕａｔｉｏｎ（同時開閉リング操作）の頭文字を取ってここでは（ＳＯＣＲＡ）  ソクラとする。
【０００７】
従来のルーズリーフ用バインダーには、大小の寸法を持つスパインンのあるＳＯＣＲＡスケルトンが使われ、その寸法の大きい方は、リングの周囲に組み込まれており小さい方は、実際にはリングの中心へ向かって半径状になっている。バインダーのスケルトンスパインは以前から、寸法的に大の割合が小の２より大きい断面を持つ。
【０００８】
従来のルーズリーフ用バインダーはフロントカバーがバックカバーではなく、ミドルカバー（背表紙）とつながっている。ＳＯＣＲＡスケルトンはミドルカバーもしくはバックカバーにリベットで固定されている。
【０００９】
市場に出回っている従来のルーズリーフ用バインダーカバーの主な寸法は
下記の通り。
前後カバーの厚さ
ミドルカバーの厚さ
２ｍｍ
２ｍｍ
３ｍｍ
４．５ｍｍ
４ｍｍ
５ｍｍ
市場に出回っている従来のルーズリーフ用バインダーのスケルトンの典型的な寸法は下記の通り。
リングの外側寸法
リングの太さ
スケルトンのスパインの長さ
１３．５ｍｍ
１ｍｍ        
１０ｍｍ
２１ｍｍ
２ｍｍ
１６ｍｍ
３２ｍｍ
２．８ｍｍ
２５ｍｍ
７５ｍｍ
３．５ｍｍ
５０ｍｍ
リングの外側の寸法は輪の内側の寸法とリングの太さによって異なる。スケルトンのスパインの幅はバインダーのスケルトンのスパインの断面寸法の主を占める。スケルトンのスパインの幅は、それに使用されているＳＯＣＲＡの仕組みとリングの太さによって左右される。リングのサイズが大きくなる程、リングにかかる負担に耐える為、リングの太さも太くなる。従来のスケルトンでは、共通してリング自体がプレートにリベットで固定されている為、リングが太くなるにつれてそれを支えるスケルトンスパインの幅も太くなる。市場に出回っている最も小型の一般的なバインダーは小型ポケットバインダーだが、スケルトンのスパインの幅は、１０ｍｍである。こういったカバー部分の厚みとＳＯＣＲＡスケルトンスパインの幅の為、  一般に従来の技術ではバインダーのカバーにＳＯＣＲＡスケルトンスパインを組み込むことを避けるようになる。
【００１０】
知名なＳＯＣＲＡスケルトン（を横に切断した時）の断面が大きいという構成は、バインダーのフットプリントを縮小する為に、その面の方向、つまり容積の大きい方がリングの中央に放射状に固定されるようになっている。しかし、この方向ではカバーの取り付けがより困難になってしまい、ルーズリーフの前後カバーの間にミドルカバーを使用しないことになる。この様な構成では、リングとルーズリーフの端が露出する為、バインダーが扱い憎く、見栄えも悪くなる。そういったバインダーでは、ルーズリーフが積み重なっていたりフロントカバーを後ろに折り返して書く作業をするときに、スケルトンが盛り上がってしまう。米国特許番号  Ｎｏｓ．３，１９０，２９３シュナイダー、４，９０４，１０３イム、及び  ２，３３１，４６１ダウソン等がそういったバインダーの例である。
【００１１】
一方、バインダーのフットプリントを縮小するのに、個別に開閉できるリングを備えたバインダーもある。この様なバインダーの中には、バックカバーが細いスケルトンのスパインの回りを一回転し、フロントカバーがルーズリーフをリングで支えている物があるが、フロントカバーとバックカバーをつなげるミドルカバーがない。こういったデザインでは、ルーズリーフの差し込みや引き抜きをしにくい。また、露出したリングは見た目を落とし、ルーズリーフもあまり保護されていない。その様なバインダーの例は、米国特許番号  Ｎｏｓ．６５９，８６０シルド、２，２６８，４３１スロンネガー  に見られる。
【００１２】
さらに、フットプリント縮小バインダー試作のもうひとつの問題点は、こういったバインダーが閉じている位置から３６０度開いた際、バインダーの許容量が変化してしまう、不適当なリングが使われていることである。この許容量の変化は、ルーズリーフの両側でなく一箇所に、スケルトンが組み込まれているのが原因である。この様なバインダーの例は、米国特許番号Ｎｏｓ．４，９０４，１０３イムに見られる。
発明の要旨
この発明は以前の技術の弱点に対処し、使用中フットプリントが最小限のバインダーを作る目的を満たす、改善されたバインダーを提供する。バインダーのスケルトン、カバー、及びスケルトンのカバー接着の改善を含む。
【００１３】
フットプリントを縮小する為に行われた様々な発明の具体化には、下記に書かれた要素が特徴として少なくともひとつは含まれる。
【００１４】
１）最小のＬＳＣＰＬを持ったスケルトン（下記に定義）。
【００１５】
２）ＳＯＣＲＡスケルトン。
【００１６】
３）フロントカバーとバックカバーが３６０度に開かれた際に平らに折り込めると同時に、平らに折られたカバーの端をリングが回転自在である、カバーのデザイン。
【００１７】
４）リングが回転するのに対し、バインダーが３６０度開かれた時、スケルトンのスパインは、バックカバーと逆方向に軸回転する。
【００１８】
５）バインダー使用中に、組み込まれたスケルトンのスパインまたは、特別にカバーや構成に埋め込まれたスパイン。
【００１９】
６）前後カバーをつなぐミドルカバー。
【００２０】
７）バインダーが３６０度開いている際、リングの回転を妨げないように設置されたミドルカバー。
【００２１】
８）スケルトンのリングがバックカバーの面を回転する際、リングとカバーの妨げを防ぐ切り込み（スロット）または、  穴（ホール）。
【００２２】
９）ＬＳＣＰＬよりかなり大きいリングの寸法（下記に定義）。
【００２３】
１０）バインダーが３６０度開いた際、フロントカバーがバックカバーの下に平ら付くようにカバーに設置されたスケルトン。
【００２４】
１１）バインダーが閉じている状態では、覆われている（露出していない）リング。
【００２５】
１２）ライティングサポートパッド（下敷き）（下記に表記）。
【００２６】
１３）どの位置にも歪みが出ない平らに折り込めるカバーの端をよりよく回転する、  安定したリング。
【００２７】
１４）リングの形とスケルトンに対する角度、バインダー容量を見えやすく安定させるカバー。
【００２８】
具体化されているスパインはＬＳＣＰＲＬで、Ｌｏｎｇｅｓｔ  Ｓｐｉｎｅ  Ｃｒｏｓｓ−ｓｅｃｔｉｏｎ  Ｐｅｒｉｍｅｔｅｒ  Ｌｉｎｅ（最長スパインクロスセクション周回線）の略であり、  最長線の断片が、スケルトンスパインの上下から見た断面の周囲二箇所に接していることを指す。例えば、スパインの断面が丸いスケルトンは、ＬＳＣＰＬがその丸の直径である。楕円の場合、ＬＳＣＰＬは主軸、四角または長方形の場合は、ＬＳＣＰＬは斜線状、三角形の場合、ＬＳＣＰＬはその最長の辺になる。
【００２９】
ＬＳＣＰＬの寸法は重要である。バインダーのカバーが３６０度開いている時、バインダーのカバーは裏返される。つまり最低でもそれぞれ背中合わせになった前後カバーの内側の面の一部、  スケルトンスパイン、及びカバーの一部がその前後のルーズリーフの間にサンドイッチのように挟まれる。更に、３６０度開いている際、カバーは平らに折り込まれる。カバーが３６０度開かれる際、リングは回転可能でなければならない。具体的には、リングの回転がスパインの回転を誘発することである。仮にＬＳＣＰＬの寸法が、前後カバーの厚さより小さい、あるいは等しい場合、スパインが完全に回転することにより、スパインは、フロントカバーとバックカバーの内側に完全に収まる。この場合、スパインは、前後カバーと水平の状態を保ち、前後のルーズリーフに挟まれて盛り上がるのを最小限に抑えるか、それを防ぎ、ルーズリーフの表面は平らである。更に、ＬＳＣＰＬの寸法は、スパインがカバーの折り返しの中心点となるコンジット、カバーのコンジットのある部分に理想的な厚みを作るのに影響をおよぼす。カバーのその部分はスパインの回りを回転し、スパインを含むコンジットはＬＳＣＰＬの寸法と調和しなければならない。
【００３０】
利用具体化の特徴は、カバーが３６０度に開いている時、折り返されるルーズリーフが全くないあるいは多量にある等、どんな場合でも前後のルーズリーフやバックカバーが平らで平行な状態になること可能にした。
【００３１】
実現的には、ＳＯＣＲＡスケルトンはカバーの内側で回転する、つまり（１）スパインは、カバーがその回りを回転するピボットである。（２）スパインは、カバーとリングの回転に反して、軸的に設置されている。
【００３２】
バインダーのスケルトン使用の具体化は、ＬＳＣＰＬを最小に抑えることになる。例えば、スケルトンの利用のひとつとして、従来のやり方だとスペースを要するリベットでリングを留めたのに対し、それをスペースを取らない接着（ウェルド）または、はんだ付け（ブレーズ）で接着することが出来る。
【００３３】
妙に厚く醜くならないよう、カバーの部分にスケルトンを設置するのは、ＬＳＣＰＬ寸法が約７−９ｍｍのスケルトンから実現出来る。最良なのは、スケルトンのＬＳＣＰＬが５ｍｍに等しいか、それ以下であること。
【００３４】
更に、バインダーに、リングを同時に開閉するシンクロナイズドスイッチ的機能を内蔵したＳＯＣＲＡスケルトンがあること。そのシンクロナイズドスイッチ的機能は、１セット目のリングに関連する第一の接続機能と、連結し対応する２セット目のリングに関連する接続機能を持つこと。シンクロナイズドスイッチ機能には、第一の接続機能が第二の接続機能を起動させ、２セット目のリングが、１セット目のリングに関連して開閉することを可能にする仕組みがある。
【００３５】
前、中、後カバーの接続の仕方も発表する。
目的と利点
この様に、私の発明の目的または利点は、下記に記されたような様々な具体例を含む。
【００３６】
（ａ）前に引用した過去の誤作に見られるようなルーズルーフの欠点を克服し、  最小のフットプリント、  フロントカバーやルーズリーフが完全に平らにバックカバーの下に折り込めるバインダーを提供すること。
【００３７】
（ｂ）３６０度開け、前後自由自在にカバーやルーズリーフを折り込め、それゆえに、ページの裏にも表にも書き込める両面が同じ様に利用できるリバーシブルのバインダーを提供すること。
【００３８】
（ｃ）フロントカバーがバックカバーに対し１８０度または３６０度開いている際、常に書く表面が平らで、使用しているページ及び全てのルーズリーフが並行で、その表面を端から端まで、上から下まで活用出来るバインダーを提供すること。
【００３９】
（ｄ）机上のみに限らず、膝上、手で持って書く際にも前後カバーがライティングパッドとしての機能も果たせるバインダーを提供すること。
【００４０】
（ｅ）閉じている際リングが外側から見えない、見栄えするバインダーを提供すること。
【００４１】
（ｆ）カバーがルーズリーフを最大限に保護出来るバインダーを提供すること。
【００４２】
（ｇ）使いやすく、ブリーフケースや鞄に便宜良く収まり、本棚等にも積みやすいバインダーを提供すること。
【００４３】
（ｈ）ルーズリーフがバックカバーの下へ折り込まれる際に破れないよう、ページ破損負担を抑えたバインダーを提供すること。
【００４４】
（ｉ）スケルトンのスパインをカバー内に取り付けることによって、閉じていると薄いバインダーを提供すること。
【００４５】
（ｊ）必要に応じて、ルーズリーフの足し増しが容易にできるよう、開閉自在のリングで閉じられたバインダーを提供すること。
【００４６】
（ｋ）ルーズリーフの足し増しがしやすいスケルトンの使用により全てのバインダーリングが同時に開閉出来るバインダーを提供すること。
【００４７】
（ｌ）バインダーが３６０度開いている際も、  同時開閉機能を果たし、なおかつスケルトンによる盛り上がりの無いまたはそれを最小限に抑えた、  ＬＳＣＰＬが可能な限り最小のバインダーを提供すること。
【００４８】
（ｍ）様々なリングの数とリング間隔に対応できるスケルトンを持つバインダーを提供すること。
【００４９】
（ｎ）不用意にリングが開閉しないよう、バネ式または、開閉位置に安定した状態で留められたスケルトンが使用されたバインダーを提供すること。
【００５０】
（ｏ）実際に、スケルトンがその直角の位置から回転可能なような構成のリングが組み込まれたバインダーを提供すること。
【００５１】
（ｐ）安価で製造できるバインダーを提供すること。
【００５２】
私の発明の目的と利点は、図と更なる記述で明確になるであろう。
好ましい実施形態の詳細な説明
図１Ａ−１１Ｌ
今回の発明品であるバインダー１の優先実現は、図１Ａ−１Ｌ（バインダー１が、それぞれ０、１２０、１８０、また３６０度に自在に開く展望）、図１Ｅ−１Ｆ（バインダー１が３６０度開いたのを下から見た図）、図１Ｇ−１Ｌ（バインダー１のスケルトン５０の図）に示されている通りである。バインダー１は、カバー１００とスケルトン５０、及びオプションとして付け加えられるルーズリーフ、ライティングパッド６１Ａと６１Ｂから成る。
【００５３】
カバー１００は、バックカバー４０及びミドルカバー４２とフロントカバー４４を含む。バックカバー４０は内側表面４０Ｎと外側表面４０Ｘ、フロントカバー４４は内側表面４４Ｎと外側表面４４Ｘから成る。バックカバー４０及びミドルカバー４２とフロントカバー４４は、通常カードボード（厚紙）、プラスチック、また他のやや硬い物質から、あるいは柔軟性のあるビニールやレザー皮が使われることもあるが、バインダーカバー、ルーズリーフ用フリップチャート、ルーズリーフ手帳、ルーズリーフライティングパッドカバーといったものは、製造されているどんな材料からも作ることが可能であるだろう。
【００５４】
スケルトン５０は、スパイン５３と複数のリング４６から構成されている。リング４６は、４６Ａと４６Ｂの各部から成る。スパイン５３は、チューブ５４とインナーロッド５２から成る。４６Ｂのリングの断片は、チューブ５４と、４６Ｂのリング断片を補う４６Ａのリング断片とつながっており、インナーロッド５２と連結している。スパイン５３は、リング断片４６Ｂに対してリング断片４６Ａが同時に開閉できるシンクロナイズドスイッチ機能を持つ。リング断片４６Ａとリング断片４６Ｂは、スパイン５３に対し垂直に取り付けられている。
【００５５】
コンジット５６はバックカバー４０により定められそれに近隣しており、バックカバー４０の４０Ａ端と実質平行に動く。スケルトン５０のスパイン５３は、コンジット５６の内部に組み込まれている。スパイン５３は、バックカバー４０がそれを中心に回転できるピボットである。リング４６はスパイン５３の回転を操作している。スパイン５３はバックカバー４０のピボットであり、リング４６はスパイン５３と共に回転する為、そのスパイン５３はバックカバー４０とリング４６に対し逆回転するように軸的に組み込まれている。スロット５８Ａ−５８Ｃはバックカバー４０の４０Ａ端に直角に切り込まれている。ペーパーマージンサポート６０Ａ−６０Ｄは、バックカバー４０によって決められる。コンジット５６とつながっているスロット５８Ａ−５８Ｃとマージンサポート６０Ａ−６０Ｄの用途は、バインダー１の機能の説明に明らかである。
【００５６】
リング４６の一つ一つ少なくともその一部は、各スロット５８Ａ−５８Ｃに通されて連結しており、バックカバー４０の内側でスパイン５３が回転できる仕組みになっている。更に言うならば、スパイン５３のチューブ５４は、比較的断面積が小さく作られているので、コンジットを付ける為にバックカバー４０が不必要に分厚くならずとも、チューブ５４を十分に受け入れられる大きさのコンジット５６を定められる。その上、チューブ５４の横断面寸法は、約４から９ｍｍ、約４から７ｍｍが理想である。
【００５７】
ミドルカバー４２の一辺は、コンジット５６と平行な継ぎになるシーム６６に沿ってバックカバー４０の表面と重なっている。シーム６６は、コンジット５６とバックカバー４０の離れた平行端４０Ｂ間にあるが、理想的にはスロット５８Ａ−５８Ｃに重なることなくコンジット５６の付近にある方が良い。ミドルカバー４２のもう一方の端はフロントカバー４４の端とつながっている。ミドルカバー４２やフロントカバー４４がどこからどこまでなのかを区別する必要はないが、その線は、継ぎ目、折り目、ちょうつがいといった形で表れている。オプショナルパッド６１Ａと６１Ｂは、ルーズリーフ７２が加えられるリング４６間に入れられる。バインダー１にはルーズリーフを重ね置けるスペース７９があり、カバー１００が閉じている状態で、リング４６に閉じられたルーズリーフ７２を収納する。
【００５８】
図１Ｇ−１Ｌは、スケルトン５０とその各部の詳細断面図である。図１Ｇと１Ｈは、リング４６が開閉した状態のスケルトン５０である。図１Ｊでは、リング４６の複数の断片が溶接（ウェルド）、はんだづけ（ブレーズ）、または他の適切な方法でロッド５２に接着されている。同様に、図１Ｉに示されているようにチューブ５４に、それに対応した数のリング４６の断片が付着されている。ロッド５２がチューブ５４内部に組み込まれる際、ある間隔で設計されたリング４６Ａ、同様に間隔を置かれたスロット５５は、そのチューブによって定めるられることになる。更に、スロット５５の幅は、リング４６Ａの直径をほぼ決める、またはある種の構造を利用することになる。例えば、ロッド５２にチューブ５４の内表面にシリンディカルグルーブカット（円柱形切込み）とそれに合わせたシリンディカルフランジ（円形つば）を取り付ける等、チューブ５４に関連してロッド５２が縦方向に動くような工夫が必要である。スロット５５には十分の長さがあるので、チューブ５４が、リング部４６Ｂの邪魔にならず限られた角度内でロッド５２の回りを回転できる。チューブ５４は、リング４６Ｂに対し、リング４６Ａを開閉するようにロッド５２の回りを回転できる。この実用例で、スケルトン５０、ロッド５２、及びチューブ５４は、シンクロナイズドスイッチ構造５１の第一、第二関連要素となる。
【００５９】
図１Ｋと１Ｌは、スパイン５３が開閉した状態でのシンクロナイズドスイッチ構造５１の詳細図である。更に、シンクロナイズドスイッチ構造５１はロッド５２のタブ（つまみの様な部分）９９Ａを構成し、シリンダー２９がロッド５２と共に回転するのを妨げるスロット２９Ｂとスライディングトランスミッションリンケッジ（スライド式伝達リンク）を形成している。しかし、それはシリンダー２９がロッド５２の方向または遠ざかる形で縦にスライドするのを可能にする。シリンディカルフランジ７７は、ロッド５２と偶然的にもチューブ５４の両方の縦中央軸を保ち、そのチューブは、タブ９９がスロット２９Ｂとリングセグメント４６Ａ内に収まるようにしており、リングセグメント４６Ｂと連結している。シリンダー２９の小さい方の直径２９Ｄは、スプリング３１の中央とストップ３２へ向かって伸びている。シリンダー２９の大きい方の直径２９Ｃは、スプリング３１と常に逆方向に接しており、チューブ５４の内部表面は、２９Ｃの動きの一部、回転及び縦方向の動きをコントロールしている。セミアニュアラー（半環状の）デュアルスロッテドレッジ２８は、チューブ５４の内側の直径輪の内部にあり、チューブ５４に限定される、あるいはチューブ５４の一部として作られるのが好ましい。セミアニュアラーレッジ２８はトゥース２８Ｃ（歯）で区切られた、オープンノッチ２８Ａと２８Ｂ（Ｖ字型開口切り込み）を限定する。シリンダー２９のタング２９Ａ（舌）は、トゥース２８Ｃの上を、ふたつのノッチ２８Ａと２８Ｂの方向へ、またはその方向からスライドする際に、スプリング３１によりレッジ２８と常に接触している。このノッチはバインダー１の使用に際してレッジ２８に限定された物である。
【００６０】
バインダー１には、４つの基本的な機能がある。（ｉ）バインダー１の中身を見たり使用したりする為に、バックカバー４０に対しフロントカバーと開け閉めする機能。（ｉｉ）ルーズリーフ紙に書き込む。（ｉｉｉ）紙やポケットホールダー等のルーズリーフアイテムを入れたり外したりする為に、リング４６を開け閉めする機能。（ｉｖ）持ち運んだり、本棚に立てかけたり、ブリーフケースや鞄に詰めたり、水平に積み上げたりする為に、バインダーを使用、保管。バインダー１は、フロントカバー４４とバックカバー４０を開くことによって、その閉じている状態から本のように開けることが出来る。（図１Ｂ）  前後カバーに対しミドルカバー４２が回ることによって、そうする事ができる。図１Ｄ−１Ｆに示されたように、フロントカバー４４と前にあるルーズリーフ７２Ａは、バインダー１のバックカバー４０と後ろにあるルーズリーフ７２Ｂの下に平らに入れ、使用中のフットプリントを最小限にできる。フロンとカバー４４と前にあるルーズリーフ７２Ａがバックカバー４０に対し１８０度以上開けられた際、スケルトン５０はこの動きによって生じた伸び広がりに合わせて回転することが可能である。従って、負担によってリング４６からルーズリーフ７２Ａが引きちぎれるのを防げるのである。スケルトン５０の回転は、バインダー１が３６０度に開かれている際、前にあるルーズリーフ７２Ａがフロントカバー４４に対し平らに置け、書くために水平な表面を作るのに貢献している。（図１Ｅ及び１Ｆ）。
【００６１】
オープンスロット５８Ａ−５８Ｃは、バックカバー４０により決まり、カバーは、リング４６を（ｉ）バックカバー４０が閉じている時、まっすぐに保つ（ｉｉ）スケルトン５０と共に回転させる。バインダーが１８０度開いている際、スケルトン５０はいくつかの角度で、バックカバー４０のスロット５８Ａ−５８Ｃの為その位置に対し普通５−２０度で回転できるが、ミドルカバー４２が平らな表面に置かれている時は、それがスロット５８Ａ−５８Ｃを押すようになり、回転を止める。ミドルカバー４２は、バックカバー４０とコンジット５６とバックカバー４０の遠いほうの端４０Ｂにつながっている関係で、フロントカバー４４がバックカバー４０に対し３６０度開かれている時、ミドルカバー４２はスロット５８Ａ−５８Ｃから引っ張られ、そのスロットを通っているリング４６の回転を最大限にさせることができる。カバー１００が３６０度に平らに広げられている際、各リング４６の一部は、下記に部分的に説明するように、リングに近い４０Ａ端を回転する。まっすぐな位置からのスケルトン５０の回転角度は、バックカバー４０とルーズリーフ７２Ｂの下に折り込まれた、前のルーズリーフ７２Ａの量によって限定される。例えば、折り込まれたルーズリーフ７２が多ければ多いほど、まっすぐな位置からのスケルトン５０の回転角度は大きくなる。垂直な位置からのスケルトン５０の回転角度を定める他の要因は、リング４６の直径、バックカバー４０の厚さ、バインダーがフロントカバー４４の上にバックカバー４０を乗せた（図１Ｅ）、または、その逆に表面に置かれているかである（図１Ｆ）。
【００６２】
各リング４６の一部が平らに折られたカバー１００のリング付近の４０Ａ端を回転するには、ふたつの理由がある。（１）リング４６をつなぐ一方で、バックカバー４０の片側から他の側にルーズリーフ７２を移すに際し、４０Ａ端を空にする。（２）各リング４６の最も大切な部分がバックカバー４０の内面にくるようにできる。一方、各リング４６の２番目に不可欠な部分は、現在バックカバー４０の外面に位置しており、バックカバー４０の上または下でルーズリーフ７２が平らに積み重なり、リング４６に連結出来ることが必要である。第（２）の目的実現には、各リング４６の内部直径が平らな状態であるカバー１００の厚みより大きいこと。この厚みは、カバー１００が３６０度開いた平らな状態である際、フロントカバー４４とバックカバー４０が一緒に置かれた時のトータルの厚みと等しい。
【００６３】
フロントカバー４４は、バインダー１のフットプリントを更に縮めるために、それ自体とは反対へ折るまたは、バックカバー４０の方へ折り込むのにも、十分に柔軟性があり、折りたためる（図１３Ａ参照）。
【００６４】
図１Ｃは、バインダー１が１８０度で開いている時、利用者は前や後ろのどのルーズリーフ７２にも書き込めることを示している。この様に、フロントカバー４４と前にあるルーズリーフ７２Ａが、バックカバー４０と後ろにあるルーズリーフ７２Ｂの方へ折り返されている時、図１Ｅと１Ｆに描かれている位置にバインダーを置くことにより、利用者は前側表面に出ているルーズリーフ７２Ｂか、後側に出ているルーズリーフ７２Ａに書き込めることを示している。この様にして、今回の発明品バインダー１は、その最小のフットプリントで、利用者は前や後ろのどのルーズリーフ７２にも書き込めることを示している。
【００６５】
スケルトン５０がその垂直の位置から回転する時は常に、マージンサポート６０Ａ−６０Ｄは、左の端から右の端、上から下までルーズリーフ７２のほぼ全表面に書き込めるよう、サポートする。この書く為の支えを補助するパッド６１Ａ−６１Ｂは、半硬質であるゆえマージンサポート６０Ａ−６０Ｄの補助サポートにより平らで、サポート力のあるライティングサーフィス（書く表面）を提供できるという利益がある。マージンサポート６０Ａ−６０Ｄとルーズリーフライティングサポートパッド６１Ａ−６１Ｂの両方に支えられることにより、書いている最中にルーズリーフ７２が破れるのを防ぐ。
【００６６】
バックカバー４０内にあるが、ルーズリーフスタックスペース７９外で回転するスケルトン５０のスパイン５３は、フロントカバー４４と前にあるルーズリーフ７２Ａがバックカバー４０に対し１８０度、もしくはバックカバー４０の下側と残りのルーズリーフ７２Ｂに対し３６０度に回転した時、水平なライティングサーフィスを提供する。スパイン５３はバックカバー４０と共に回転できなければならず、更に表面に凹凸が出ないようプラナーの役割を果たさなければならない。
【００６７】
図１Ａのスケルトン５０は全てのリング４６が同時に安定した形で開く（図１Ｈ及び１Ｌ）または、閉じる（図１Ｇ及び１Ｋ）ようにシンクロナイズドスイッチ機能５１を内蔵している。しかしながら、図１Ｋと１Ｌはシンクロナイズドスイッチ機能５１のいくつかの部分がスケルトン５０の一端につながリ、更にそれを鏡に映したような部分は、スケルトン５０のもう一方の端に連結し、タブ９９Ｂによって総合的に形成されバランスの取れた操作が行われることを示している。スケルトン５０を開くには、リング４６Ａの何にも接していない部分とルーズリーフシートの受け外しをする４６Ｂとを離脱すること意味する（図１Ｈ及び１Ｌ）。スケルトン５０を閉じるには、リング４６Ａと４６Ｂ各片を接合させ、リング４６が完全に閉じ、ルーズリーフシートがバインダー内に確実に収まるようにすること意味する（図１Ｇ及び１Ｋ）。
【００６８】
スケルトン５０を開くということは、ユーザー（利用者）が、相反するリングの片４６Ａと４６Ｂを手で引き離すことである。この行為は、シンクロナイズドスイッチ機能５１に、全てのリング４６を一度に開けさせることになる。操作中、シンクロナイズドスイッチ機能５１のロッド５２は、相反するリングの片４６Ａと４６Ｂが引き離される際、チューブ５４に関連して回転し、スプリング３１はそれを妨げようとする。ロッド５４がチューブ５２に関連して回転する際、タブ９９Ａとスロット２９Ｂは、シリンダー２９をそれと共に回転させるが、らせん状の部分またはレッジ２８のトゥース２８Ｃは、シリンダー２９とストップ３２の間のスプリング３１を圧縮し、シリンダーをロッド５２の方向に縦に押し上げる。ロッド５２が閉じた位置と開いた位置の間で半回転する際、シリンダー２９のタング２９Ａはノッチ２８Ａに押され、トゥース２８Ｃへとスライドする。つまりスプリング３１が伸張し、タング２９Ａをノッチ２８Ｂの中へ押しやることによりロッド５２の回転を止める。図１Ｌに見られるように、タング２９Ａがノッチ２８Ｂに配置される時、リング４６は開く位置にあり、スプリング３１がタング２９Ａをノッチ２８Ｂに押しやることでその位置に保たれる。
【００６９】
スケルトン５０を閉じるには、ユーザー（利用者）が、相反するリングの片４６Ａと４６Ｂを手で引き離すことにより、再びシンクロナイズドスイッチ機能５１に、全てのリング４６を一度に閉じさせることになる。ふたつの相反するリングの片４６Ａと４６Ｂを押す行為は、シンクロナイズドスイッチ機能５１のロッド５２を、スプリング３１の抵抗に反して、チューブ５４に関連して回転させる。ロッド５４がチューブ５２に関連して回転する際、タブ９９Ａとスロット２９Ｂは、シリンダー２９をそれと共に回転させるが、アニュラーレッジ２８のトゥース２８Ｃは、シリンダー２９とストップ３２の間のスプリング３１を圧縮し、シリンダーをロッド５２の方向に縦に押し上げる。ロッド５２が開いた位置と閉じた位置の間で半回転する際、シリンダー２９のタング２９Ａはノッチ２８Ｂに押され、トゥース２８Ｃへとスライドする。つまりスプリング３１が伸張し、タング２９Ａをノッチ２８Ａの中へ押しやることによりロッド５２の回転を止める。図１Ｋに見られるように、タング２９Ａがノッチ２８Ａに配置される時、リング４６は閉じる位置にあり、スプリング３１がタング２９Ａをノッチ２８Ａに押しやることでそ
の位置に保たれる。
【００７０】
バインダーカバー１００は閉じている時、ルーズリーフ７２とリング４６を含むスケルトン５０をほぼ完全に包み込んでおり、本のようである。各２７０の光線状の線８９がひとつのリング４６の中心から１度の角度で連なり出ており、そのリング４６の週輪と交差し、カバー１００が閉じている時、事実上そのカバーと交わる。結果的に、リングが露出している、あまりカバーされていないバインダーに比べ、バインダー１は、より棚に立てかけやすく、持ち運びに便利で、本棚、ブリーフケース、バックパック等に収納しやすく、見栄えもよく、ルーズリーフ７２をより保護している。
図２Ａ−２Ｅ
図２Ａ−２Ｅは、発明品の他の実用例バインダー２の展望と断面図である。バインダー２は、カバー２００とスケルトン５０からなる。カバー２００は、フロントカバー１４４及びミドルカバー１４２とバックカバー４０を含む。バインダー２のバックカバー４０と，  スケルトン５０は、図１Ａ−１Ｌで示されたバインダー１と同じものである。それ以外に、バインダー２には、ミドルカバー１４２とフロントカバー１４４が含まれている。ホール７４Ａは、フロントカバー１４４によって定められる。ホール７４Ａにはリング４６がはめ込まれ、リング４６はフロントカバー１４４及びルーズリーフ７２を取り外しできるように束ねる。フロントカバー１４４は、シーム１６６を通じてミドルカバー１４２に連結している。シーム１６６は、ホール７４Ａとフロントカバー１４４の平行な端１４４Ａの間に、設置されている。シーム１６６の理想的な位置は、フロントカバーの端１４４Ａよりも、ホール７４Ａに近いほうがよい。ミドルカバー１４２は、折目８０と折目８２から構成され、図１Ａ−１Ｃ示されているバインダー１と同じように、バックカバー４０に連結している。
【００７１】
フロントカバー１４４が、リング４６で閉じられたルーズリーフの上に乗っているため、フロントカバー１４４はリング４６にそって動く。バインダー２が１８０度平らに開かれ、平らに置かれたとき、あるいは３６０度に開かれたとき、フロントカバー１４４は，リング４６にそって動き、次にフロントカバー１４４は、  ミドルカバー１４２を折り込ませる。折りたたみをスムーズにし、盛り上がりを最小限に抑えるためには、折目８０と折目８２は，  ミドルカバー１４２に付けられたほうがよい。バインダー２が１８０度開かれる際、ミドルカバー１４２は折り目８０で折りたたまる傾向を示す。バインダー２が３６０度開かれる際には、ミドルカバー１４２は折り目８２で折りたたまる傾向を示す。図解の都合により、図２Ａ−２Ｅではミドルカバー１４２の厚みは目立つように描かれている。実際には、折りたたみをスムーズにし、盛り上がりを最小限に抑えるため、ミドルカバー１４２の厚みは紙ほどの厚さでよい。図２Ｅにはバインダー２のカバー２００が、前のルーズリーフ７２Ａと残りのルーズリーフ７２Ｂの間で３６０度平らに開く際生ずる最小のフットプリントが示されている。バインダー１の記述ですでに述べた第（２）の目的実現には、リング４６の内部直径が、実質平らな状態であるカバー２００の厚みより大きいこと。この厚みは、バックカバー４０の厚みと、フロントカバー１４４の厚みと、ミドルカバー１４２の二倍の厚みに等しい。
【００７２】
バインダー２の利点は、バインダー内のスペースの節約による、よりコンパクトな貯蔵能力にある。バインダー２が閉じてある際（図２Ａと２Ｂ）、フロントカバー１４４は、ルーズリーフ７２の上に平らに重なるため、トップのルーズリーフとフロントカバー１４４の間にエアポッケトは生じない。この利点は、書類かばん等の中の限られた空間を配慮に入れると、重要である。実用例バインダー２は、１８０度もしくは３６０度開かれた状態でのフットプリントを縮小し、リング４６を包み込むカバーの利点を引き出す。
図３Ａ−３Ｅ
図３Ａ−３Ｅは、発明品の他の実用例バインダー３の展望と断面図である。バインダー３は、カバー３００とスケルトン５０からなる。カバー３００はフロントカバー２４４及びミドルカバー２４２とバックカバー４０を含む。バインダー３のバックカバー４０とスケルトン５０は、図１Ａ−１Ｌに示されたバインダー１と同じものである。それ以外にバインダー３には、ミドルカバー２４２とフロントカバー２４４が含まれている。フロントカバー２４４には、リング４６を受け入れるための輪８４が付けてあり、実用例バインダー３のフロントカバー２４４はミドルカバー２４２に連結している。この連結は、図１Ａ−１Ｃのバインダー１のフロントカバー４４と、ミドルカバー４２の間のものと同じである。さらに、図１Ａ−１Ｃに示されているバインダー１のミドルカバー４２とバックカバー４０のように、バインダー３では、ミドルカバー２４２がバックカバー４０に連結している。折目１８０Ａ、１８０Ｂ、と１８２は、ミドルカバー２４２に付けられた方がよい。
【００７３】
実用例バインダー３のフロントカバー２４４は、リング４６で閉じられたルーズリーフの上に乗っているため、フロントカバー２４４はリング４６にそって動く。バインダー３が１８０度に平らに置かれたとき、もしくは３６０度に開かれるとき、リング４６はフロントカバー２４４を動かし、次にフロントカバー２４４は、図３Ｄ−３Ｆが示すように、ミドルカバー２４２を折り込ませる。バインダー３は、フロントカバー２４４がリングの上に重なるため、一般のリングバインダーにも見られる三角形で、親しみやすい、ほっそりした外見と印象を与え、上記の実用例バインダー１と同様、包み込みカバーの利点を引き出す。
図４Ａ−４Ｄ
図４Ａ−４Ｄは発明品の他の実用例バインダー４の展望と下から見た図である。バインダー４は、スケルトン５０とカバー４００からなる。スケルトン５０は、図１Ａ−１Ｌで示されたのバインダー１と同じものである。カバー４００は、バックカバー１４０及びミドルカバー３４２と、フロントカバー３４４を含む。ミドルカバ−３４２は、ミルカバーの大きな部分３４２Ｂによって区切られた、ふたつの小さな部分Ａ３４２から成り立つ。これらはすべて、スケルトン５０のスパイン５３をビームとして回転することができる。ミドルカバーの一部３４２Ｂは、スケルトン５０のスパイン５３をささえるためのコンジット５６Ｂを含む。ミドルカバーの一部３４２Ｂは、図１Ａ−１Ｃのバインダー１のバックカバー４０と同じく、スパイン５３をビームとして回転することができる。スロット１５８Ａ−１５８Ｃとマージンサポートは、ミドルカバー一部３４２Ｂによって定まる。
【００７４】
バインダー４が３６０度に開かれる際（図４Ｃ−４Ｄ）、スケルトン５０は、ミドルカバーの一部３４２Ｂの内部で回転し、余分に回転できるようになっている。この仕組は、スケルトン５０がバインダー１のバックカバー４０の内部で回転できる仕組みと同じである。１８０度もしくは３６０度開かれた状態では、ミドルカバー部分３４２Ｂとバックカバー４０は余分の動きをする。ネック及び折目１４０Ａの周辺でミドルカバーの一部３４２Ｂと、バックカバー１４０が連結もしくは完全に形成されているのを除けば、二つの部品は同じ厚みを持っている。ルーズリーフ７２を支えるこの二つの部品が、どちらかと言うと平面な外面を提供する。ライティングパッド６１Ａと６１Ｂを、バインダー４に入れることにより（図１Ｅ，１Ｆ）執筆中ルーズリーフが破けないよう、負担を抑えることが出来るだろう。
【００７５】
ミドルカバーの一部３４２Ａは、折目３４４Ａが配置されているフロントカバー３４４の端３４４Ａに連結し、一体となり形を作っている。ミドルカバーの一部３４２Ａは、スケルトン５０の各端を中心に回転するが、スケルトン５０の回転の邪魔にはならない。バインダー４が３６０度に開かれる際、ミドルカバーの一部３４２Ａは、ミドルカバーの一部３４２Ｂの周りをカーブし、図４Ｄで示されるように、フロントカバー３４４はバックカバー１４０に対して平らになることができる。
図５Ａ−５Ｂ
図５Ａ−５Ｂは発明品の他の実用例バインダー５の展望と下から見た図である。バインダー５は、カバー５００とバインダー１と同じスケルトン５０からなる。カバー５００は、バックカバー１４４０及びミドルカバー４４２とフロントカバー１０４４とを含む。バインダー５のミドルカバー４４２は、ベース４４２Ａとベース４４２Ａの上に配置されているビーム８６及びベース４４２の、各結合に配置された折目４４２Ｂと４４２Ｃからなる。スパイン５３はコンジット５６Ａの中で回転できるように配置されている。スロット２５８Ａ−２５８Ｃはミドルカバー４４２によって定められる。マージンサポート２６０Ａ−２６０Ｄを支える端は、ミドルカバー４４２のビーム８６によって定まる。ミドルカバー４４２のベース４４２Ａとフロントカバー１０４４は、折目あるいはフォールド１４４０Ａにおいて連結している。ベース４４２とバックカバー１４４０は折目あるいはフォールド１４４０Ａにおいて連結している。
【００７６】
スケルトン５０はミドルカバー４４２に対して回転できるが、限られた回転のみですむ。回転量は、ミドルカバー４４２のビーム８６の片面と他面にルーズリーフ７２がどの位あるかによって、影響される。ベース４４２は折目４４２Ｂと４４２Ｃで折りたたまれ、これにより、フロントカバー１０４４は、バックカバー１４４０に対して平らになることが出来るため、バインダー５が３６０度に開かれる際（図５Ｂ）、スケルトン５０は実質的には回転する必要がない。バインダー５が３６０度に開かれる際、ミドルカバー４４２及びバックカバー１４４０とフロントカバー１０４４がパラレルな平面を形づけるために、これらの厚みは、ベース８６の半分の厚みである。オプションとして付けられているライティングサポートパッド６１Ａと６１Ｂは、折りたたみ４４２Ｂと４４２Ｃやスロット２５８Ａ−２５８Ｃに付いている裂け目をカバーする。カバー５００を３６０度に平らにたたむと、ビーム８６は平らに折り重ねられたカバー５００のリングに近い端と一致し、各リング４６の部分はこの端の周りで回転可能である。
図６Ａ−６Ｂ
図６Ａ−６Ｂは発明品の他の実用例であるバインダー６の展望である。バインダー６は、カバー６００とスケルトン５０からなる。図６Ｂはバックカバー２４０の展望を示す。カバー６００はバックカバー２４０及びミドルカバー４４４を含む。実用例バインダー６は、包み込みミドルカバー４２を持たないことを除けば、図２Ａ−２Ｅに示されたバインダー２に類似している。スパイン５３は、バックカバ−２４０によって決められたコンジット５６の中で回転可能に配置されているが、スパイン５３がバックカバ−２４０のビームであるのと同じように、バックカバ−２４０によって限定される。図２Ａ−２Ｅに示されたバインダー２のフロントカバー１４４のように、実用例バインダー６のフロントカバー４４４はリング４６を受けるためのホール７４Ａを定める。これにより、フロントカバー４４４はリング４６によって束ねられることになる。バインダー６には、ミドルカバーがないので、ミドルカバーを持つバインダーに比べてより経済的に製作できるし、開閉も簡単である。
図７Ａ−７Ｂ
図７Ａ−７Ｂは発明品の他の実用例であるバインダー７の展望と下から見た図である。バインダー７は、カバー７００とスケルトン５０からなる。カバー７００はバックカバー３４０及びミドルカバー５４２とフロントカバー４４を含む。バインダー７は、ミドルカバー５４２を持つバインダー１のバリエーションである。ミドルカバー５４２は引き伸ばされ、バックカバー３４０の外端３４０Ｂに接着するか、その端３４０Ｂと一体になって形づけられる。ミドルカバー４４２は、ミドルカバーの一部３４２Ｂを持つ二重平面のミドルカバーである。バインダー７は、図１Ａ−１Ｆで示したバインダー１と同じく１８０度に開くが、３６０度の位置では異なった開き方をする。図７Ｂはバインダー７のカバーが３６０度開いたとき”Ｚ”の形に折り返り、前のルーズリーフ７２は、バックカバー３４０とミドルカバーの一部５４２の間に挟まる。カバー７００が３６０度に開いたときバックカバー３４０のみが、前のルーズリーフ７２Ｂと残りのルーズリーフ７２Ｂの間で平らな形になる。リング４６の内部直径はバインダー１の記述ですでに述べた第（２）の目的実現のために、バックカバー３４０の平らな状態の厚みより大きい。
図８
図８は発明品の他の実用例であるバインダー８の展望である。バインダー８は、カバー８００とスケルトン５０からなる。カバー８００はカバー４４０及びミドルカバー６４２と、フロントカバー５４４と、チャック８８を含む。実用例バインダー８は、図７Ａ―７Ｂに示したバインダー７に類似している。  なぜなら、バックカバー３４０がバインダー７のミドルカバーの一部５４２Ｂに連結しているのと同じように、バックカバー４４０も、バインダー８のミドルカバーの一部６４２Ｂに連結しているからである。またバインダー８は安全チャックを含み、それは、バックカバー４４０及びスケルトン５０とルーズリーフ７２を包み、これによって、取り扱い及び貯蔵量が改善される。ミドルカバー６４２は部分６４２Ａと６４２Ｂを含む。さらに、バックカバー４４０は、輪９１とホック９０を通してバックカバーの一部６４２Ｂに接着している。ホック９０は、バックカバーの内表面４４０Ｎの上に設置され、輪９１はミドルカバー６４２Ｂに接着するフラット７８の上に設置される。
【００７７】
チャック８８には、使用中障害物が入り込む可能性があるから、バックカバー４４０は、バインダーの他のカバーの部分に接着していない。スケルトン５０のスパイン５３はバックカバー４４０のコンジット５６に設置されている。バックカバー４４０がミドルカバーの一部６４２Ｂに接着していない場合、バインダー８は、バインダー６と同じように、前のルーズリーフ７２Ａをバックカバー４４０に対して後ろに折り返すことが出来、同時に最小のフットプリントしか生じさせない。チャック８８の具合が悪くなければ、バックカバー４４０は、ミドルカバーの一部６４２Ｂの間にはさまれて、バックカバー４４０を下に折り返せる。
図９
図９は発明品の他の実用例であるバインダー９を下から見た図である。バインダー９は、カバー９００とスケルトン５０からなる。カバー９００はカバー５４０とミドルカバー７４２Ａと７４２Ｂ及びフロントカバー６４４を含む。バインダー９は、図１Ａ―１Ｆに示されたバインダー１に似ているが、それ以外に輪１９０及びホック１９２Ａと１９２Ｂ、さらに、特別のミドルカバー７４２Ｂから成る二重目的の留め具を含む。ミドルカバー７４２Ａとミドルカバー７４２Ｂはそれぞれバインダーの反対側に設置されている一方、折目やちょうつがい７４２Ｄはフロントカバー６４４とミドルカバー７４２Ｂの間に設置されている。ホック１９０の若干の列は、バックカバー５４０の上に置かれ、ミドルカバー７４２Ｂとフロントカバー６４４のそれぞれの上にある輪１９２Ａと１９２Ｂの列と一緒になっている。この二重目的の留め具は、ホック１９０から構成されていて、輪１９２Ａもしくは１９２Ｂに接着することが出来る。
【００７８】
バインダー９が閉じられている際、ホック１９０は、フロントカバー６４４がバックカバー５４０に対して安全に場所を持つように、輪１９２Ｂに結びつく。ミドルカバー７４２Ｂの付加によってバインダー９は、リング４６とルーズリーフ７２を四方から囲み、これによって取り扱い及び貯蔵量が改良される。バインダー９が３６０度平らに開かれるとき、フロントカバー６４４、ミドルカバー７４２Ａ、ミドルカバー７４２Ｂは、バックカバー５４０の広い部分の下に置かれ、さらにコンジット５６で分けられる。これによってリング４６の回転は妨害されず、バインダー９のフットプリントは縮小される。図１Ａ−１Ｆのバインダー１の記述ですでに述べた第（２）の目的実現のために、リング４６の内部直径は実際にはカバー９００が平らな時の厚みより大きく、バックカバー５４０の厚みに、フロントカバー６４４の厚みの二倍を加えた合計に等しい。
図１０
図１０は発明品の他の実用例であるバインダー１０を下から見た図である。バインダー１０は、カバー１０００とスケルトン５０からなる。カバー１０００はカバー６４０とミドルカバー８４２Ａと８４２Ｂ及びフロントカバー７４４を含む。バインダー１０は、図９に示されたバインダー９に似ているが、その他に、ホック２９０と、輪２９２Ａと２９２Ｂ及び特別のミドルカバーの断片８４２Ｂから成る二重目的の留め具を含む。折目やちょうつがい８４２Ｃは、フロントカバー７４４とミドルカバー８４２Ｂの間に設置されている。図９のバンインダー９のミドルカバー７４２Ａ、ミドルカバー７４２Ｂとフロントカバー６４４が、バックカバー５４０の下部に向かって時計回りで回転するのに反して、バンインダー１０のミドルカバー８４２Ａ、ミドルカバー８４２Ｂとフロントカバー７４４は、バックカバー５４０の下部に向かって時計とは逆に回転する。このように、バインダー９と１０の各フロントカバー６４４と７４４は、逆の方向に開く。さらにバインダー１０はバインダー９と同様に、閉じた際、リング４６とルーズリーフ  を四方から囲み、ホックと輪付二重目的の留め具を使用している。
【００７９】
バインダー１０の留め具は、バックカバー６４０の上に配置されたホック２９０の列からなり、ミドルカバー８４２Ｂとフロントカバー７４４のそれぞれに配置された輪の列２９２Ａ、もしくは２９２Ｂのどちらかの位置に接着できる。バインダー１０が閉じているときには、ホック２９０の列は輪２９２Ａの列に結びつく。バインダー１０が図１０の破線で示すように３６０度に開くときには、フロントカバー７４４は折目１８１で折り重なり、ホック２９０の列は輪２９２Ｂの列に結びつく。これによってフロントカバー７４４はバックカバー６４０を安全に保持する。
図１１
図１１は発明品の他の実用例であるバインダー１１を下から見た図である。バインダー１１は、カバー１１００とスケルトン５０からなる。カバー１１００はバックカバー７４０とミドルカバー９４２Ａと９４２Ｂ及びフロントカバー８４４を含む。フロントカバー８４４は、取り外しできるように連結する部分８４４Ａと８４４Ｂを持つ。バインダー１１は図９に示されたバインダー９と図１０のバインダー１０に非常に似ている。バインダー１１はフロントカバーの一部８４４Ａとミドルカバー９４２Ａとで作成された、フロントミドルカバーの一部からなる。ミドルカバー９４２Ａは、コンジット５６の近くで、バックカバー７４０に常に接着している。したがって、バインダー１１はフロントカバーの一部８４４Ｂとミドルカバー９４２Ｂからなり、さらに、バックカバー７４０に接着しているフロント、ミドルカバーの断片を含む。折目やちょうつがい９４２Ｃは、ミドルカバー９４２Ａとバインダー１１が閉じたときには、ミドルカバー９４２Ｂの間に設置されている。一方、折目やちょうつがい９４２Ｄはフロントカバーの一部８４４Ｂとミドルカバー９４２Ｂ間に設置されている（下書をみること）。この二つのフロント、ミドルカバーの断片は、バインダー１１が閉じたときにはバックカバーの上部のほうで一緒に結びつき、バインダー１１が開いたときにはバックカバーの下部で結びつく。バインダー１１の二重目的ホックと輪の留め具は、ホック３９０の列からなり、輪３９２Ａと３９２Ｂの列のどちらかを選んで接着できる。
【００８０】
バインダー１１が閉じた時、ホック３９０は輪３９２Ａと結びつく。図１１の破線で示されているようにバインダー１１が３６０度に開いているときは、フロントカバーの一部８４４Ｂはミドルカバー９４２Ａと９４２Ｂの上に折重なり、ホック３９０は輪３９２Ｂに接続する。それによって、フロントカバーの一部８４４Ａとフロントカバーの一部８４４Ｂはバックカバー７４０を安全に保持する。図９のバインダー９と図１０のバインダー１０と同じく、バインダー１１も３６０度に開閉したときリング４６とルーズリーフ７２を四方から囲む。ミドルカバー９４２Ａと９４２Ｂにフロントカバーの一部９４２Ａと９４２Ｂは、コンジット５６をはさんでバックカバーの広い一部の下に設置されている。これにより、リング４６の回転の妨害は避けられる。
図１２
図１２は発明品の他の実用例であるバインダー１２を示す。バインダー１２は、カバー１２００とスケルトン５０からなる。カバー１２００はバックカバー８４０とミドルカバー１０４２とフロントカバー４４を含む。バインダー１２はこれまでに紹介したほとんどのバインダーと異なる。これは、前のルーズリーフ７２Ａが、バックカバー８４０と残りのルーズリーフ７２Ｂの下に折りたたまれる際、一部１０４２Ａと一部１０４２Ｂを含むミドルカバー１０４２が、スケルトン５０の回転を妨害するのを避けるための方法が違うからである。ミドルカバーの一部１０４２Ｂは、ちょうつがい、もしくはフォールド８４０Ａを通じてバックカバー８４０に連結している。図１２に示されたように、ミドルカバーの一部１０４２Ａは、ミドルカバーの一部１０４２Ｂとフロントカバー４４の間に配置されている。
【００８１】
ルーズリーフ７２がバックカバー８４０の下に折たたまるとき、バックカバー８４０は、フォールド８４０Ａを中心に回転する。フォールド８４０Ａは、バックカバー８４０の下に折りたたまるルーズリーフ７２をより多く受けいれらるように、しなやかなものの方がよい。ルーズリーフ７２は３６０度バックカバーの周りに折りたたまれ、リング４６を回転させる。続いて、バックカバー８４０は本来の、前のルーズリーフ７２Ａがバックカバー８４０とミドルカバーの一部１０４２Ｂの間に挟まった位置に対して、後ろに回転する。ルーズリーフの裏面に執筆できるように、バックカバー８４０はミドルカバーの一部１０４２Ｂの表側から、裏側に折りたたむことが出来る。これにより、ルーズリーフの裏面が露出するようになる。バインダーのフットポイントを最小限にするためフロントカバー４４は、ミドルカバーの一部１０４２Ｂの一方に対して折り曲げることが出来、さらにバックカバー８４０もミドルカバーの一部１０４２Ｂに対して、もう片方に折り曲げることが出来る。フロントカバー４４は、ミドルカバーの一部１０４２Ｂとバックカバー８４０の間に挟むことも出来る。
図１３Ａ−１３Ｂ
図１３Ａと１３Ｂは発明品の他の実用例であるバインダー１３を下から見た図である。バインダー１３は、カバー１３００とスケルトン５０からなる。カバー１３００はフロントカバー４４及びミドルカバー４２とバックカバー９４０を含む。図１のバインダー１のようにバインダー１３のミドルカバー４２は、シーム６６の位置でバックカバー９４０に取り付けられている。バックカバー９４０は、リング４６が取り付けられるようにホール７４Ｂと、ホール７４Ｂを横断する開閉型      コンジット１５６を含む。スケルトン５０のスパイン５３は、バックカバー９４０の内側に設置されていない。ただし、図１３Ｂに示されているようにバインダー１３が３６０度に開かれる際には、バックカバー９４０によって定められた開閉型コンジット１５６は、スパイン５３より生ずる盛り上がりを最小限に抑えるため、もしくは完全に排除するため、スパイン５３のチューブ５４を受け入れる。これにより、バックカバー９４０は平らに折れる。バックカバー９４０はホール７４Ｂを通してリング４６にルーズリーフのようにかけられるため、スパイン５３とリング４６は、バックカバー９４０に対して取り外しできるように回転できる。この仕組は、バインダー１３が３６０度に開かれる際、必要である。フロントカバー４４は、バインダーが３６０度に開かれた状態のフットプリントを縮小するように、また十分に曲げられるように、曲げやすいものが好ましい。バインダー１３が閉じられている際、スケルトン５０は、バックカバー９４０及びミドルカバー４２とフロントカバー４４に包囲され、リング４６を露出させない。これによりバインダー１３はより扱いやすく、美しくなる。
図１４Ａ−１４Ｃ
図１４Ａと１４Ｃは発明品の他の実用例であるバインダー１３の展望と下から見た図である。バインダー１４は、カバー１４００とスケルトン５０からなる。カバー１４００は、フロントカバー９４４及びミドルカバー１４２とバックカバー９４０を含む。図２Ａ−２Ｅのバインダー２のように、バインダー１４のミドルカバー１４２は、シーム６６と１６６の位置でバックカバー９４０とフロントカバー９４４に取り付けられている。フロントカバー９４４には、リング４６から取り外しが自在に出来るように、ホール７４Ａと、ホール７４Ａを横断する開閉型コンジット１５６が接着されている。バックカバー９４０には、リング４６から取り外しが自在に出来るように、ホール７４Ａと、ホール７４Ｂを横断する開閉型コンジット１５６が接着されている。スケルトン５０のスパイン５３は、バックカバー９４０の内側に設置されていない。スケルトン５０のスパイン５３は、バックカバー９４０の内側に設置されていない。図１４Ｃに示されているように、バインダー１４が３６０度に開かれる際には、ミドルカバー１４２は、折目８２で平らに折りたたまる。スパイン５３により生ずる盛り上がりを最小限に抑えるため、もしくは完全に排除するため、バックカバー９４０及びフロントカバー９４４により定められた開閉型コンジット１５６と２５６は、スパイン５３のチューブ５４を受け入れる。図１４Ｂに示されているように、バインダー１４が１８０度に開かれる際には、ミドルカバー１４２は、シーム８０で平らに折りたたまる。スパイン５３とリング４６は、フロントカバー９４４に対して、前のルーズリーフ５０は、バックカバー９４０及びミドルカバー１４２とフロントカバー７２Ａの量によって必要なだけ回転できる。バインダー１４が閉じられている際、スケルトン９４４に包囲され、リング４６を露出させない。これによりバインダー１４はより扱いやすく、美しくなる。
図１５
図１５は発明品の他の実用例であるバインダー１５の下から見た図である。バインダー１５は、カバー１５００とスケルトン５０からなる。カバー１５００はバックカバー９４０及びフロントカバー９４４とミドルカバー１１４２を含む。スケルトン５０のスパイン５３は、ミドルカバー１１４２の内側に設置されている。ミドルカバー１１４２は、薄く、曲げやすいものが好ましい。また、ミドルカバー１１４２は、図５のバインダー５のスロット２５８Ａや２５８Ｃと同じように、スロットを定めるため、スケルトン５０は、バックカバー９４０に対して回転できる。バインダー１４が３６０度に開かれる際、薄く、曲げやすいミドルカバー１１４２は、平らに折り曲がる。さらに、スパイン５３により生ずる盛り上がりを最小限に抑えるため、もしくは完全に排除するため、開閉型コンジット１５６と２５６は、ミドルカバー１１４２の一部に包まれたスパイン５３を受け入れ、これによりバックカバー９４０は、フロントカバーに対して平らな状態になれる。
図１６
記述・取り扱い
図１６は発明品の他の実用例であるバインダー１６の展望である。バインダー１６は、カバー１６００とスケルトン５０からなる。カバー１６００は、ミドルカバー４２及びフロントカバー４４とバックカバー１０４０を含む。バックカバー１０４０は、開閉具３５８Ａ−３５８Ｃにより区分けされたマージンサポート３６０Ａ−３６０Ｄを定める。ブリッジ６２は、バックカバー１０４０の端１０４０Ａの周辺で開閉具３５８Ａ−３５８Ｃにかかっている。バインダー１６が閉じられている際、リング４６が垂直に立った状態を保つため、ブリッジ６２の厚みは、バックカバー１０４０のそれより小さく、スケルトン５０とリング４６は、バックカバー１０４０に対して回転する。バインダー１６が閉じられている際、リング４６の垂直な状態を可能にし、スパイン５３とリング４６のバックカバー９４０に対する回転を十分に保持するため、開閉具３５８Ａ−３５８Ｃの機能意義は、図１Ａのバインダー１のスロット５８Ａ−５８Ｃのそれに相当するものである。
図１７
図１７は発明品の他の実用例であるバインダー１７の展望である。バインダー１７は、カバー１７００とスケルトン６５０からなる。カバー１７００は、バックカバー１１４０及びミドルカバー１２４２と、フロントカバー４４を含む。バックカバー１１４０は、マージンサポート４６０Ａ−４６０Ｃの間に配置されたスロット４５８Ａと４５８Ｂを定める。図１７が示すように、スケルトン６５０のスパイン６５３はバックカバー１１４０のトップの端１１４０Ａにより定められた、コンジット５６Ｂの中に設置されている。バインダー１７のフットプリントを縮小するため、ルーズリーフは、バックカバー１１４０のトップの端１１４０Ａに折り込まれ、フロントカバー４４は、バックカバー１１４０の脇の端１１４０Ｂの周りに折りこまれる。
図１８Ａ−１８Ｂ
図１８Ａと１８Ｂは発明品の他の実用例であるバインダー１８の展望と下から見た図である。バインダー１８は、カバー１８００とスケルトン５０からなる。カバー１８００は、フロントカバー４４及びバックカバー１２４０と二重平面なミドルカバー１３４２を含む。ミドルカバー１３４２は、ミドルカバーの一部１３４２Ａとミドルカバーの一部１３４２Ｂからなる。図１８Ａで示されたように、ミドルカバーの一部１３４２Ａは、フロントカバー４４とミドルカバーの一部１３４２Ａ及びバックカバー１２４０の間に設置された、ミドルカバーの一部１３４２の間に設置されている。折目１３４２は、フロントカバー４４とミドルカバーの一部１３４２Ａの間に設置されるのが好ましく、折目１３４２Ｄはミドルカバーの一部１３４２Ａとミドルカバーの一部１３４２Ｂの間に設置されるのが好ましい。ミドルカバーの一部１３４２Ｂとバックカバー１２４０はそれぞれ、マージンサポート５６０Ａ−５６０Ｄの間に配置されたスロットのトータルエリアの半分を定める。スロット５５８Ａ−５５８Ｃの周辺は閉じられており、ミドルカバーの一部１３４２Ｂとバックカバー１２４０により、完全に包囲されている。
【００８２】
スロット５５８Ａ−５５８Ｃはラフな“Ｏ”形で、バインダー１８が閉じられている際、露出している。スロット５５８Ａ−５５８Ｃは、ミドルカバーの一部１３４２Ｂとマージンサポート３６０Ａ−３６０Ｄの間にある折り込み１３４２Ｅで折りたたまれ、図１８Ａや図１８Ｂの破線に示されたようにバインダー１８のフットプリントを縮小するため、フロントカバー４４及びミドルカバーの一部１３４２Ａと、ミドルカバーの一部１３４２Ｂが、バックカバー１２４０に対して後ろに折り込まれる際、軽い“Ｕ”形になる。スロット５５８Ａ−５５８Ｃの折目は、バックカバー１２４０及びミドルカバーの一部１３４２Ａと１３４２Ｂがリング４６の、バックカバー１２４０を通しての、回転の邪魔にならないようにする。カバー１８００が３６０度水平に折りたたまれている際、各リング４６の一部はリング周辺の端１２０４０Ａを中心に回転可能である。
【００８３】
バインダー１８はコンジット５６により区切られているので、構造上、ミドルカバーの一部１３４２Ｂが、バックカバー１２４０の大きな一部に取り付けられていることは重要でない。図１８Ｂで示されたように、ミドルカバーの一部１３４２Ｂの片方の端１２４０Ａは、マージンサポート５６０Ａ−５６０Ｄに近いバックカバー１２４０の端１２４０Ａに連結している。バックカバー１２４０に隣接した折り込み１３４２Ｅは再設置可能であり、これによってミドルカバーの一部１３４２Ｂの端はバックカバー１２４０の端１２４０Ａとバックカバー１２４０の両面の上で対面出来るようになり、さらに、図１８Ｂで示されたように、バインダー１８が３６０度開かれているとき、前のルーズリーフ７２Ａと残りのルーズリーフ７２Ｂ及びパッド６１Ａと６１Ｂは平行、及び平らになる。
図１９Ａ−１９Ｃ
図１９Ａ−１９Ｃは発明品の他の実用例であるバインダー１９の展望と下から見た図である。バインダー１９は、カバー１９００とスケルトン５０からなる。カバー１９００は、バックカバー１３４０及びミドルカバー１４４２とフロントカバー４４を含む。バックカバー１３４０は、マージンサポート６６０Ａ−６６０Ｄと、スロット６５８Ａ−６５８Ｃのトータルエリアの半分を定める。スロット６５８Ａ−６５８Ｃのトータルエリアのもう半分は、ミドルカバーの一部１４４２Ｂにより定まる。図１８Ａと１８Ｂで示されたバインダー１８のマージンサポート６６０Ａ−６６０Ｄは、バックカバー１３４０と同じ厚さを持ち、バインダー１８のマージンサポート５６０Ａ−５６０Ｄより短い。バインダー１９が３６０度開いたとき、図１８Ａと１８Ｂで示したバインダー１８のスロット５５８Ａ−５５８Ｃと同じく、スロット６５８Ａ−６５８Ｃは、ミドルカバーの一部１４４２Ｂとバックカバー１３４０の間でフォールド２８２Ａに沿って半分折りこまれる。ミドルカバーの一部１４４２Ｃと１４４２Ｄを持つスロットカバー６４は、ミドルカバーの一部１４４２Ｂとバックカバー１３４０に接着し、それらを隠すため、スロット６５８Ａ−６５８Ｂにかかっている。スロットカバー６４は、ミドルカバーの一部１４４２Ｃと１４４２Ｄの間にフォールド２８２Ｂを定める。ミドルカバーのこの一部はバインダー１９が３６０度に開いた際、フォールドが、スロット６５８Ａ−６５８Ｃからきちんとはなれて折り込まれるようにする。
図２０Ａ−２０Ｃ
図２０Ａ−２０Ｃは発明品の他の実用例であるバインダー２０の展望と二つの下から見た図である。バインダー２０は、カバー２０００とスケルトン５０からなる。カバー２０００は、フロントカバー１０４４及びミドルカバー１５４２とバックカバー１４４０を含む。ミドルカバー１５４２はコンジット３５６を定めるため、いっしょに連結しているミドルカバーの一部１５４２Ａ―１５４２Ｆからなる。スケルトン５０は、リング４６がミドルカバーのホール７４Ｃ−７４Ｄをと押して輪になるように、コンジット３５６の内側に設置されている。コンジット３５６は、フロントカバー１０４４がバックカバー１４４０に向かって開くと同時に形を変える。バインダー２０が図２０で示されたように３６０度に開くに従い、ミドルカバーの一部１５４２Ａは、スパイン５３をこじんまりと包み込む。スパイン５３は、カバー２０００が３６０度平らに折り返されたとき、カバー２０００がその周りを回転する枢軸である。バインダー２０が閉じられた位置から３６０度開かれるとき、フロントカバー１０４４ミドルカバーの一部１５４２Ａは、折目３８２Ａとスパイン５３の周りでそれらがバックカバー１４４０とミドルカバーの一部１５４２Ｄのそれぞれに接するまで回転する。カバー２００が３６０度に平らに折り返されるとき、外に作動するリングに近い端は、折目３８２Ａと一致していて、リング４６のそれぞれの一部はこの端の周りで回転しえる。
【００８４】
ミドルカバーの一部１５４２Ａと１５４２Ｄ、及びフロントカバーの一部１０４４Ａ、及びバックカバーの一部１４４０Ａは、バインダー２０が、３６０度に開いたとき平行な平面を形づくるのと同じ厚さである。ミドルカバーの一部１５４２Ｂと１５４２Ｃは、バインダー２０が３６０度に開かれたとき、スパイン５３に適合するため、ミドルカバーの一部１５４２Ａと１５４２Ｄに比例して厚みを減少する。フロントカバー１０４４は、一部１０４４Ａと１０４４Ｂを持つ。バックカバー１０４４は、一部１４４０Ａと１４４０Ｂを持つ。フロントカバーの一部１０４４Ｂとバックカバーの一部１４４０Ｂの厚みはフロントカバーの一部１０４４Ａとバックカバーの一部１４４０Ａのそれぞれの厚みより小さく、バインダー２０が、図２０Ｃで示されるように３６０度に開いたとき、溝６５が形づけられる。溝６５はリングホールカバー１６４に適合する。このカバーは、バインダー２０が３６０度に開く際、溝６５の中に折目３８２Ｂを通してきちんと折り返る。リングホールカバー１６４は、ミドルカバーの一部１５４２Ｅ―１５４２Ｆを含み、バインダー２０が、図２０Ｂで示されたように、閉じた位置にあるときはリング４６とミドルカバーのホール７４Ｃ−７４Ｄを隠す。それによってバインダー２０に表装された本のと、美的な行き届いた外見を与える。バインダー２０は、バインダー５に類似していて、折り返されたミドルカバー１５４２は、バインダーが図２０のように３６０度に開かれたときと同じく、実際にはフロントカバー１０４４とバックカバー１４４０の厚みと同じになる。
図２１Ａ−２１Ｂ
図２１Ａ−２１Ｂは発明品の他の実用例であるバインダー２１の下から見た図である。バインダー２１は、カバー２１００とスケルトン５０からなる。カバー２１００は、フロントカバー１０４４及びミドルカバー１６４２とバックカバー１４４０を含む。ミドルカバー１６４２は、一部１６４２Ａ―１６４２Ｄからなる。ミドルカバーの一部１６４２Ｂコンジット４５６Ｂを内蔵する。スケルトン５０のスパイン５３は、コンジット４５６Ｂの内に設置され、ミドルカバーの一部１６４２Ｂでミドルカバーの盛り上がり６７を創る。ミドルカバーの一部１６４２Ａは、コンジット４５６Ａを持ち、それはバインダー２１が図２１Ｂで示されるように３６０度に開いたとき、ミドルカバーの盛り上がり６７を受ける。リング４６がバインダー２０のミドルカバー１５４２Ａ―１５４２Ｂから通るのと同じ方法でリング４６は、バインダー２１のミドルカバー１６４２Ａ―１６４２Ｂから通る。
【００８５】
バインダー２１が、図２１Ａの閉じた位置から、図２１Ｂの３６０度の位置間で開いた際、フロントカバー１０４４とミドルカバーの一部１６４２Ａはフォールド４８２Ａの周りでバックカバー１４４０とミドルカバー１６４２Ｂのそれぞれに接する間で回転する。バインダー２１が３６０度に開いているとき、ミドルカバー１６４２Ａ、ミドルカバー１６４２Ｂと、フロントカバー１０４４及びバックカバー１４４０は、平行な平面を形づくる。フロントカバー１４４０は、フロントカバーの一部１０４４Ａと１０４４Ｂを持つ。バックカバー１４４０は、バックカバーの一部１４４０Ａと１４４０Ｂを持つ。フロントカバーの一部１０４４Ｂとバックカバーの一部１４４０Ｂの厚みは、フロントカバーの一部１０４４Ａとバックカバーの一部１０４４Ａのそれぞれの厚みより薄く、バインダー２１が図２１Ｂに示されたように、３６０度に開いたとき、溝１６５が形づく。溝１６５は、リングホールカバー２６４に適合し、このカバーは、バインダーが３６０に開いたとき、溝１６５の中に折目４８２Ｂを通ってきちんと折り返される。リングボールカバー２６４は、ミドルカバーの一部１６４２Ｃ―１６４２Ｄを持っていて、バインダー２１が図２１Ａに示されたように、閉じられたとき、バインダー２１に表装された本の美的な行き届いた外見を与える。バインダー２１は、バインダー５とバインダー２０に似ている。その中でも、折り返されたミドルカバー１６４２の厚みは、バインダー２１が図２１Ｂのように３６０度に開いたときと同じく、フロントカバー１０４４とバックカバー１４４０の厚さと実際的に同じである。
図２２Ａ−２２Ｂ
図２２Ａ−２０Ｂは発明品の他の実用例であるバインダー２２の下から見た図である。バインダー２２は、カバー２２００とスケルトン５０からなる。カバー２２００は、フロントカバー１０４４及びミドルカバー１７４２とバックカバー１５４０を含む。ミドルカバー１７４２はミドルカバーの一部１７４２Ａ―１７４２Ｄからなる。バインダー２０のリング４６がミドルカバー一部１５４２Ａ―１５４２Ｂから通るのと同じ方法で、バインダー２１のリング４６もミドルカバー一部１６４２Ａ―１６４２Ｂから通る。ルーズリーフ７２がリング４６に束ねられているように、ミドルカバーの一部１７４２Ａ−１７４２Ｂは、リング４６に束ねられている。
【００８６】
バインダー２２が図２２Ａ閉じた状態から、図２２Ｂのように３６０度開かれる際、バインダー２２のフットプリントを縮小するため、フロントカバー１０４４とミドルカバーの一部１７４２Ａは折目５８２Ａのまわりをバックカバー１５４０とミドルカバー１７４２Ｂに接するまで回転する。バインダー２２が３６０度開かれるとき、ミドルカバーの一部１７４２Ａ及び１７４２Ｂと、フロントカバー１０４４と、ライティングサポートパッド１６１及びバックカバー１５４０は平面な外面を創る。ライティングサポートパッド１６１は部分１６１Ａ―１６１Ｂからなる。スパイン５３が書き込み面に盛り上がりを作のを防ぐため、ライティングサポートパッド１６１Ｂの厚みは、１６１Ａのそれより小さい。フロントカバー１０４４は、フロントカバーの一部１０４４Ａと１０４４Ｂからなる。バックカバー１５４０は、バックカバーの一部１５４０Ａ―Ｃからなる。バインダー２２が閉じた状態のとき、スパイン５３を受け入れるため、バックカバーの一部１５４０の厚みは、バックカバーの一部１５４０より小さい。フロントカバーの一部１０４４Ｂとバックカバーの一部１５４０Ｂの厚みは、フロントカバーの一部１０４４Ａとバックカバーの一部１５４０Ａより小さいため、バインダー２２が図２２Ｂのように３６０度に開くとき、溝２６５が創られる。溝２６５は、バインダー２２が３６０度開かれる際、折目５８２Ｂに沿って溝２６５に折りたたまるリングホールカバー３６４を受け入れる。リングホールカバー３６４は、ミドルカバーの一部１７４２Ｃ―１７４２Ｄを持ち、図２２Ａのように、バインダー２２が閉じられている際、バインダーに表装された本の美的な行き届いた外見を与える。
図２３Ａ−２３Ｅ
図２３Ａ−２３Ｅは今回の発明品の他の実用例のバインダー２３の下から見た図である。バインダー２３はスケルトン５５０、薄い尖った１本以上の  留め具６８およびカバー２３００を含んでいる。カバー２３００はフロントカバー１１４４、ミドルカバー１８４２、バックカバー１６４０を含んでいる。ミドルカバー１８４２はミドルカバーの一部１８４２Ａ−１８４２Ｃを持っている。スケルトン５５０はスパイン５５３とリング７４６を含んでいる。
【００８７】
従来のスパイン５５３はリング７４６を同時に開閉するために弧形の交差部分があり、スイッチング要素を持っている。スケルトン５５０は１つ以上の細く尖った  留め具６８によってミドルカバー１８４２Ｂに固定されている。ミドルカバー１８４２Ｂは、スパイン５５３を含むためにミドルカバー１８４２Ａやミドルカバー１８４２Ｃより細くできていて、隙間７１を作っている。スパイン５５３を小さくすることによりバインダー２３が１８０度開いた場合に、隙間７１は平らな書く表面を提供する。ミドルカバー１８４２Ｂはミドルカバー１８４２Ａや１８４２Ｃより細くできている。それによって隙間７１ができていてその中にスパイン５５３を含んでいる。スパイン５５３を少しずつフロントカバー１１４４とバックカバー１６４０の平面に下げながらバインダー２３を１８０度開く。隙間７１は書きやすい表面を提供する。ミドルカバー１８４２Ｂを細くすることによってミドルカバーの一部１８４２Ａと１８４２Ｃよりも柔軟性を持たせることができ、さらに図に示すように小さな回転半径を持つことを可能にする。図２３Ｃから２３Ｅのようにミドルカバー１８４２Ａはミドルカバー１８４２Ｃに対して平らに位置することができる。更に、留め具６８が細く尖っているのはミドルカバー１８４２が折り重なることを妨害しないためである。ミドルカバー１８４２を折り重ねるとカバー２３００の中に一時的にリングに近い端７３を作成する。フロントカバー１１４４と前ルーズリーフ７２Ａを３６０度跳ね返しやすくするため、バックカバー１６４０と後ルーズリーフ７２Ｂを平行に並ばせ、フロントカバー１１４４とバックカバー１６４０を関連させながらスパイン５５０は安定した動きをコントロールすることを目的としている。スパイン５５０がミドルカバー１８４２Ｂに固定されているので、ミドルカバー１８４２Ｂと一緒に回転することはできない。しかし、スパイン５５０はミドルカバー１８４２Ｂの柔軟性によってフロントカバー１１４４とバックカバー１６４０を関連させて回転することができる。図２３Ｃから２３Ｅで示すように、フロントカバー１１４４がバックカバー１６４０の下に３６０度返した時に、スパイン５５０は一定の角度の位置へそれほど偏っておらず、フロントカバーは必要なだけ回転することができ、（前のルーズリーフ７２Ａの数にもよるが）バックカバー１６４０の下に返すことができる。バックカバー１６４０およびミドルカバー１８４２Ａはフロントカバー１１４４とミドルカバー１８４２Ｂの反対に滑ってスパイン５５０の幾つかの必要な回転を確保する。細く尖った  留め具６８はスケルトン５５０のより自由な回転を与えるためにミドルカバー１８４２Ｂに緩く固定されている。平らな書く表面を提供するために、ライティングパッド６１Ａと６１Ｂは、スパイン５５３とミドルカバー１８４２Ａおよび１８４２Ｃの間の割れ目７５Ａ−７５Ｂを覆う。
【００８８】
カバー２３００が３６０度開いた場合、スケルトン５５０のリング７４６が平らに置かれたカバー２３００のリングに近い端７３の近くを回るように、スパイン５５３はミドルカバーの上に回転するように配置される。スパイン５５３がカバー２３００に固定されているため、カバー２３００は回転する軸ではない。しかしながら、バインダー２３が３６０度開くように平らに折り重ねられた場合、柔軟性および中央カバー１８４２の最小回転半径は、スパイン５５３がリング７４６の回転軸の中に配置し、フロントカバー１１４４とバックカバー１６４０をその反対に回転することを可能にする。フロントカバー１１４４、バックカバー１６４０、またリング７４６のすべての部分はスパイン５５３の周りを平らに配置されたカバー２３００が回転するようにスパイン５５３の周りを実際は同じ角度だけ回転する。この場合、フロントカバー１１４４とバックカバー１６４０は、たとえフロントカバー１１４４とバックカバー１６４０がスパイン５５３とは反対の方向に放射状に滑ったとしてもスパイン５５３の周りを同じ角度だけ回りる。
【００８９】
フロントカバー１１４４は、フロントカバーの一部１１４４Ａ−１１４４Ｂとバックカバーの一部１６４０から成る。
【００９０】
図２３Ｂの中で示されるようにフロントカバーの一部１１４４Ｂが細くなっているのはフロントカバーの一部１１４４Ａの折り重なりをミドルカバー１８４２とバックカバー１６４０の下にさせるためである。同様に、バックカバーの一部１６４０Ｂが細くなっているのはバックカバーの一部１６４０Ａの折り重なりをミドルカバー１８４２とフロントカバー１１４４の下にさせるためである。
【００９１】
バインダー２３は折り重ねられたミドルカバー１８４２の厚さとフロントカバー１１４４とバックカバー１６４０の厚さの合計がほぼ同じです。これは、バインダーが図２３Ｃ−２３Ｅのように３６０度開いたときに見られる。そういったところがバインダー２３とバインダー５が似ている。さらに、バインダー２３が３６０度に開いてスパイン５５３がルーズリーフ７２Ａとルーズリーフ７２Ｂの間にあるとき、スパイン５５３のＬＳＣＰＬの厚さとフロントカバー１１４４とバックカバー１６４０の合計の厚さはほぼ同じか少し小さめです。それによっての、スパイン５５３による盛り上がりはほとんどゼロに等しくなる。一番大きなリング７４６の直径は、スパイン５５３のＬＳＣＰＬの直径よりはるかに大きい。
【００９２】
バインダー２３の多くの複雑な  断片についての詳細は前に記述してあり。バインダー２３が３６０度に開かれたとき、フロントカバー１１４４と前ルーズリーフ７２Ａをバックカバー１６４０と後ルーズリーフ７２Ｂに平行に並べる。図２３Ｃ−２３Ｅで示されるようにバインダー２３が閉じた位置から３６０度に開かれたときに、ミドルカバー１８４２Ｂをフロントカバー１１４４およびミドルカバー１８４２Ａとバックカバー１６４０およびミドルカバー１８４２Ｃがしっかりと接するまで回転する。バインダー２３が３６０度開いた場合、カバー１８４２Ａ、ミドルカバー１８４２Ｃ、フロントカバー１１４４Ａ、バックカバー１６４０Ａを平行に並べた平面の表面は同じ厚さです。
【００９３】
部分的に楕円になっているリング７４６の最大径は、スパイン５５３のＬＳＣＰＬとリングの切取られた最小径の合計より大きいか同じです。これによってリング７４６のルーズリーフのキャパシティーはバインダー２３が通常の１８０度に開いた場合と３６０度以上開いた場合のキャパシティーより大きいか等しくする。
図２４Ａ−２４Ｃ
図２４Ａ−２４Ｃは今回の発明品の他の実用例バインダー２４の下から見た図である。
【００９４】
バインダー２４はスケルトン５５０、１個以上の丸  留め具６９およびカバー２４００を含んでいる。カバー２４００はフロントカバー１１４４、ミドルカバー１９４２、バックカバー１６４０を含んでいる。図２３Ａ−２３Ｅで示すように、バインダー２４はバインダー２３と同じ様にスケルトン５５０、フロントカバー１１４４、バックカバー１６４０を含んでいる。しかしバインダー２３のミドルカバー１８４２と細く尖った  留め具６８の代わりにバインダー２４は別のミドルカバー１９４２と丸  留め具６９を作っている。スケルトン５５０は丸  留め具６９によってミドルカバー１９４２に固定される。ミドルカバー１９４２はミドルカバーの一部１９４２Ａ−１９４２Ｃを含んでいる。ミドルカバー１８４２Ｂと同じように、ミドルカバー１９４２Ｂは細くなっていて、ミドルカバー１９４２Ａおよび１９４２Ｃにつながっている。しかし、バインダー２４のミドルカバー１９４２Ｂは、バインダー２３のミドルカバー１８４２Ｂより長くより薄い、丸  留め具６９を細く尖った  留め具６８と同じようにミドルカバー１９４２Ｂに含ませることができる。なぜならミドルカバー１９４２Ｂは薄く曲がりやすいため、ミドルカバー１９４２Ｂは丸  留め具６９に必要かつ十分なスペースを与え、細く尖った  留め具６８と同様にミドルカバーの一部１９４２Ａと１９４２Ｃの間に  盛り上がりを引き起こすことを防ぐ。さらにバインダー２４は繰り返し使われた場合でも丸  留め具６９は尖った部分でミドルカバー１９４２Ｂやミドルカバー１９４２を切ったり、傷つけたりしないように作られている。平らな書きやすい表面を提供するために、ライティングパッド６１Ａと６１Ｂはスパイン５５３とミドルカバー１９４２Ａと１９４２Ｃの間にできる小さな割れ目１７５Ａ−１７５Ｂをそれぞれを覆っている。
図２５Ａ−２５Ｂ
図２５Ａ−２５Ｂは今回の発明品の他の実用例バインダー２５の下から見た図である。      
【００９５】
バインダー２５はスケルトン５５０、１個以上の丸  留め具６９およびカバー２５００を含んでいる。図２３Ａ−２３Ｅで示されるようにバインダー２５は、バインダー２３と同じスケルトン５５０を持っている。バックカバー１７４０は１７４０Ａ−１７４０Ｄを持っている。スケルトン５５０は丸  留め具６９によってバックカバー１７４０に固定されている。フロントカバー４４と１つ以上の前ルーズリーフ７２Ａを３６０度返しやすくするためにバックカバー１７４０と後ルーズリーフ７２Ｂを平行に並べて倒し、スケルトン５５０はフロントカバー４４とバックカバー１７４０が安定して一緒に回るように動きをコントロールしなければならない。スケルトン５５０がバックカバー１７４０Ｄを支えるために固定されるので、後部カバー１７４０Ｄと関連して自由に回転することはできない。
しかし、スケルトン５５０はフロントカバー４４とバックカバーの一部１７４０はほとんど一緒に１７４０Ｄと１７４０Ｃの間の蝶番７６によって回転する。したがって、リング７４６は、バックカバー１７４０Ｃのリングに近い端の周りを回転する。図２５Ｂの中で示されるように、スケルトン５５０はフロントカバー４４がバックカバー１７４０の下に３６０度返されたとき、一定の角度の偏りは強くない。スケルトン５５０は前ルーズリーフ７２Ａの数によりバックカバー１７４０の下に返るように必要なだけ回転する。
【００９６】
スパイン５５３は、大きなバックカバー１７４０Ａとリング４６の反対方向に回転する軸で配置される。ミドルカバー２０４２は、ミドルカバー２０４２Ａ−２０４２Ｂを持っており、ミドルカバー２０４２は蝶番７６から分かれたときにバックカバー１７４０の広い側に付けられ、フロントカバー４４と前ルーズリーフ７２Ａはバックカバー１７４０Ａ−１７４０Ｃの下に返ったとき、スケルトン５５０の回転でミドルカバー２０４２と緩衝しないように蝶番７６は分けられる。
【００９７】
バックカバー１７４０Ｃ−１７４０Ｄは細くなっていて、バインダー２５が１８０度開いてスパイン５５３をバックカバー１７４０Ａの平面の中に部分的に下げられた時、バックカバー１７４０Ａとつながって平らな書く表面を提供することを助ける。バックカバー１７４０Ｂはバックカバー１７４０Ｃとバックカバー１７４０Ａを結び付ける小さなＶ字形の断片です。図２５Ｂに示すように、平らな書く表面を提供するために、ライティングパッド６１Ａおよび６１Ｂはスパイン５５３とバックカバー１７４０Ａの間の小さな割れ目２７５Ａ−２７５Ｂを覆う。バインダー２５が閉じた位置にある場合、リベット溝７０は丸  留め具６９を含んでいる。
【００９８】
バインダー２５はこの発明の他のパーツの形に似ている。似ているところはスパイン５５３のＬＳＣＰＬの厚さと、バインダー２５が３６０度開いていて、スパイン５５３が前のルーズリーフ７２Ａと後のルーズリーフ７２Ｂの間にあるとき、フロントカバー４４とバックカバー１７４０Ａの合計した厚さは小さいか同じです。それはスパイン５５３によってできたいろんな潜在的な  盛り上がりを最小限にするかなくする。。
バインダー２５はスケルトン５５０の回転を緩衝することを回避するためにミドルカバー２０４２はバックカバー１７４０に接しているところ点でバインダー１に似ている。
図２６Ａ−２６Ｃ
図２６Ａ  −２６Ｃはスケルトン１５０のもう一つの提起された実用例の、この発明のそのシンクロナイズド・スイッチエレメント１５１の詳細な断面部分の釣り合いの取れた底、および正面図である。これらは、スケルトン１５０、シンクロナイズド・スイッチエレメント１５１の第一、および第２の結合要素になる持ケーブル３４、およびチューブ１５４、の実用例である。リング１４６にはＢ１４６Ａ  から１４６Ｃのリングの断片がある。リングの断片  １４６Ａと１４６Ｂは、ウエルドか、ブレーズ、または、その他の適切な方法で取り付けられている。リングの断片１４６Ｂは中が空洞でそのコンジット３３はその一端でレッジまたはストップ１３２で締め付けられている。コンジット３３はスプリング１３１を収納し、リング・の断片１４６Ｃの一部分を受けいれる。ストップ１３２は、スケルトン１５０の開閉時共に、リングの断片１４６Ｃにたえず活発な勢力を出すスプリング１３１の一端を支える。
【００９９】
図２６Ｂに示されている閉ざされているポジションで、リングの断片１４６Ｃはリングの断片１４６Ａに押さえ込まれている。リングの断片１４６Ｃは、押さえ込まれているにもかかわらず、リングの断片１４６Ｃと同じ湾曲を持っている１４６Ｂに滑り込む能力がある。リングの断片１４６Ｃの一端は、スロットか、あるいは針目３０であることを明瞭にしている。ケーブル３４はの輪３５で終結する三つのブランチトランクの断片３４Ａで構成される。  スケルトン１５０の三つのリングの断片１４６Ｂのそれぞれのコンジット３３、スプリング１３１、そしてストップ１３２はケーブル３４のブランチの断片３４Ｂの一つで糸を通されている。それぞれのリング・の断片１４６Ｃは、チェーンリンクと、そのニードルアイ３０とそれに対応するの輪３５との間のチェーンリンクでケーブル３４に、取付けられている。
【０１００】
図２６Ｃはケーブル３４のタンクエンドが８を持っていの輪ル−ロックノブ３に付着していることを示す。プルロック３８またスプリング３６にもくっついている。２６Ａ  −２６Ｃの図は円形になるべきリング１４６である。しかしながら、リングの断片１４６Ｂと１４６Ｃの部分が、リングの断片１４６Ｃへ引っ込ませることを可能にする同じ曲線を持つ限り、他のリングの形は可能だ。
【０１０１】
スケルトン１５０を開くため、プルロック３８のノブ３８Ａは、スプリング３６がスロット３７の中にしまい込むまでのスプリング１３１の抵抗に反して、チューブ１５４から引っ張られている。その間に、プル−ロック３８は、３個のリングの断片１４６Ｃをすべての３個のリング１４６を同時にロック・オープンするために、３個のリングの断片１４６Ｂの中に納めるケーブル３４を引っ張る。
【０１０２】
スケルトン１５０を閉じるために、スプリング３６は押い込められる。リングの断片１４６Ｃと、リングの断片１４６Ｂが、リングの断片１４６Ａを打っていくようになるまで、リングの断片１４６Ｃをリングの断片１４６Ｂの外まで拡張もするスプリング１３１によって、それ自身の閉ざされたポジションに引きずられるケーブルを解除するスプリング１３１の圧縮装填ため、リング１４６は閉じたままである。
図２７Ａ  −２７Ｂ
図２７Ａ  −２７Ｂは、この発明のバインダーのスケルトン２５０のさらに進んだ、スケルトン２５０のシンクロナイズド  スイッチエレメント２５１を表す詳細な断面部分の展望、実用例図である。リングの断片４６Ａはロッド２５２にウエルドか、蝋づけ、または、その他の適切な方法で取り付けられている。同様に、リングの断片４６Ｂは  チューブ２５４に取り付けられている。ロッド２５２がチューブ２５４の内部に組立てられているとき、ヅペースドリングの断片４６Ａは、同様にスペースドチューブ２５４のスロット５５を通って、はみ出る。
【０１０３】
リングの断片４６Ｂと関連してリングの断片４６Ａを開いたり閉じたりするわずかな角度の中で、チューブ２５４はロッド２５２の周りを回転する。円筒形のフランジ７７は、チューブ２５４の縦の主軸と完全に一致した、ロッド２５２の縦の主軸を維持する。
【０１０４】
シンクロナイズド・スイッチ・エレメント２５１には、スケルトン２５０が開いているか、または閉ざされているときに、ねじれてロードされ、そしていつもリングの断片のオープニングに抵抗している９７がリング・の断片４６Ｂに関するリング・の断片４６Ａの始まりに常に抵抗するスプリング９７が含まれる。チューブ２５４に取り付けられている、ロッド２５２の部分としての完全な形であるキャッチ９８Ａがねじれたスプリング９７のもう一方の腕を敷いている間ロッド２５２に取り付けられている、ロッド２５２の部分としての完全な形であるキャッチ９８Ａはねじれたスプリング９７の片腕を強制するレッジ２７Ａは  レッジ２７Ｂがチューブ２５４から拡張している間、ロッド２５２から拡張する。レッジ２７Ａとレッジ２７Ｂは共に、ロッド２５２の周りを回転するだけでなく、縦にすべることができるウェッジ２６と接触している。ウェッジ２６は、プッシュロッド７６とねじれたスプリング９７を通して、レッジ２７Ａとレッジ２７Ｂの両方と接触を保たてれる。
【０１０５】
プッシュ・ロッド７６とプッシュ・ボタン３９はボール・ポイントを拡張して、引っ込ませるための、二つの状態のメカニカル・スイッチ共有のボールペンの反対の両端にある。ボールペンで、この２つの状態のメカニカル・スイッチは、圧縮スプリングのたえまない抵抗に依存するスケルトン２５０で、たえまない抵抗は、２６をくさびで割るために、連鎖（ロッド２５２、およびレッジ２７Ａと２７Ｂ  ）経由でねじれたスプリング９７によって供給される。
【０１０６】
ロッド７６が図で示されているように、引っ込められたポジションにあるときに、２７Ａ、プッシュボタン３９は上にあり、そして、リングは閉じられている。
【０１０７】
プッシュボタン３９が下に押さえつけるかまたはクリックされるときは、プッシュ・ロッド７６は、その拡張されたポジションへ押されてロックされる。プッシュロッド７６が拡張されるので、それはリングの断片４６Ｂに関連して、リングの断片４６Ａを開く原因になるチューブ２５４に呼応して、順番にロッド２５２を回転するように仕向けるレッジ２７Ｂから分かれた、角のあるレッジ２７Ａウェッジ２６を押える。ロッド７６がその場所にロックされてるので、図２７Ｂに示されるように、リングの断片４６Ａは、リングの断片４６Ｂに関連して、ロックされたオープンの状態に留まる。プッシュボタン３９が一秒間押されたら、それはプッシュロッド７６をその拡張されたポジションから、ねじれたスプリング９７を、図２７Ａにし示されているように、リングの断片４６Ａとリングの断片４６Ｂをレッジ２７Ａとレッジ２７Ｂと同じように閉じるための、ロッド２５２とチューブ２５４に従うようにさせながら、開錠する。レッジ２７Ａとレッジ２７Ｂは閉じているので、それらは、ウェッジ２６とプッシュロッド７６に、それぞれ、それらの閉じて引っ込んだポジッションに追いやり、そして、プッシュロッド７６はプッシュボタン３９を、それの本来の場所に押しやる。スケルトン２５１の一端に配列されたシンクロナイズド・スイッチ・エレメント２５０の構成部分を図２７Ａと２７Ｂは示しているが、シンクロナイズド・スイッチエレメント２５１の鏡に映った像に一致する構成要素は、より安定した作動を証明するためスケルト２５０の反対の端に配置されても差し支えない。
図２８Ａ  −２８Ｂ
図２８Ａ−２８Ｂはこの発明のバインダーのスケルトン３５０のもう一つの提起された、スケルトン３５０のシンクロナイズド・スイッチエレメント３５１を表す詳細な断面部分の展望、実用例図である。リングの断片４６Ａはウエルドかロウ付けまたはそれに準ずる適切な方法でチューブ３５２に取り付けられている。同様にリングの断片４６Ｂはチューブ３５４に取り付けられている。ロッド３５２がチューブ３５４の内部に組立てられているとき、ヅペースドリングの断片４６Ａは、同様にチューブ３５４のスロット５５を通って、突き出る。リングの断片４６Ｂと関連してリングの断片４６Ａを開いたり閉じたりするわずかな角度の中で、チューブ３５４はロッド３５２の周りを回転する。シンクロナイズド・スイッチ・エレメント３５１には、スケルトン３５０が開いているか、または閉ざされているときに、ねじれてロードされ、そしていつもリングの断片のオープニングに抵抗している９７がリング・の断片４６Ｂに関するリング・の断片４６Ａの始まりに常に抵抗するスプリング９７が含まれる。チューブ３５４に取り付けられている、ロッド３５４の部分としての完全な形であるキャッチ９８Ｂがねじれたスプリング９７のもう一方の腕をしいている間ロッド３５２に取り付けられている、ロッド３５２の部分としての完全な形であるキャッチ９８Ａは、ねじれたスプリングの片腕をしいる。ストップ３２は、管３５４の内側のウォールから突き出す。ロッド３５２の周りをゆるくらせん状に上昇するスプリング３１はストップ３２とプッシュボタン１３９の間で圧縮される。スプリング３１は、スケルトン３５０がオープン状状態より少ないにもかかわらず、いつも、一定量の圧縮積荷がある。円筒形の空洞状のプッシュボタン１３９は軸鞘のように、限られた距離をロッド３５２に沿って縦にスライドすることができる。プッシュボタン１３９の内壁から、ロッド３２の溝、グローブ９４の中に突き出すているツース９３は、プッシュボタン１３９にロッド３５２と同調して回転するように強制する。ポール９５は、プッシュボタン１３９の外壁から突き出す、レッジ９６の限られた軌道に沿ってスライドする。ポール９５は、プッシュボタン１３９の縦状に回転する動作をを強制する。レッジ９６はチューブ３５４の内壁から突き出す。ストップ３２は、チューブ３５４の縦の軸と完全に一致したチューブ３５２の縦の軸を維持するためのフランジの役をつとめる。
【０１０８】
スケルトン３５０を開くために、リングの断片４６Ａとリングの断片４６Ｂは引き離されます。この動作は、ロッド３５２にチューブ３５３に呼応した回転を引き起こし、ねじれたスプリング９７に抵抗される。ロッド３５２にチューブ３５３に呼応した回転を引き起こし、それゆえ、プッシュボタン１３９は、グローブ９４の内のそのツース９３のせいで、同時に回転するよう強制されるが、プッシュボタン１３９は、ポール９５に従うレッジ９６のらせん状の部分により、ロッド３５２の方向に縦に押されもする。プッシュボタン１３９のロッド３５２の方向への動きは、プッシュボタン１３９とストップ３２の間でのスプリング３１の圧縮を引き起こす。ロッド３５２がポール９５に回転することを強いるのでポール９５は、レッジ９６のツース９６Ｃにさっと触れ、スロット９６Ａを追い出し、図２８Ｂに示されているように、スケルトン３５０のオープン位置に一致する拡張された状態でのロッキングプッシュボタン１３９に関して、ポール９５はスプリング３１によってスロット９６Ｂの中に押しやられる。ポール９５がスロット９６Ｂに配置されるとき、ポール９５がレッジ９６のツー巣９６Ｃにより、後ろに回転することを阻まれるから、ユーザーはリング４８を解除することができる。それゆえ、ポール９５はトージョンスプリング９７のねじれた引けの力に抵抗することができる。
【０１０９】
スケルトン３５０を閉じるには、プッシュボタン１３９は、スプリング３１の抵抗に反して、ロッド３５２の方へ押される。この動きは、ポール９５がスロット９６Ｂの外へ移動する原因になり、トージョンスプリング９７に、スケルトン３５０のリング４６を閉じる役を務めることを可能にするスプリング３１によって、ポール９５が、それから、スロット９５の中へ押しやられている場所、レッジ９６のツース９６Ｃの方へスライドする原因となる。トージョンスプリング９７は、リングの断片４６Ｂに対して、リングの断片４６Ａが閉じられるまで、ロッド３５２がチューブ３５４に呼応して、回転することを引き起こすキャッチ９８Ｂに、呼応して、キャッチ９８Ａを捻じ曲げる。にもかかわらず、図２８Ａと図２８Ｂには、シンクロナイズド・スイッチイング  エレメント３５１の反射画像の構成要素に一致する、スケルトン３５０の一端に配置されたシンクロナイズド  スイッチイング  エレメント３５１の幾つかの構成要素が、より安定した作動のために、スケルトン３５０の反対の端に配置されても、差し支えないことが示されている。ノブ３８Ａ、ぼったん３９、そしてボタン１３９の作動体に接触させておくカバーに、少しの変更を行うことで、でこの発明のスケルトン５０と結合する各々の展望実例で、スケルトン１５０、２５０および３５０の実例は、スケルトン５０の実例で使用できる。この修正とは、この発明のバインダーの、それぞれの実用例のカバーの上下の端に、たた、スロットを一つ開けるだけのことである。
図２９Ａ  −２９Ｃ
図２９Ａ  −２９Ｂはこの発明のバインダーのスケルトン４５０の実例展開図と側面図である。図２９Ｃはロッド４５２の横断面図である。スケルトン４５０は３個のリング２４６とロッド４５２で構成される。図２９Ｃは、リング２４６は、その両端でタブ４７とスロット４８のそれぞれを手意義付けるリングの断片２４６Ａとリングの断片２４６Ｂで構成されていることを示す。また、ノブ４９Ａとノブ４９Ｂは、それぞれ、リングの断片２４６Ａと２４６Ｂから突き出る。リングの断片２４６Ａには、タブ４７を差し込むことができる小さな空洞の自由な一端がある。スケルトン４５０により定義づけられたホール５７を貫いて、差し込まれたリングの断片２４６Ａにより、スケルトン４５０は  組み立てられ、そして、ホール５７の形をしたライトーバルブを通って、ノブ４９Ｂはだめで、４９Ａだけが通ることが出来るよう、リング２４５を滑らせる。図２９Ａに示されるように、ロッド４５２に関連して、リング２４６をまっすぐに立たせるためのホール５７の範囲内に配置されたリング２４６の部分のまわりを  それぞれのリング２４６は回転する。
【０１１０】
リング２４６のそれぞれは個々に開くか、閉じるかする。リング２４６を開くために、タブ４７はスロット４８に呼応して押し下げられ、タブ４７をスロット４８から解き放つために、リングの断片２４６Ａの空洞な先端から引っ張り出す。リング２４６の本体は、図２９Ｂに示されているように、その開かれている部分で、押え付けられている緊張のないスプリングの役目を果たす。リング２４６を閉じるため、リングの断片２４８Ｂのタブ４７をスロット４８の中に入れるよう力が用いられる。そして、リング２４６が閉まっている位置のときに存在するリング２４６のスプリングローディングによって、その点で、閉じ込められる。この発明のバインダーの多くの実例のフロントカバーは、往々にしてスケルトンのリングに載っているので、スケルトン４５０に対してのリング２４６の頭部の回転は、バインダーが閉じられている時、バインダーを極小化することを助ける。
図３０Ａ―３０Ｆ
図３０Ａは、この発明のリングコンポーネント３４６の底部の展開見取り図であり、３０Ｂ−３０Ｆは、バインダー１の底部の展開図である。リング４６の位置のリング３４６とを合体させたスケルトン５０の図１Ａ−１Ｌに示されている。図３０Ｂ  −３０Ｆ  バックカバー４０の後ろに折り返された前面のルーズリーフ７２Ａの数が変化することによって異なる位置の図である。の変化する数の異なった位置がいる。
【０１１１】
リングの断片３４６Ａ−３４６Ｂとリングの断片３４６Ａ−３４６Ｂが交差するスパイン５３の一部でリング３４６はできている。リングの断片３４６Ａにはリングの断片４６Ｐ  −３４６Ｑがあり、およびリング、の断片３４６Ｂには、リングの断片３４６Ｒ  −３４６Ｓがある。リング３４６の形は、長円と、およびその主要な軸と平行する弦Ｐ１０１からなっている、切り取った楕円である。リングの断片３４６Ｑと３４６Ｓは、コードＰ１０１と符合する。楕円の副軸は主軸の片方でコードＰ１０１を二分し、主軸の反対側でスパイン５３を二分する。
【０１１２】
ディスタンスＡ１は、リング３４６が図３０Ａと３０Ｂにし示されているように、真っ直ぐ立っているときの、バックカバーの内側の表面から、ポイントＱ１へと測られた、アップライトリングのルーズリーフの収容力である。リング３４６が真っ直ぐに立っているとき、リングの断片３４６Ｑと３４６Ｓはバックカバーに対して平行である。ディスタンスＥ１は、図３０Ａに示されているように、リング３４６の切り取られた楕円の内側の主軸の長さである。図３０Ｃ  −３０Ｆは、図３０Ｂにあるようにリング３４６が直立のとき、前のルーズリーフ７２Ａがバックカバー４０の下に３６０度の角度で折り込まれているときのバックカバー４０とフロントカバー４４が占める、リングの位置の付加的な内部の図である。バックカバー４０とフロントカバー４４によって占められる位置は、図３０Ｄに示されるように測られる。ディスタンス（Ｂ１＋Ｃ１）は、図３０Ｄに示されているように、スパイン５３が９０度になるよう回転されているとき、リングのルーズリーフ収容力を測る。
【０１１３】
図３０Ｂ−３０Ｆのカバー１００は、むしろ、カバー１００が１８０度に開かれていてリング３４６が実質上、直立しているとき、ルーズリーフを装填されたり、はずされたりする。それゆえに、ユーザーはリングをリングの断片３４６Ｑと３４６Ｓの下部の面に満たすだろうから、直立しているリング３４６の高さは、リング３４６の収容能力を決定する。バインダーの便利な作動のためには、直立リングのルーズリーフの収容能力が、図３０Ｃ−３０Ｆにあるように、スパイン５３が、他の部分に回転させられているときの収容能力よりも少ないか等しいことが望ましい。リング３４６が直立のとき、スパイね５３とリング３４６が直立のところから９０度回転しているときより少ないか、同じだけのルーズリーフ収容能力を持つことを可能にするためには、以下の方程式を、満たさなくてはならない。
Ａ１＝  ＜  Ｂ１＋  Ｃ１      方程式１
図３０Ｄから、主軸ディスタンスＥ１は、ディスタンスＢ１、Ｃ１、およびＤ１の合計に等しい。
Ｅ１＝  Ｂ１＋  Ｃ１＋  Ｄ１    方程式２
方程式１に方程式２を置き換えて、再編成条件が発生する：
Ｅ１  ＞＝  Ａ１  ＋  Ｄ１
ディスタンスＤ１によって測られるように、バックおよびフロントのカバーの一定の厚さのために、および一定の直立しているリングのルーズリーフの能力Ａ１のため、リング３４６の主軸  Ｅ１の長さを計算することができる。そして、直立位置の時リング３４６のルーズリーフ収容能力は、スパイ根５３とルーズリーフリング３４６が直立から９０度回転しているときのリング３４６ルーズリーフ式の収容力がの収容能力より大きくなるか、等しい。より厳格に、弦Ｐ１Ｑ１は、図３０Ｂ−３０Ｆのイラストにあるように、スパインの回転の範囲のためのリング３４６の、ルーズリーフ収容能力より少ないか等しいポジションで、リング３４６の長円のカーブをカットすることができる。Ｅ１の望ましい長さは、そのこのより厳しい制約を満足させる最大値だ。
【０１１４】
スパイン５３は回転し始め、リングプロングは、バインダー１のバックカバー４０の平面に加わるので、完全に、楕円のリングが、すぐに、ルーズリーフ収納能力において減少する。カットオフ楕円状リング３４６は、この問題を共有しない。なぜなら、ポイントＱ１がまさにスパイン５３の上になるまで、スパイン５３が直立の位置から時計の針の反対廻りで回転するので、リング３４６のアップライトリング能力を決定するポイントＱ１はバックカバー４０からより遠くへ拡張するからである。
図３１Ａ  −３１Ｆ
図３１Ａは、この発明、リングコンポーネント４４６の、もう一つの望ましい具体例の底から見た面の図だ。そして、図３１Ｂ  −３１Ｆは、バインダー１の底から見他図だ。リング４６の置かれた場所でリング４４６と一体化したスケルトン５０とともに１Ａ−１Ｌの図に示されている。図３１Ｂ  −３１Ｆは、バックカバー４０の下に巻き込まれた上のルーズリーフ７２Ａの数の、変化するままに異なる位置でのリング４４６の図である。リング４４６は、スパイン５３の、の断片４４６Ａと４４６Ｂによって交差される部分とリングの断片４４６Ａと４４６Ｂとで構成される。リングの断片４４６にＡは、リングの断片４４６Ｐから４４６Ｒがあり、４４６Ｂは４４６Ｓから４４６Ｕがある。リング４４６の形は切断された楕円で、リング４４６の楕円曲線の主軸に平行なコードリングの断片４４６Ｐが追加された、リング３４６に似ている。図３１Ａから３１Ｆのバインダーが１８０度の角度に開かれるとき、ミドルカバー４２は、リング４４６を直立するように駆り立てるために、フラットリングの断片４４６Ｐと４４６Ｓを押し付ける。
図３２Ａ−３２Ｆ
図３２Ａはこの発明のリングコンポーネント５４６の下から見た構成図で、図３２Ｂから３２Ｆは、図１Ａから１Ｌに示されている、リング４６の代わりに設置されているリング５４６と合体したバインダー１の、バインダーの下部から見た図である。図３２Ｂから３２Ｆは、バックカバー４０の下に巻き込まれている前方のスーズリーフ紙７２Ａの量の変化に応じたリング５４６のそれぞれの異なった位置が表されている。リン５４６は、の断片５４６Ａと５４６Ｂによって交差されるスパイン５３の部分とリングの断片５４６Ａと５４６Ｂとで構成される。
【０１１５】
リングの断片５４６Ａには、リングの断片５４６Ｐから５４６Ｒがあり、５４６Ｂは５４６Ｓから５４６Ｕがある。殆どのエプティカル（楕円状の）リングの断片５４６Ｐと５４６Ｓストレート（直線状の）リングの断片５４６Ｑと５４６Ｔにそれぞれに結合されている。ストレートリングの断片５４６Ｑと５４６Ｔは、リング５４６を完成するために、ストレートリングの断片５４６Ｒと５４６Ｕによって埋められている。ストレートリングの断片５４６Ｑ、５４６Ｒ、５４６Ｕ、５４６Ｔはマルチラインプリメーターの断片を構成する。リング５４６の楕円の一部の主軸でストレートリングの断片５４６Ｑと５４６Ｔがつくる二つの角は任意でない。ストレートリングの断片５４６Ｑと５４６Ｔは、それぞれ、ラインＸ１とＹ１に、意図的に平行につくられる。ラインＸ１は、リングの断片５４６Ｓとスパイン５３のタンジェントラインで、ラインＹ１は、リングの断片５４６Ｐとスパイン５３のタンジェントラインである。リング５４６が直立の姿勢にあるとき、ラインＸ１は、バックカバー４０の外側の面４０Ｘの水平面であり、リングの断片５４６Ｑは、図３２Ｂに示されるように、平行である。バックカバー４０の内側の面４０から、リングの断片５４６Ｑの下側の面までを測ったディスタンス（距離）Ａ２は、リング５４６の直立ルーズリーフの収容能力である。リング５４６のアップライト（直立）ルーズリーフの収容能力は、図３２Ｂ−３２Ｆに図解されてる、スパインの回転の範囲のための、リング５４６のルーズリーフの収納能力に比べて、少ないか、または等しいというように、リング５４６は、リング３４６に類似して、高いというよりもより広い。図３２Ｂから３２Ｆに示されているようにリング５４６は、リング３４６が、図３０Ｂから３０Ｆで回転するよりも、より小さい角度の中で回転する。カバー１００が２８０度の角度で開かれて、リング５４６が実質上直立しているとき、カバー１００は、図３２Ｂから３２Ｆのように、ルーズリーフとともに装填されたり、はずされたりする。
図３３Ａ−３３Ｆ
図３３Ａはこの発明のリングコンポーネント６４６を下から見た具体図である。３３Ｂから３３Ｆは、リング４６の位置で、リング６４６と合体させたスケルトン５０の図、１Ａ―１Ｌに示されているバインダー１の下部の展開図である。３３Ｂ〜３３Ｆは、１Ａ〜１Ｌにあるように、リング４６の位置で、バインダー１のスケルトン５０がリング６４６と合体しているバインダー１の下部の図である。図３３Ｂから３３Ｆは、バックカバー４０の下に巻き込まれている前方のスーズリーフ紙７２Ａの量の変化に応じたリング５４６のそれぞれの異なった位置が表されている。リング６４６はリング５４６に非常に似通っているが、リング５４６よりも、直線の部分が少なく、一部は環状である。
【０１１６】
リング６４６は、の断片６４６Ａと６４６Ｂによって交差されるスパイン５３の部分とリングの断片６４６Ａと６４６Ｂとで構成される。  リングの断片６４６には、リングの断片６４６Ｐから６４６Ｒがあり、６４６Ｂは６４６Ｓから６４６Ｕがある。殆どのサーキュラー（環状の）リングの断片６４６Ｐと５４６Ｒは、ストレート（直線状の）リングの断片６４６Ｑと５４６Ｓに、それぞれに結合されている。
【０１１７】
ストレートリングの断片６４６Ｑと６４６Ｓは、ラインＸ２とＹ２にそれぞれ、平行であり、マルチラインペリメーターの断片を構成する。
【０１１８】
ラインＸ２は、リングの断片６４６Ｓとスパイン５３のタンジェントラインで、ラインＹ２は、リングの断片６４６Ｐとスパイン５３のタンジェントラインである。リング６４６が直立の姿勢にあるとき、ラインＸ２は、バックカバー４０の外側の面４０Ｘの水平面であり、リングの断片６４６Ｑは、図３３Ｂに示されるように、平行である。バックカバー４０の内側の面４０Ｎから、リングの断片６４６Ｑの下側の面までを測ったディスタンス（距離）Ａ３は、リング６４６の直立ルーズリーフの収容能力である。リング６４６のアップライト（直立）ルーズリーフの収容能力は、図３３Ｂ−３３Ｆに図解されてる、スパインの回転の範囲のための、リング６４６のルーズリーフの収納能力に比べて、少ないか、または等しいというように、リング６４６は、リング３４６に類似して、高いというよりもより広い。図３３Ｂから３３Ｆに示されているようにリング６４６は、リング３４６が、図３０Ｂから３０Ｆで回転するよりも、より小さい角度の中で回転する。カバー１００が２８０度の角度で開かれて、リング６４６が実質上直立しているとき、カバー１００は、図３３Ｂから３３Ｆのように、ルーズリーフとともに装填されたり、はずされたりする。
図３４
図３４はこの発明のリングコンポーネント７４６を下から見た具体図である。リング７４６はスパイン５５３とスパイン５３の位置で一体化している以外は、リング３４６と非常に似通っている。リング７４６は、リングの断片７４６Ａ−７４６Ｂと、リングの断片７４６Ａと７４６Ｂで一体化し手いるスパイン５５３の一部とで構成される。リングの断片７４６Ａと７４６Ｂは形と機能において、図３０Ａ−３０Ｆのリングの断片３４６Ａと３４６Ｂに、厳密に一致する。スケルトンが、カバーにファスナーかリベットで固定されている図２３Ａ−２５Ｂにあるように、リング７４６はバインダー２３−２５に組み込まれている。
図３５
図３５はこの発明のリングコンポーネント８４６を下から見た具体図である。リング８４６はスパイン５５３とスパイン５５の位置で一体化している以外は、リング５４６と非常に似通っている。リング８４６は、リングの断片８４６Ａ−８４６Ｂと、リングの断片８４６Ａと８４６Ｂで一体化し手いるスパイン５５３の一部とで構成される。リングの断片８４６Ａと８４６Ｂは形と機能において、図３２Ａ−３２Ｆのリングの断片５４６Ａと５４６Ｂに、厳密に一致する。スケルトンがバックカバー１４７０Ｄにリベットで固定されている図２５Ａ−２５Ｂのように、リング８４６はバインダー２５に組み込まれることが可能である。
【０１１９】
この発明は、ルーズリーフのその他の評判の共通な長所を犠牲意にすることなく、使用中、フットプリントを最小限にするのである。このバインダーは，最小のフットプリントの能力と、平らな書く表面と、そして、作動を通して、すべてのリングの同時に開閉する能力を提供する。
【０１２０】
上記の私の記述には多くの特殊性が含まれているとしても、それらが、発明の範囲での限定と解釈されるべきではない。むしろ、それの幾つかの選ばれた具体化の例証である。その他、多くのバリエーションも可能である。例えば、ＳＯＣＲＡのスケルトンを使用して具体化された２５のすべてのバインダーが、それの替わりに、独立した開閉可能なリングのあるスケルトンを使うことができる。スパイン５３を含むコンジットのあるカバーの具体化は、スパインによって接続されていないリングと接合されることができる。たとえば、スケルトン４５０は、そのリングを切断することで、３個のの断片に切り分けることができた。そして、その後、各々のの断片は  それらが単一化されているときと同じように、コンジット５６の端から端までに位置した。その他のスパインの無い具体化も、スケルトン５０を排除し、これらのバインダーのリング４６の位置につながりの無い、独立開閉可能なリングを挿入することで、バインダー１３、１４、２０から、用事に創り出すことができる。バインダーカバーに一致する数のホールを追加することにより、リングがより多いスケルトンも代わりをすることが可能である。ここに発表されているのとは異なるシンクロナイズド・スイッチ・エレメントでも多分代用しても差し支えないであろう。さらに、連続的にすべてのリングを開閉するシークエンシャルスイッチエレメントは、すべてのリングを同時に開閉させるシンクロナイズドスイッチエレメントいん、取って代わることが出来る。ライティングサポートパッドが含まれている時は特に、マージンサポートは、除くことが可能である。バインダー１のミドルカバーを除去し、より広い、アンの断片フレキシブルフロントカバーを、シーム６６の位置で、バックカバー４０に直接添付することにより、バインダー１を修正することも可能である。図２６Ａ−２６Ｃのスケルトンは、図２９のスケルトンのように、バインダーが容量一杯に充填されてないとき、バインダーの厚みを減らすことが可能にするために、そのリングが前後ろに傾くことが出来るように修正することが、可能である。バックカバーに付属品の代用品を提供するために、図８のバインダーには  そのミドルカバーに付けられた二番目のループフラップがあってもよい。その他の変型のスパインの一部がそのまま保たれている内に、それら変形は、そのスパインの縦面に関連して回転することが出来るリングのあるスケルトンを構成するバックカバーの書く面を広げるために、それらの変型のうちの一つは、内外双方の表紙と同じ高さのバックカバーの、一方の縁に沿ってスパインが堅く付着し、そのバックカバーの厚みに匹敵する高さで直角に交わる部分があるスパインを構成する。スパインは、その溝を通ってスパインの縦の面の周りを回転することが出来るバインダーリングを接続する。スパイン５３がスリーブ管に呼応して回転するのを可能にするリング４６に一致する溝のあるスリーブ管の中に、スケルトン５０のスパイン５３を設置することで簡単に二番目の変型を作ることが出来る。この変型のスパインの一部であるスリーブ管リベットで堅く留めることが出来る。しかし、まだそれでも、その中に含まれるスパイン５３とリング４６がカバーに呼��して回転することを可能に出来る。この固定したスリーブ管の使用は、内部に配置されているスケルトン５０のスパイン５３があり、スリーブが静止したままで保たれている間は、長方形のスリーブ管に呼応して回転することの出来る、直角に交わる部分と共に設計されているところより上の部分はで、前野の変型を含んでも差し支えない。ディスティンクト・スケルトン・コンポーネントが欠乏しているもう一つの変型には、それのリングすべてを同時に開閉するためのシンクロナイズド・スイッチ・エレメントとあわせて完全に形成された、そして３６０度に開かれたとき、水平に保たれるカバーがあり、また、カバーが３６０度に開かれたときは水平に保たれたカバーのニヤーリングの縁を回転できるリングがある。
図３６Ａ−３６Ｆ
図３６Ａ−３６Ｆは今回の発明品であるのバインダーのスケルトン６５０及びその構成部品を各部詳細に渡り示した立体及び底面図である。４６Ａのリング断片はウェルド、ブレーズ、キャスティング（鋳物）又は別の適切な方法によって６５２Ａのロッドに取り付けられている。４６Ｂのリング断片も６５２Ｂのロッドに類似した方法で取り付けられている。６５２Ａのロッドと６５２Ｂのロッドが４１の（リングとロッドの接続部を覆う）ハウジング（架構）内部で平行に組み込まれ６５３のスパインを形成している場合、間隔を置いて作られた４６Ａと４６Ｂのリング断片は４１のハウジングのそれと同じ間隔に作られた１１５Ａと１１５Ｂの穴から出っ張る。１５５Ａと１５５Ｂのスロットは共に１１２の弓形のハウジングスロットの一部である。１５５Ａと１５５Ｂは、６５２Ａのロッド及び６５２Ｂのロッドが縦方向に移動するのを防ぐ為、４６Ａと４６Ｂのリング断片に密着して固定されている。６２５Ａと６２５Ｂのロッドは、４６Ａのリング断片と４６Ｂのリング断片を開閉する為、隣接し限られた角度互いに逆方向に回転する。６５２Ａと６５２Ｂのロッドは互いに縦方向にずれることがない為４６Ａのリング断片と４６Ｂのリング断片は６５３のスパインに対し垂直に開閉する。６５２Ａと６５２Ｂのロッドが一方が他方の倍の寸法以上にならず、同じ位の幅、高さ、大きさの円形、または楕円形のクロスセクションを持つことが望ましいのは、それが合わせて構成されるスパインと幅と高さが同じような大きさになり、スパインは覆いとなる部分のコンジットの適切な要として挿入される（図４５−４５Ｃ）。さらに６５２Ａと６５２Ｂのロッドは、ほぼ垂直で類似した主、副容積とも言えるクロスセクションを持つことにより、クロスセクションの主及び副となる容積は同じ様になる。
【０１２１】
４５Ａと４５ＢのＬ字型のトルクレバーはウェルド、ブレーズ、キャスティング、またはその他の適切な方法によって６５２Ａと６５２Ｂのロッドの先端を形成、または接続される。５９のスプレッダーの８３の伸張性のあるスプリングによって橋をかけたような状態で接続されている４５Ａと４５Ｂのトルクレバーは、６５３のスパイン、それを形成する６５２Ａ及び６５２Ｂに垂直に伸張するステム（軸）を持つ。従って、開閉の過程で４６のリングも開閉する際、４５Ａと４５Ｂのトルクレバーは８３のスプリングが及ぼす伸張力を６５２Ａと６５２Ｂのロッドに働くねじる力に変換させるのに非常に効果的である。例えばスケルトン６５０が閉じている際、８３のスプリングは６５２Ａと６５２Ｂのロッドのトルクの反発を制止させ、４５Ａと４５Ｂのトルクレバーを引き寄せる一方、リング４６Ａと４６Ｂの先端には４６のリングが閉じているよう向かい合っている。４５Ａと４５Ｂのトルクレバーは４６のリングに頑強な閉止力を与えている。
【０１２２】
図３６Ｅは６５０のスケルトンのシンクロナイズドスイッチ要素の構成部品、あるいは６５０のスケルトンのアクチュエター４５１を部分的に詳細に示した底面図である。４５１のアクチュエーターは６５２Ａと６５２Ｂのロッド、４５Ａと４５Ｂのトルクレバー及び５９のスプレッダーから成る。スケルトン６５０のこの構造において、６５２Ａと６５２Ｂのロッドはそれぞれ４５１のアクチュエーターの第一、第二接続要素として働く。スプリング内蔵の５９のスプレッダーは伸縮自在のカプセル８５内部に８３のスプリングを内蔵している。５９のスプレッダーの収縮は２３２のストップによって制限される。図３６Ｆは８５のカプセルがＬ字型のトルクレバー４５Ａと４５Ｂの各先端を留める６３Ａと６３Ｂのピンホールを有することを示している。５９のスプレッダーの一方の先端は４５Ａのトルクレバーの周りを回転し、もう一方の先端は４５Ｂのトルクレバーの周りを回転する。
【０１２３】
４５１のアクチュエーターの８３のスプリングは、６５０のスケルトンが開いている閉じているに関わらず伸張するように備わっており、８３のスプリングが６５３のスパインのリング側にある際、８３のスプリングは４６Ａのリング断片と共に４６Ｂのリング断片が開くのに反発する（図３６Ｅ）。しかしながら８３のスプリングが６５３のスパインの４６Ａと４６Ｂのリング断片の先端から離れる状態でもう一方の側にある際、８３のスプリングは４６Ａと４６Ｂのリング断片が閉じるのに抵抗する（図３６Ｆ）。
【０１２４】
６５０のスケルトンを開くには、６５０のスケルトン中央の４６Ａと４６Ｂのリングを引き離すことによって６５２Ａと６５２Ｂのロッドがねじれ、８３のスプリングが６５３のスパインの一方の側から他方側へと移動するまで８３のスプリングに抵抗する力に反しトルクレバー４５Ａと４５Ｂが離れる。この時点で８３のスプリングの閉じようとする力が開けようとする力に変換されたものが６５０のスケルトンにかかる。この開ける力のみが作動している際、６５０のスケルトンは５９のスプレッダーの８５の伸張カプセルが２３２のストップが作動するまで開き続ける。
【０１２５】
６５０のスケルトンを閉じるには、８３のスプリングの反発する力に反し８３のスプリングが６５３のスパインの一方の側からスパイン６５３のリング側へと移動するまで４６Ａと４６Ｂのリングを引き寄せる。この時点で８３のスプリングの開こうとする力が閉じようとする力に変換されたものが６５０のスケルトンにかかる。この閉じる力のみが作動している際６５０のスケルトンは４６Ａと４６Ｂの各リング先端が接触するまで閉じ続ける。４６のリングは８３の伸張機能内蔵スプリングによって閉じた状態を保持する。
図３７Ａ−３７Ｄ
図３７Ａ−３７Ｄは今回の発明品であるバインダーのスケルトン７５０及びその構成部品、５５１のアクチュエーター等を各部詳細に渡り示した立体及び底面図である。スケルトン７５０は図３６Ａ−３６Ｆのスケルトン６５０と同じスパイン６５３とリング４６から成るが、トルクレバー１４５Ａ−１４５Ｂ及びスプレッダー１５９において異なる。５５１のアクチュエーターは６５３のスパインの６５２Ａと６５２Ｂロッド、１４５Ａと１４５Ｂのトルクレバー及び１５９のスプレッダーから成る。図３７は、１５９のスプリング内蔵スプレッダーの分解図である。スプレッダー１５９は伸張カプセル１８５、スタティックピン（固定するピン）１０２Ａ−１０２Ｂ、スライドピン（スライドするピン）１０２Ｃ、伸張スプリング８３から構成されている。カプセルの一部１８５Ａはカプセルのもう一部１８５Ｂに適当に納まり縦方向にスライドする。カプセルの一部１８５Ａにはスタティックピンが納まるガイドスロット１０１Ａとピンホール１９３Ａがある。カプセルのもう一部１８５Ｂにはスタティックピンが納まるガイドスロット１０１Ｂとピンホール１９３Ｂがある。１５９のスプレッダーがスケルトン７５０に組み込まれた際、双方のガイドスロット１０１Ａと１０１Ｂにスライドピン１０２Ｃが差し込まれスプリング８３の先端のひとつに掛けられる。スタティックピン１０２Ｂはスプリング８３の先端のひとつに掛けられ１８５Ｂのカプセルの一部のピンホール１６３Ｂとトルクレバー１４５Ｂの１６３Ｄのホールに差し込まれる。スタティックピン１０２Ａは１８５Ａのカプセルの一部のピンホール１６３Ａとトルクレバー１４５Ａの１６３Ｃのホールに差し込まれる。
【０１２６】
７５０のスケルトンを開くには、７５０のスケルトン中央の４６Ａと４６Ｂのリングを引き離すことによって、８３のスプリングの抵抗する力に反しトルクレバー１４５Ａと１４５Ｂが離れる。トルクレバー１４５Ａと１４５Ｂが開くに従って、１８５Ａのカプセル一部はカプセルのもう一部１８５Ｂから伸張し、ガイドスロット１０１Ａのふちはスライドピン１０２Ｃをガイドスロット１０１Ｂのトゥース１２８の先端に到達するまでガイドスロット１０１Ｂに沿ってスタティックピン１０２Ａの方向に押す。このこじりまではガイドスロット１０１Ａはスライドピン１０２Ｃを別の方向、スパイン６５３の方向に押す。リング４６Ａと４６Ｂを引き離した際、このこじりを通過してからはスライドピン１０２Ｃはスプレッダー１５９を広がった状態に保つ、すなわち４６のリングも開かれた状態を保つ（図３７Ｄ）。
【０１２７】
７５０のスケルトンを閉じるには、スケルトン７５０の中央のリング４６Ａと４６Ｂを引き合わせ、トルクレバー１４５Ａと１４５Ｂを８３のスプリングの部分的に抵抗する力に反し引き寄せる。トルクレバー１４５Ａと１４５Ｂが引き寄せられるにつれ１８５Ａのカプセル一部はカプセルのもう一部１８５Ｂ内部で収縮し、ガイドスロット１０１Ａのふちはスライドピン１０２Ｃをガイドスロット１０１Ｂのトゥース１２８の先端に到達するまでガイドスロット１０１Ｂに沿ってスパイン６５３の方向に押す。この先を通過するとスプリング８３はスプレッダー１５９を引き寄せる為にスライドピン１０２Ｃをガイドスロット１０１Ｂに沿ってスタティックピン１０２Ｂの方向に４６Ａのリング断片が４６Ｂのリング断片に付きリング４６が閉じるまで引き寄せる（図３７Ｃ）。スプリング内蔵のスケルトン７５０では８３のスプリングはリング４６が閉じている際も張った状態にある。
【０１２８】
図３８Ａ−３８Ｂ
図３８Ａ−３８Ｂは今回の発明品であるのバインダーのスケルトン８５０及びその構成部品、６５１のアクチュエーター等を各部詳細に渡り示した立体及び底面図である。スケルトン８５０は図３６Ａ−３６Ｆのスケルトン６５０と同様スパイン６５３とリング４６から構成されるが、トルクレバー１４５Ａ−１４５Ｂとスプレッダー２５９において異なる。６５１のアクチュエーターはスパイン６５３のロッド６５２Ａと６５２Ｂ、トルクレバー１４５Ａと１４５Ｂ及びスプレッダー２５９から構成される。図３８Ｂはスプリング内蔵スプレッダーのもうひとつの部分的な図である。スプレッダー２５９は伸張カプセル２８５、ピン１０２Ａ−１０２Ｂ、スピン（回転）シリンダー１０３Ａ、スライドシリンダー１０３Ｂ及び伸張スプリング８３から構成される。２８５のカプセルは、カプセルの一部２８５Ｂ内に納まり縦方向にスライドするカプセルシリンダー２８５Ａを内蔵している。スライドシリンダー１０３Ｂはカプセルシリンダー２８５Ａに納まるスピンシリンダー１０３Ａにはまる。カプセルシリンダー２８５Ａにはピン１０２Ａが差し込まれるピンホール２６３Ａがあり、カプセルの一部２８５Ｂにはピン１０２Ｂが差し込まれるピンホール２６３Ｂがある。スケルトン８５０にスプレッダー２５９が組み込まれる際、カプセルシリンダー２８５Ａのピンホール２６３Ａとトルクレバー１４５Ａのホール１６３Ｃにピン１０２Ａが差し込まれ（図３７Ｂ、３８Ａ−３８Ｂ）スプリング８３の先端の一方に掛けられる。ピン１０２Ｂはスプリング８３の別の先端に掛けられカプセルの一部２８５Ｂのピンホール２６３Ｂとトルクレバー１４５Ｂのホール１６３Ｄに差し込まれる。
【０１２９】
スピンシリンダー１０３Ａ、スライドシリンダー１０３Ｂ及びカプセルシリンダー２８５Ａはボタンを押引するボールペンの構造として知られる二段階メカニズムの一部である。ボールペンのこの二段階メカニズムのボタンは収縮スプリングの常に（伸びようと）抵抗する力を利用している。スケルトン８５０の常に抵抗する力は伸張スプリングの連結によって生じている（ピン１０２Ａ−１０２Ｂ）。補足として、ボールペンの構造の特徴であるボタンシリンダーはここではピン１０２Ｂに引かれるスライドシリンダー１０３Ｂに適合されている。この適合にはボールペンの上部から出っ張たボタンシリンダーを除去しピンシリンダー１０３Ａとループピン１０２Ｂ（図３８Ｂ）を貫通しているスライドシリンダーのシリンダー部分の取り付けが含まれる。ボールペンのボタンを一度押してペン先を出し、もう一度押し引き込む代わり、４６Ａと４６Ｂのリング断片はリング４６を開いた状態にしスプレッダー２５９を伸張するために一度引き離され、二度目はスプレッダー２５９を引き寄せリングを閉じるために引っ張られる。スピンシリンダー１０３Ａのストレートグルーブ（直線的な溝）とスパイラルレッジ（らせん状の出っ張り）、
スライドシリンダー１０３Ｂ、及び先述の二段階スイッチの特徴を持つカプセルシリンダーはよく知られており、図３８Ａ−３８Ｃに図解されていない。
【０１３０】
スケルトン８５０を開くには、８５０のスケルトン中央の４６Ａと４６Ｂのリングを引き、放すことによって、８３のスプリングの反発する力に反しトルクレバー１４５Ａと１４５Ｂが離れる。トルクレバー１４５Ａと１４５Ｂを離すことによって、ピン１０２Ａと１０２Ｂも離れる為、ピン１０２Ｂはスライドシリンダー１０３Ｂをカプセルシリンダー２８５Ａから引き離す。それと同時にスライドシリンダー１０３Ｂもスピンシリンダー１０３Ａを同方向に押しカプセルシリンダー２８５Ａはカプセルの一部２８５Ｂから自在に伸張する。リングが十分に開き手放されるとスピンシリンダー１０３Ａはスプリング８３の力で伸びた状態にあるスプレッダー２５９をロックするよう伸張した位置に移動する。スプレッダー２５９が１４５Ａと１４５Ｂのトルクレバーの間に伸びた状態でロックされている間、リング４６は開いている（図３８Ｃ）。
【０１３１】
８５０のスケルトンを閉じるには、スケルトン８５０の中央のリング４６Ａと４６Ｂをもう一度引っ張り、放す。８３のスプリングの力が働いているので十分に引っ張り、放すことにより、カプセルシリンダー２８５Ａカプセルの一部２８５Ｂ内に納まり、スプレッダー２５９は引き戻され、スピンシリンダー１０３Ａも元の位置に納まる。トルクレバー１４５Ａと１４５Ｂはリングの一部４６Ａがリング他部４６Ｂに接触し閉じるところまで接近する（図３８）。スプリング内蔵のスケルトン８５０では８３のスプリングはリング４６が閉じている際も張った状態にある。
【０１３２】
スプレッダー２５９はスプリング８３をピン１０２Ｂではなくスピンシリンダー１０３Ａに接続する方法、または使用中にスピンシリンダー１０３Ａと連結しているスピンの動きを妨げないような別の適切な接続方法でも組み立てられる。上記の方法で組み立てられ、リングを一定の位置に寄せず、（普通に）開いた場合４６Ａ−４６Ｂのリング断片は一定の間隔前後に開閉する。
図３９Ａ−３９Ｃ
図３９Ａ−３９Ｃは今回の発明品であるバインダーのスプレッダー３５９を前から見た図、及びスケルトン９５０を示した底面図である。スケルトン９５０は、図３６Ａ−３６Ｆに見られるように、スケルトン６５０と同じスパイン６５３とリング４６から構成されるが、トルクレバー２４５Ａ−２４５Ｂとスプレッダー３５９において異なる。スケルトン９５０は、スパイン６５３のロッド６５２Ａと６５２Ｂ、ジグザグのトルクレバー２４５Ａと２４５Ｂ、スプレッダー３５９から成るアクチュエーター７５１を有する。スプレッダー３５９は、トルクレバー２４５Ａと２４５Ｂをそれぞれ挿入するピンホール３６３Ａと３６３Ｂを持つバーである。ジグザグトルクレバー２４５Ａと２４５Ｂにはスプレッダー３５９用の湾曲した部分がある。
【０１３３】
スケルトン９５０を開けるにはスプレッダー３５９を閉じた部分の凹み（図３９Ｂ）から開いた部分の凹み（図３９Ｃ）へとトルクレバーに沿ってスライドさせる。トルクレバー２４５Ａ−２４５Ｂの柔軟性とスパイン６５３のスパインロッド６５２Ａ−６５２Ｂのねじりに柔軟な性質がスプレッダー３５９が閉じた部分の凹みからのスライドを可能にしている。
【０１３４】
スケルトン９５０を閉じるにはスプレッダー３５９を開いた部分の凹み（図３９Ｂ）から閉じた部分の凹みへとトルクレバーに沿ってスライドさせる。９５０のスケルトンを閉じる際、トルクレバー２４５Ａ−２４５Ｂの柔軟性とスパイン６５３のスパインロッド６５２Ａ−６５２Ｂのねじりに柔軟な性質を利用するがややスプリングの抵抗を感じる場合がある。閉じる際のこのスプリングの抵抗感に加え、スケルトン９５０のリング断片４６Ａと４６Ｂを圧迫なしに付けられるよう、スプレッダー３５９のピンホール３６３Ａ−３６３Ｂは接近した位置にある。
図４０Ａ  −４０Ｂ
図４０Ａ  −４０Ｂは今回の発明品であるバインダーの部分的に改善されたスケルトン１０５０を示した立体図である。スケルトン１０５０は図３６Ａ−３６Ｆに見られるように、スケルトン６５０と同じスパイン６５３から構成されるが、ミドル（中央）リング９４６において異なり、トルクレバー及びスプレッダーを持たない。スケルトン１０５０はスパイン６５３と（袖方の）スリーブ１０６を持つインターロッキング（ロックのかかる）リング９４６からなるアクチュエーターを有する。スケルトン１０５０にはスパイン６５３反対の端付近にリング４６があるが図４０Ａ−４０Ｂには示されていない。リングスリーブ１０６は移動しやすく内部にリム（出っ張り）１０６Ａがある。リング９４６にはリングのインターロック１０８近くにリングノッチ（切り込み）１０７Ａと１０７Ｂがある。リング９４６がしっかりと閉じている際リングスリーブ１０６はリングインターロック１０８を覆い、リングを閉じるノッチ１０７Ａにはまったリムによって固定される。１０６のスリーブは使用中に間違って開きがちなインターロック１０８を強化している。
【０１３５】
スケルトン１０５０を開けるには、リングスリーブ１０６をノッチ１０７Ａから引きはずし、リム１０６Ａがリングオープンノッチ（リングを開ける為の切り込み）１０７Ｂの位置に来るまでインターロック１０８からリング９４６に沿ってスライドさせる。そしてリング断片９４６Ａと９４６Ｂを引き離す（図４０Ｂ）。スケルトン１０５０を閉じるには、リング断片９４６Ａと９４６Ｂを引き寄せることによってインターロック１０８が掛かる。そしてリングスリーブ１０６をリングオープンノッチ１０７Ｂから引き寄せ、リム１０６Ａがリングクロージャーノッチ（リングを閉じる為の切り込み）１０７Ａの位置に来るまでインターロック１０８からリング９４６に沿ってスライドさせる。
【０１３６】
スケルトン１０５０のリング４６を閉じる際、リング断片９４６Ａ−９４６Ｂの柔軟性、リング断片４６Ａ−４６Ｂ、スパイン６５３のスパインロッド６５２Ａ−６５２Ｂのねじりに柔軟な性質を利用するがややスプリングの抵抗を感じる場合がある。閉じる際のこのスプリングの抵抗感に加え、リング断片９４６Ａ−９４６Ｂとリング４６Ａ−４６Ｂはリング断片４６Ａと４６Ｂが接触した時リング９４６Ａと９４６Ｂが微妙に開いている状態でそれぞれロッド６５２Ａ−６５２Ｂに接続されなければならない。その後リング９４６Ａと９４６Ｂは押し合わされロックが掛かり、リング９４６、リング４６及びロッド６５２Ａ−６５２Ｂは全て柔軟性を持って装備される。
図４１Ａ−４１Ｆ
図４１Ａ−４１Ｆは今回の発明品であるバインダーのスケルトン１１５０及びその構成部品を示した立体及び底面図である。スケルトン１１５０はリング４６、スパイン７５３、及びアクチュエーター８５１から成る。リング断片４６Ａと４６Ｂはウェルド、ブレーズ、キャスティング、又は別の適切な方法によってロッド７５２Ａと７５２Ｂにそれぞれ取り付けられている。クリート１０９Ａと１０９Ｂはロッド７５２Ａと７５２Ｂの後部にそれぞれ取り付けられている。スパイン７５３は、ラップバンド１４１内にロッド７５２Ａと７５２Ｂを平行に設置し、クリート１０９Ａとクリート１０９Ｂを交互に噛み合わせることから形成されている。ペアリング４６の間に１４１のバンドを正確に設置し、クリート１０９Ａと１０９Ｂを正確に噛み合わせることにより、ロッド７５２Ｂとロッド７５２Ａの縦方向のズレを防ぐ。クリート１０９Ａと１０９Ｂは、ロッド７５２Ａと７５２Ｂが容易に回転できるよう、それぞれ７５２Ａと７５２Ｂのロッドの７５２Ｃと７５２Ｄ沿いに取り付けられている。スパイン７５３が取り付けられた際、ロッド７５２Ａと７５２Ｂは７５２Ｃと７５２Ｄの端に接触するまで、リング断片４６Ａと連結するリング断片４６Ｂを一定の角度それぞれ逆方向に回転する。ロッド７５２Ａと７５２Ｂの交差している部分、クロスセクション（クリート１０９Ａ−１０９Ｂと除く）には鋭角があり（丸いパイの）一切れのパイの様な形をしている（図４１Ｅ）。ロッド７５２Ａと７５２Ｂのパイ切れの様なクロスセクション及び長さの短いクリート１０９Ａ−１０９Ｂがシリンダー内でこの回転を可能にし、パイ切れのクロスセクションの鋭角の先端はそれぞれ７５２Ｃと７５２Ｄの端と対応している。
【０１３７】
トルクレバー３４５Ａと３４５Ｂは７５２Ａと７５２Ｂのロッドの先端を形成、またはキャスティングによって接続されている。その場合キャスティングがより適しているがウェルド、ブレーズ、またはその他の適切な方法での接続も可能である。図４１Ｂと図４１Ｃに示されたスケルトン１１５０部品全体のキャスティングはひとつの型で容易にでき、トルクレバー３４５Ａをロッド７５２Ａの底部と７５２Ｂ頭部、トルクレバー３４５Ｂをロッド７５２Ｂの底部と７５２Ａの頭部に接続する。トルクレバー３４５Ａと３４５Ｂはそれぞれ伸張リング８３に連結しする出っ張ったノブ３４５Ｃと３４５Ｄを有する。プッシュレバー８７Ａと８７Ｂはそれぞれトルクレバー３４５Ａと３４５Ｂの一部である。１０５のスプリングメタルラチェットパウル（回転する歯止め付き金属パネル）はプッシュレバー８７Ａに接続し、プッシュレバー８７Ａと８７Ｂがある角度で回転する際プッシュレバー８７Ｂが噛み合う。伸張カプセル３８５にはカプセル断片３８５Ａと３８５Ｂがありスプリング８３を覆い隠している。カプセル断片３８５Ａと３８５Ｂはそれぞれトルクレバー３４５Ａと３４５Ｂの一部である。
【０１３８】
図４１Ｅ−Ｆはスケルトン１１５０の底図である。アクチュエーター８５１はロッド７５２Ａと７５２１Ｂ、トルクレバー３４５Ａと３４５Ｂ、スプレッダー４５９及びプッシュレバー８７Ａと８７Ｂから成る。スケルトン１１５０のこの構成において、ロッド７５２Ａと７５２Ｂはそれぞれアクチュエーター８５１の第一第二接続要素の役割を果たしている。スプリング内蔵のスプレッダー４５９は、スプリング８３、ラチェットパウル１０５、プッシュレバー８７Ａと８７Ｂから成り、プッシュレバー８７Ａのパウル１０５がプッシュレバー８７Ｂを噛み合わせた際、リングが開く。スケルトン１１５０の構造において、伸張スプリング８３は常に張った状態にある。
【０１３９】
スケルトン１１５０を開くには、ラチェットパウル１０５がプッシュレバー８７Ｂが噛み合うまでプッシュレバー８７Ａと８７Ｂをスプリング８３の反発する方向に押し、ロッド７５２Ａと７５２Ｂは逆方向に回転しリング４６が開く。噛み合う際、ラチェットパウル１０５はスプリング８３に働く力によりスケルトン１１５０が閉じるのに抵抗する（図４１Ｆ）。
【０１４０】
スケルトン１１５０を閉じるには、ラチェットパウル１０５の先端を噛み合ったプッシュレバー８７Ｂが外れるよう持ち上げると、スプリング８３がトルクレバー３４５Ａと３４５Ｂに働きかけ、ロッド７５２Ａと７５２Ｂがリング断片４６Ａが４６Ｂに押し付けられるまで回転する。
図４２
図４２は今回の発明品であるバインダースパイン８５３、リング４６を示した部分図である。スパイン８５３にはラッピングバンド（覆うバンド）やハウジングの取り付けを必要としないインターロッキングロッド８５２Ａと８５２Ｂがあり、これらはパズルに類似した形でつなげられている。ロッド８２５Ａには部分的に穴の開いたシリンダーのクロスセクションがあり、そこにはロッド８５２Ｂのシリンダー状の一部を受け、またロッドが伸長するような開口部がある。ロッド８５２Ｂには部分的に丸みを持ったクロスセクションがあり、それは縦に伸びた際、ロッド８５２Ｂのシリンダー状の一部となり、ロッド８５２Ａに挿入できる。古いタイプの短いキーホールに類似したクロスセクション部は、比較的大きいのでロッド８２５Ｂの一部は縦長の開口部１０４にはめ込まれ、シリンディカルロッドのみよりロッド８５２Ｂを頑強にする。ロッド８５２Ａの縦長の開口部１０４の幅はロッド８５２Ｂのシリンダー状の一部の直径よりも短く、従ってロッド８５２Ｂを交わるように閉めるか、一端から縦方向にスライドさせてロッド８５２Ａを挿入する。ロッド８５２Ａと８５３Ｂは何かの拍子に縦にずれしないよう制御されているが、リング断片４６Ａとリング断片４６Ｂの開閉が可能なよう互いに一定の角度は回転できる。ロッド８５２Ａと８５２Ｂは縦にずれないがリング断片４６Ａと４６Ｂはスパイン８５３に対し横方向に開閉できる。
図４３Ａ−４３Ｂ
図４３Ａ−４３Ｂは今回の発明品であるバインダーのスケルトン１２５０を詳細に示した底面図である。リング断片４６Ａと４６Ｂ、クリート１０９Ａと１０９Ｂはそれぞれロッド９５２Ａと９５２Ｂに接続されている。ロッド９５２Ａと９５２Ｂにはシート・メタル・アーク・スプリング・ハウジング（薄い金属製のアーチ型スプリングハウジング）４３の反対側の端を受ける縦長の割れ目がある。スパイン９５３はアーチ型スプリングハウジング内にロッド９５２Ａと９５２Ｂを互いに沿うよう、そしてクリート１０９Ａと１０９Ｂが噛み合うように組み立てられている。スパイン９５３の構成ではロッド９５２Ａと９５２Ｂは接触している９５２Ｃと９５２Ｄの端を回転する。アーチ型スプリングハウジング４３は割れ目１１０Ａと１１０Ｂに圧力をかける。９５２Ｃと９５２Ｄの端がアーチ型スプリングハウジング４３の円周内にある時、この圧力はリング４６を閉じた状態に保つ力として働き（図４３Ａ）エッジ９５２Ｃと９５２Ｄがアーチ型スプリングハウジング４３の円周の外にある時この圧力はリング４６を開いた状態に保つ力として働く（図４３Ｂ）。ロッド９５２Ａと９５２Ｂにはパイ切れ状のクロスセクション（クリート１０９Ａ―１０９Ｂを除く）がありそれはリングが閉じている時は実質上スパイン９５２のシリンディカル・クロスセクションとなる（図４３Ａ）。スケルトン１２５０はロッド９５２Ａと９５２Ｂ、スプリング４３から成るアクチュエーター９５１を有する。
【０１４１】
スケルトン１２５０を開くには、エッジ９５２Ｃと９５２Ｄがアーチ型スプリングハウジング４３の円周から出るまで、リング断片４６Ａと４６Ｂをアーチ型スプリングハウジング４３の圧力に反して引っ張る。リング４６はクリート１０９Ａと１０９Ｂがそれぞれロッド９５２Ｂと９５２Ａに押し付けられるまで開き続ける。スケルトン１２５０を閉じるには、リング断片４６Ａｔｐ４６Ｂが完全に接触するまで押し付けるとアーチ型スプリングハウジング４３の圧力によって閉じた状態が維持される。閉じる力を強化するためにスケルトン１２５０にスプリングを内蔵したスプレッダー付きオプショナル・トルクレバーを取り付けることが可能である。
図４４
図４４は今回の発明品であるバインダーのリング１０４６を示した底面図である。リング１０４６はリング断片１０４６Ａ−１０４６Ｂ、及びリング断片１０４６Ａ−１０４６Ｂと交差するスパイン５３の一部から構成される。リング断片１０４６Ａと１０４６Ｂは部分的に太さが変化する。リング１０４６はリング１０４６とスパイン５３の中心を通過するリング上部までの直径１１１を限定する。リング断片１０４６Ａ−１０４６Ｂの直径１１とほぼ平行する部分は、リング断片１０４６Ａ−１０４６Ｂの直径１１１にほぼ垂直の部分より細い。よって直径１１１に平行するリング１０４６の内部直径は直径１１１に垂直なそれより小さい。この太さの変化はバインダーが使用中、つまり閉じてある、１８０度または３６０度に開いてある際のルーズリーフの許容量をより安定させる。この太さの変化は、バインダーが３６０度開いている際、リング円周内のスパイン５３によって生じる許容量の減少を補い安定を図っている。
図４５Ａ−４５Ｃ
図４５Ａ−４５Ｃ図は今回の発明品であるバインダーのスケルトン１３５０をに示した立体図である。図４５Ｂ−４５Ｃは図１Ａ−１Ｌのバインダーのスケルトン５０の代わりにスケルトン１３５０を取り付けた底面図である。スケルトン１３５０は図３６Ａ  −３６Ｆに示されている、スパイン６５３と同様のロッド６５２Ａ−６５２Ｂ及び図３８Ａ  -  ３８Ｂに示されているスプレッダー２５９を使用する。スケルトン１３５０はリング１１４６、スパイン１０５３、及びアクチュエーター１０５１から成る。リング断片１１４６Ａと１１４６Ｂはウェルド、ブレーズ、キャスティング（鋳物）又は別の適切な方法によってロッド６５２Ａと６５２Ｂにそれぞれ取り付けられている。この様にして、イントゥラリング（内輪）トルクレバー４４５Ａと４４５Ｂはそれぞれリング断片１１４６Ａと１１４６Ｂのスパイン側に接続している。イントゥラリング（内輪）トルクレバー４４５Ａと４４５Ｂは接続しているリング断片１１４６Ａと１１４６Ｂの平面と円周内にある。トルクレバー４４５Ａと４４５Ｂはスパイン１０５３と交差するところでそれぞれリング断片１１４０Ａと１１４０Ｂの先端と接続しているが、トルクレバー４４５Ａと４４５Ｂはリング断片１１４０Ａと１１４０Ｂの一部ではなく、ルーズリーフ７２のスパイン１０５３は、トルクレバー４４５Ａと４４５Ｂがずれ落ちるのを防いでいる。リング１１４６は、トルクレバー４４５Ａと４４５Ｂを除いた、リング断片１１４０Ａと１１４０Ｂと交差したスパイン１０５３の一部から成る。スパイン１０５３は、ラップバンド２４１内にロッド６５２Ａと６５２Ｂが平行に設置され、リング１１４６の間に正確に納まることによって形成される。ロッド６５２Ａと６５３Ｂは、リング断片１１４６Ａとリング断片１１４６Ｂの開閉が可能なよう互いに反対方向に一定の角度回転できる。ペアリング１１４６の間に２４１のバンドを正確に設置することにより、ロッド６５２Ｂに対しロッド６５２Ａが縦方向にズレるのをを防ぐ。アクチュエーター１０５１はロッド６５２Ａと６５２Ｂ、トルクレバー４４５Ａと４４５Ｂ、スプレッダー２５９から成る。スプレッダー２５９は中央のトルクレバー４４５Ａと４４５Ｂを、８３のスプリングはスパイン１０５３の逆の先端に位置するトルクレバー４４５Ａと４４５Ｂを接続している。スプレッダー２５９は、トルクレバー４４５Ａのホール４６３Ａと４６３Ｂに差し込まれるピン１０２Ａと１０２Ｂによってスケルトン１３５０に接続されている（図４５Ｂ）。リング断片１１４６Ａと１１４６Ｂはマージン（余白）リング断片１１４６Ｃと１１４６Ｄを有する。マージンリング断片１１４６Ｃと１１４６Ｄの用途は、リングで閉じてあるルーズリーフ７２、ルーズリーフの穴、及び隣接したルーズリーフ・エッジ（閉じてあるほうの端）の間に使用中、余裕を持たせることである（図４５Ｂ−４５Ｃ）。図４５Ｂ−４５Ｃは、前カバー４４が後ろカバー１００から３６０度の角度で開かれた状態で、そのカバー間に取り付けられたスケルトン１３５０を示している。
【０１４２】
スケルトン１３５０は、同じくスプレッダー２５９を持つ、図３８Ａ−３８Ｃのスケルトン８５０と同じ要領で使用される。
【０１４３】
スケルトン６５０、７５０、８５０、９５０、１０５０、１１５０、１２５０、及び１３５０は、スケルトン５０を若干の変更をするのみでスケルトン５０に代わって利用できる。その変更とは、トルクレバー４５Ａ−４５Ｂ、１４５Ａ−１４５Ｂ、２４５Ａ−２４５Ｂ、３４５Ａ−３４５Ｂ、４４５Ａ−４４５Ｂ、スプレッダー５９、１５９、２５９、３５９、４５９、及び、または、一般にアクチュエーターのカテゴリーに入る、プッシュレバー８７Ａと８７Ｂを使用することで可能である。今回発明のトルクレバー、スプレッダー、アクチュエーターレバーは図３６Ｅ、３７Ｃ、３８Ｂ、３９Ｂ、４１Ｅ、及び４５Ｂに見られるように、各関連リングの円周内の長細い部分になされているため、若干の変更が必要なのみである。従って、平らに折り込まれたカバーのエッジの回りをリングが回転可能にする様々な手段は、トルクレバー、スプレッダー、及びアクチュエーターが回転し易くすることにも利用される。例えば、この変更は、今回発明のバインダーに連結しているカバーにつながる図１Ａのスロット５８Ａ−５８Ｃ、図２０Ａのホール７４Ｃ−７４Ｄなどの垂直なスロット、またはそれに等しい手段のみの変更である。
更に、垂直に開くリングと垂直に広がるトルクレバーを使用すれば、カバースロット、例えば図１Ａのカバー・スロット５８Ａ  −５８Ｃ等は狭くすることが可能である。
【０１４４】
スケルトン１３５０のイントゥラリング（内輪）トルクレバー４４５Ａ−４４５Ｂは、接続しているリング断片１１４６Ａ−１１４６Ｂの平面と周縁の内側にある。結果として、カバーが３６０度開かれている際、カバーがリングの回転を妨げるの防ぐスロットを使用しているバインダーの全カバーに、スケルトン１３５０が使用できる（図１Ａ−１Ｆ、図１９Ａ−１９Ｃ）が、カバーホールが使用されているいくつかのカバーには（修正しなければ）使用できない。
【０１４５】
私の上記記述には特許説明が含まれており、これらは発明の範囲を制限するものと解釈されるべきではなく、むしろ、そのうちのいくつかの抜擢した例と解釈されるべきである。この他にも様々なバリエーションが可能である。例えば、伸張スプリングが設置されたスプリング内蔵スプレッダーが提示されているが、スプレッダーとトルクレバーは改作でき、コンプレッション（圧縮）、トーション（ねじり）、スパイラル（回転）、シートメタル（金属シート）スプリング等の他の部品を付け加えて使用することが可能である。ゴムのバンドも伸張スプリングに代用できるかもしれない。別のスプレッダーはトグルスイッチと伸張スプリングから成る。スプレッダーとスケルトン１３５０の横方向を向いたイントゥラ・リング・トルクレバーと、縦方向に向いた部品付きアクチュエーターレバーは接続できるが、リングがニアーリングエッジの周りを回転する際、様々なカバーの平面的な構成でニアーリングエッジを妨げるものがない様、これらの縦方向を向いた部品はそのスパインから離れたリングの十分高いところに配置されなければならない。別のトルクレバーで使用可能なのはインター・ロッキング・トルクレバーである。インターロッキングとはスプリングを内蔵するまたは内蔵しないようなトルクレバーを意味する。
【０１４６】
図：４６Ａ−４６Ｂ
図４６Ａ  −４６Ｂ  は今回発明されたバインダーのカバー２６００及びその構成部品の提出用に具体化された透視図である。図１Ａ−１Ｌのバインダー１のカバー１００と微妙に異なるカバー２６００は、カバー１００の組み立て方式に比べ簡易な方式を取っている。カバー２６００はフロントカバー４４、ミドルカバー４２、バックカバー１８４０から構成されている。
バックカバー１８４０はバックカバーの一部１８４０Ａと分離できるコンジット鋳造部品１１４を有する。コンジット鋳造部品はバックカバー１８４０の構成部品であるため、バックカバーの一部１８４０Ａはコンジット鋳造部品１１４に対しバックカバーの補助的部品である。同様にコンジット鋳造部品１１４はカバー２６００本体の構成部品であるため、フロントカバー４４、ミドルカバー４２、バックカバーの一部１８４０Ａはコンジット鋳造部品１１４に対しカバーの構成部品である。バックカバー１８４０はシーム６６でミドルカバーに接合している。コンジット鋳造部品１１４は組み立てを容易にし、金属、板紙、プラスチック等の多様な材質で製造できる。コンジット鋳造部品１１４は断面がＵ形になっておりバックカバーの一部１８４０Ａのエッジ１８４０Ｂの回りを回転し、この構造をコンジット５５６と定義する。バックカバーの一部１８４０Ａには、組み立て時にコンジット鋳造部品１１４をバックカバーの一部１８４０Ａに付着するリバート６９を受け入れる穴１１３Ａ、コンジット鋳造部品１１４には穴１１３Ｂがある。バックカバーの一部１８４０Ａは組み立てに際し、コンジット鋳造部品１１４の長いスロット７５８Ｌ−７５８Ｎと合致し効果的に伸びる短いスロット７５８Ａ−７５８Ｃを有する。組み立てに際し、コンジット鋳造部品１１４の厚さはバックカバーの一部１８４０Ａの厚さとほぼ同じである為、コンジット鋳造部品１１４とバックカバーの一部１８４０Ａは基本的に平らである。カバー１００同様、コンジット５５６には図１Ｇ−１Ｌのスケルトン５０のスパイン５３をはめ込むことができる。更に、カバー２６００には最小限の改良または全く改良せずに図１Ｇ、２６Ａ、２７Ａ、２８Ａ、２９Ａ、３６Ａ、３８Ａ、３９Ａ、４０Ａ、４１Ａ、４３Ａ、４５Ａの今回発明されたバインダーのスケルトン５０、１５０、２５０、３５０、４５０、６５０、７５０、８５０、９５０、１０５０、１１５０、１２５０、１３５０または単独で開けられるリングを持った他のスケルトンを組み込むことができる。コンジット５５６が両端に開いているということは、例えばスケルトン２５０の押しボタン３９に接続することができ、またはスケルトン６５０のトルクレバー４５Ａ−４５Ｂ及びスプレッダー５９を格納できることである。更に、カバー２６００が閉じている状態で、スプレッダー５９がはみ出ない様、バックカバー１８４０にはトルクレバー４５Ａ−４５Ｂ及びスプレッダー５９をスケルトン６５０の両端で格納できる末端スロット７５８Ｙ−７５８Ｚがある。カバー２６００は使用上、実質的には図１Ａ−１Ｆのカバー１００と同様に作動する。
【０１４７】
図４７Ａ−４７Ｂ
図４７Ａ−４７Ｂは今回発明されたバインダーのカバー２７００及びその構成部品の提出用に具体化された透視図である。図１Ａ−１Ｌのバインダー１のカバー１００と微妙に異なるカバー２７００は、カバー１００の組み立て方式に比べ簡易な方式を取っている。カバー２７００はフロントカバー４４、ミドルカバー２１４２、バックカバー１９４０から構成されている。ミドルカバー２１２４にはミドルカバー各部２１４２Ａ−２１４２Ｃがある。バックカバー１９４０にはバックカバーの一部１９４０Ａ及び分離可能なコンジット鋳造部品２１４がある。ミドルカバーの一部２１４２Ｃは、ミドルカバーの他の一部２１４２Ｂとバックカバーの一部１９４０Ａとの間に位置しオープン・グルーブ（開溝）・コンジット６５６Ｂを形成する各部より薄い。コンジット鋳造部品２１４は組み立てを容易にし、金属、板紙、プラスチック等の多様な材質で製造できる。コンジット鋳造部品２１４は、基本的に平面部２１４Ａと管状部２１４Ｂを有し、断面がＰに類似した形になっている。平面部２１４Ａがバックカバーの一部１９４０Ａの内側の表面に接着されている一方で、管状部２１４Ｂはオープン・グルーブ・コンジット６５６Ｂに浅く挿入される為、コンジット鋳造部品２１４は構成上バックカバーの一部１９４０Ａとほぼ平坦である。コンジット鋳造部品２１４の管状部２１４Ｂはコンジット６５６を限定する要素である。バックカバーの一部１９４０Ａには、組み立て時にコンジット鋳造部品２１４をバックカバーの一部１９４０Ａに付着するリバート６９を受け入れる穴２１３Ａが並び、コンジット鋳造部品２１４には穴２１３Ｂがある。コンジット鋳造部品２１４にはスロット８５８Ｌ−８５８Ｎがある。バックカバーの一部１９４０Ａのエッジ（端）１９４０Ｂは直線状になっているが、バックカバー１９４０Ａのコンジット鋳造部品２１４の取り付け部には、スロット８５８Ａ−８５８と末端スロット８５８Ｙ−８５８Ｚを有するバックカバー１９４０が装備されている。ミドルカバーの一部２１２４Ｃには、フロントカバー４４とミドルカバー２１４２Ｃがバックカバー１９４０に対し平らに裏返せる様、折り目２１４２Ｄがある。更に折り目２１４２Ｄはバックカバーの一部１９４０Ａのエッジ１９４０Ｂ上、または近接した位置にある。図１Ａ−１Ｆのカバー１００に類似し、ミドルカバー２１４２はコンジット６５６Ａと離れた平行エッジ１９４０Ｃの間でバックカバー１９４０に接続している。カバー２７００には今回発明されたバインダーの図３６Ａ、３７Ｃ、３８Ｂ、３９Ｂのスケルトン６５０、７５０、８５０、９５０が組み入れられる解釈となり、その場合コンジット６５６Ａはスパイン６５３を、スロット８４８Ａ−８５８Ｃはリング４６を格納する。カバー２７００の短いスロット８４８Ａ−８５８Ｃは、スパイン６５３最上部の比較的盛り上がった位置にリング４６が取り付けられたスケルトン６５０、７５０、８５０、９５０に最も適している。カバー２７００には最小限の改良または全く改良せずに図１Ｇ、２６Ａ、２７Ａ、２８Ａ、２９Ａ、４０Ａ、４１Ａ、４３Ａ、４５Ａの今回発明されたバインダーのスケルトン５０、１５０、２５０、３５０、４５０、１０５０、１１５０、１２５０、１３５０または単独で開けられるリングを持った他のスケルトンを組み込むことができる。そのような改良の例には、図５Ａの長い部分貫通スロット２５８Ａ−２５８Ｃの使用や図１８の長い完全貫通スロット５５８Ａ−５５８Ｃの使用が含まれる。この二番目の改良例を採用した場合、カバー２７００は図１８Ａ−１８Ｂのカバー１８００と微妙に異なる。カバー２７００は使用上、実質的には図１Ａ−１Ｆのカバー１００と同様に作動する。
【０１４８】
図４８Ａ−４８Ｅ
図４８Ａ−４８Ｅは今回発明されたバインダー２８Ｘの提出用に具体化された透視及び底面図である。バインダー２８Ｘはカバー２８００とスケルトン１４５０から構成されている。スケルトン１４５０は安価でプレス加工されたＰＶＣ（ポリビニル塩化物）プラスチックの一片である。スケルトン１４５０はスパイン１１５３とリング１２４６を有する。スパイン１１５３Ｃにはヒンジ１１５３Ｃと一体化しているロッド１１５３Ａ−１１５３Ｂがある。リング１２４６にはロッド１１５３Ａ−１１５３Ｂに接続するリング弓形部１２４６Ａ−１２４６Ｂがある。リング弓形部１２４６Ａにはリング・スロット１４８があり、リング弓形部１２４６Ｂにはタブ１４７がある。タブ１４７はそれと一致した相反リングスロット１４８に容易にはまり、リング１２４６を確実に閉じる様、連結閉じまたはスナップ・インターロック２０８を形成している。各リング１２４６はリング弓形部１２４６Ａと１２４６Ｂをインターロック２０８をはずす為に強く引っ張るのみで簡単に開く。各リング弓形部１２４６Ａと１２４６Ｂは、その湾曲内に沿った四角い溝を持つ半円形の部品であり、リング弓形部１２４６Ａと１２４６ＢはＩ梁ガーターと類似し、リング１２４６に力を伝えるほぼＵ形の断面を有する。重要なのはスケルトン１４５０のＰＶＣプラスチックが柔軟で、スパインロッド１１５３Ａ−１１５３Ｂは容易にねじれトルクを効果的に動かすので、リング１２４６は全リングではなく個別に開閉する。図６Ａ−６Ｂのバインダー６のカバー６００と微妙に異なるカバー２６００は、カバー６００の組み立て方式に比べ簡易な方式を取っている。カバー２８００はバックカバー２０４０及びオプショナルフロントカバー１２４４から構成されている。バックカバー２０４０はバックカバーの一部２０４０Ａとコンジット鋳造部品３１４を有する。コンジット鋳造部品３１４は、生産費用を削減する為、金属ではなくプラスチック、ビニール、板紙、画布、紙等の高価でない柔軟性のある材質でできた薄いシートが良い。コンジット鋳造部品３１４はエッジ２０４０Ｂに隣接したバックカバーの一部２０４０Ａの外面２０４０Ｘから伸びている。コンジット鋳造部品３１４は、スケルトン１４５０をカバーに取り付けるまでにコンジット鋳造部品３１４を貼り付ける面を間違った場合に備えて、細長い付着式クロージャー（ファスナー）・ストリップ１１６Ａ及びオプショナル付着耐性剥ぎ取りリボン１１６Ｂを有する。柔軟性があり折り返せるコンジット鋳造部品３１４と付着式クロージャー（ファスナー）・ストリップ１１６Ａは使用者が即時に重ねたり折り返して閉じられるラップ・フラップ・クロージャーを形成している。そのクロージャーは旋回軸（ピボット）を装丁する為、ピボットを即時に固定する形式になっている。付着式クロージャー（ファスナー）・ストリップ１１６Ａと剥ぎ取りリボン１１６Ｂは消費者によるユーザー組み立て、またはバインダー２８の使用者の為に提供される。使用者が組み立てられるという事は包装方法の便宜、及び消費者に選択の余地が与えられる。消費者は様々なスケルトン１４５０と様々な色、材質、感触のそれに適応したカバー２８００をコーディネートできる。消費者はまた、好みの大きさのリングの付いたスケルトンやリングを開ける作動部品を選択できる。この消費者選択の余地はレポート・バインダーの組み立てに特に適している。付着式クロージャー・ストリップ１１６Ａが元来の郵便切手同様に水で貼り付く場合、オプションの付着耐性剥ぎ取りリボン１１６Ｂは必要なくなる。紙を入れるノートバインダーのように、市場に出る以前にスケルトン１４５０をカバー２８００に組み込む場合も、オプションの付着耐性剥ぎ取りリボン１１６Ｂは必要なくなる。コンジット鋳造部品３１４はプラスチック製であるため、付着式クロージャー・ストリップ１１６Ａに変わる別の綴込み方法はセロハンのサンドイッチ袋で知られている（ビニール袋の）ジッパー・ロックも可能である。コンジット３１４にはスロット９５８がある。スロット９５８はそれを伸ばすスリット１１５によって完成している。バインダー２８Ｘを組み立てるには、スケルトン１４５０のリング１２４６がコンジット鋳造部品３１４のそれらに一致するスロット９５８にバックカバー２０４０の内側からスパイン１１５３がコンジット鋳造部品３１４と接触するまで挿入されなければならない。コンジット鋳造部品３１４にリング１２４６を通す際、スリット１１５はスロット９５８を伸張するために一時的に拡がる。オプションの剥ぎ取り式リボン１１６Ｂがあれば、付着式クロージャー・ストリップ１１６Ａから剥がし、それからスパイン１１５３の回りにコンジット鋳造部品３１４を付け、図４８Ｂのようにコンジット鋳造部品３１４の平面部をバックカバーの一部２０４０Ａの内側表面２０４０Ｎに取り付ける。バックカバー２０４０の内側表面２０４０Ｎにコンジット鋳造部品３１４を付着した後、リング１２４６付近の平らな表面で書き易いようスリット１１５はかなり狭い方が好ましい。組み立てに際しコンジット鋳造部品３１４の覆いの部分はコンジット７５６を定義し、コンジット鋳造部品３１４はバックカバー２０４０Ａに対し、おおよそ平らである。スケルトン１４５０は個別に開くリングの付いたピボット装丁型である。スケルトン１４５０のスパイン１１５３は、そのバックカバー２０４０が回転する位置のピボット同様、コンジット鋳造部品７５６内で回転するよう配置されている。図１Ｇのリング４６を開ける作動部品を有するスケルトン５０は、別型のピボット装丁である。加えて、スロット９５８の数を調整することにより、図１Ｇのスケルトン５０及びここに表示されている他のスケルトンをスケルトン１４５０に代用することができる。図４８Ｄはスケルトン１４５０と接続できるオプション使用の漏斗形スライド・ジッパー・タブ１２１の透視図である。漏斗形スライド・ジッパー・タブ１２１は、リング１２４６を閉じる為にリング弓形部１２４６Ａと１２４６Ｂを同時に押すことができ、ジッパー・タブ１２１はスライドするファスナーとして作動しながら離脱したリング弓形部１２４６Ａ−１２４６Ｂ上に引っぱられる。ジッパー・タブにはジッパーが逆方向に動く際、リング１２４６を押し開ける開輪ウェッジ（楔形部品）１２１Ａがある。オプションとしてのジッパー・タブ１２１がスケルトン１４５０と接続している場合、スケルトン１４５０上のジッパー・タブ１２１がスケルトン１４５０の端から滑り落ちるのを止める、ここで提示されてはいないジッパー・タブ・ストップまたはタブ停止部品がスパイン１１５３の反対の先端に付け加えられなければならない。ジッパー・タブ１２１、付加部品のジッパー・タブ・ストップ及びスナップ・インターロック２０８を持つ間隔の狭い多数のリング１２４６は、ファスナーの動きを媒体としてリング１２４６を迅速に連続的に開ける為の連続スイッチ要因、あるいは連動装置としての役割を果たしている。オプションのフロントカバー１２４４は図６Ａのフロントカバー４４４に類似しているが、図６Ａが示す通りスケルトン１４５０のリング１２４６の数に一致したより多くのルーズリーフ穴７４Ａを有する。オプションのフロントカバー１２４４は、図４８Ｂが示すように、ルーズリーフがリング１２４６に嵌められる要領で、下がっているフロントカバー１２４４が開リングよってバインダー２８Ｘに接続している。組み立てに際し、バインダー２８Ｘは図６Ａ−６Ｂのバインダー６と使用上作動方法が似ているがリング１２４６は個別に開閉する。
【０１４９】
図４９Ａ−４９Ｅ
図４９Ａ−４９Ｅは、今回発明されたバインダー２９Ｘの提出用に具体化された透視図及び底面図である。このバインダー２９Ｘの特徴は、低価格と、バインダーを閉じた際の薄さであり、レポート用に適している。
カバー２９００と、スケルトン１５５０から構成されている。カバー２９００は、バックカバー２１４０、ミドルカバー２２４２、フロントカバー１３４４から構成され、コストを下げるため板紙またはプラスチックシートにより作られる。スケルトン１５５０は安価のＰＶＣプラスチックの一片である。スケルトン１５５０は図４８Ｃ、スケルトン１４５０同様、実用的にすぐれ、リング１３４６は卵型または楕円形である。
図４９Ｂ、リング１３４６のサイズは、バインダー２９Ｘを閉じた時の厚さに影響する。また、リング１３４６のサイズ及び形は、バインダー２９Ｘの使用にあたり、ルーズリーフ７２のホールエッジマージン１１７次第である。ルーズリーフ７２のホールエッジマージン１１７は、穴の開いた部分と、ルーズリーフ７２の縁との最短に位置する。例えば、アメリカ製のバインダーは、３つ穴のレターサイズルーズリーフ７２用に作られ、規格標準ホールエッジマージン１１７は１／４インチである。ヨーロッパ製バインダーは、２つ穴又は４つ穴のＡ４サイズルーズリーフ用に規格されており、規格標準ホールエッジマージン１１７は８ｍｍである。図４９Ｄ、主要リング１３４６の直径は、他の主要楕円形リング１３４６の軸同様、ターゲットルーズリーフ７２のホールエッジマージン１１７の２倍である。しかし、小さい方のリング１３４６の直径は、ホールエッジマージン１１７の１／２であるが、ターゲットルーズリーフ７２のホールエッジマージン１１７よりは大きい。重要なポイントは、これらのサイズが、図４９Ｄで見られるよう、バインダー２９Ｘが１８０度オープンの際のページめくりをいかにスムーズに出来るかに関係し、又、図４９Ｂ、カバー２９００を閉じた際の厚みにも影響する。バインダー２９Ｘを閉じた際の厚さは、内側の小さなリング１３４６の直径に影響され、ページめくりのスムーズさに関係する。
【０１５０】
図４９Ｄ  これらの数学的不平等値により、リング１３４６の直径が決まり、ホールエッジマージン１１７のルーズリーフ７２において、いかにページめくりのスムーズさを高めるかが関連する。不平等値と経験にもとづき、最も薄いカバーに組み込まれるリングの直径比率は、１．７５〜２．２５であることが好ましい。図４９Ｅは、スケルトン１５５の鋳造図である。バインダー２９Ｘを組み立てる際、ミドルカバー２２４２と、バックカバー２１４０は、柔軟性にすぐれ、おりたたみのできる素材のコンジット鋳造部品４１４を共有する。バックカバー２１４０は、バックカバー部分２１４０Ａとコンジット鋳造部品４１４を共有する。コンジット鋳造部品４１４は、付着耐性ストリップ２１６Ａが貼付され、コンジット鋳造部品４１４に貼り付けることにより、カバー２９００の全体構成が組み立てられる。オプションとして、バインダー２９Ｘが消費者によるユーザー組み立ての場合、コンジット８５６の片面に付着するストリップ２１６Ａは、図４８Ｄ  付着耐性はぎ取りリボン１１６Ｂのようなもので対応され、付着式クロージャー（ファスナー）、ストリップ１１６Ａにより、消費者がスパイン１１５３に組み込まれたコンジット鋳造部品４１４を閉じることができる。バックカバー２１４０Ｐは、オプションのポケット２１４０Ｐを有する。コンジット鋳造部品４１４はポケット・スキャニングギャップ１１８を有し、それによりバックポケット２１４０Ｐに対して大きく開かれる。組み立てに際し、カバー２９００の特徴は、スケルトン１５５０と構成するスパイン１１５３のコンジット８５６が回転することである。コンジット鋳造部品４１４は、スロット１０５８Ａ―１０５８Ｃにより、リング１３４６を有する。カバーは折り目２２４２Ａとボーダーコンジット８５６に位置する。図４９Ｃで見られる様に、カバー２９００が３６０度オープンの場合、２２４２Ａは９０度、２１４０Ｂは１８０度まで折ることができる。スパイン１１５３の回転の限界において、フォルド２２４２Ａと２１４０Ｂは図４９Ｂ―４９Ｃ  バックカバー部分２１４０Ａの平面部に見られる様に、コンジット８５６において、リング１３４６がフォルド２１４０Ｂの部分まで回転する。
【０１５１】
図５０Ａ−５０Ｂ
図５０Ａ−５０Ｂは、今回発明されたバインダー３０Ｘの提出用に具体化された底面図である。バインダー３０Ｘは、カバー３０００とスケルトン１５５０から構成される。図４９Ａ−４９Ｅのバインダー２９Ｘと同様、スケルトン１５５０が組み込まれることが望ましい。理由は、バインダー３０Ｘもまた、レポート用のバインダーとして、カバーを閉じた際の薄さを特徴とし、デザインされたからである。図１Ａ−１Ｌのバインダー１、カバー１００と多少異なるカバー３０００は、カバー１００のようにバインダー構成の基本を示しており、ふさわしい材質として、１枚の板紙、又は同類の素材によりコストを下げる。カバー３０００は、フロントカバー１３４４、ミドルカバー２３４２、バックカバー２２４０から構成される。ミドルカバー２３４２は、バックカバー２２４０に接合し、折り目２２４０Ｂに位置する。バックカバー２２４０は、バックカバー部２２４０Ａと、コンジット鋳造部品５１４を有する。バックカバー部２２４０Ａは折り目２２４０Ｃを通して２枚重ねに結合されたシートで構成される。コンジット鋳造部品５１４は、バックカバー一部２２４０Ａの内面を重ねた延長で作られる。コンジット鋳造部品５１４の平面部は、付着式クロージャー（ファスナー）、ストリップ３１６Ａと、オプションの付着製はぎ取りリボン３１６Ｂを有する。コンジット鋳造部品５１４と付着性クロージャー（ファスナー）・ストリップ３１６Ａは、別のインスタント  ユーザー・シール  ラップ・フラップクロージャー（ファスナー）を構成する。コンジット鋳造部品５１４は、三角形のスパイラルを有し、図５０Ｂ、バックカバー２２４０において、ルーズリーフ７２の使用にあたり、スムーズな書きごごちがある。組み立てに際し、コンジット鋳造部分５１４のラッピング部分は、スケルトン１５５０のスパイン１１５３が回転しながら配列され、コンジット９５６を特徴づける。さらに、図１Ｇのスケルトン５０他のへレインがスケルトン１５５０を代用可能である。
【０１５２】
図５１Ａ−５１Ｂ
図５１Ａ−５１Ｂは、今回発明されたバインダー３１Ｘの提出用に具体化された底面図である。バインダー３１Ｘは、カバー３１００とスケルトン１５５０から構成される。図４９Ａ―４９Ｅのバインダー２９Ｘ同様、このバインダー３１Ｘは、スケルトン１５５０により、閉じた際の薄さから、レポート用バインダーとして好まれることだろう。
図１Ａ−１Ｌのバインダー１、カバー１００とは多少異なり、カバー１００と同様、バインダーの基本形をなしており、薄いシート素材から作られる。カバー３１００は、フロントカバー１４４４、ミドルカバー２４４２、バックカバー２３４０から構成される。フロントカバー１４４４は、トランスポート部がステープル１６８を通して不透明部分１４４４Ｂに貼付。ミドルカバー２４４２は、フォルド２３４０Ｂにおいて、バックカバー部２３４０に結合。バックカバー２３４０は、バックカバー部２３４０Ａとコンジット鋳造部品６１４を有する。コンジット鋳造部品６１４は、バックカバー部２３４０Ａに合わせて形づくられ、バックカバー２３４０の内部表面図を形成。コンジット鋳造部品６１４は、付着性クロージャー（ファスナー）・ストリップ４１６Ａと、オプションの付着耐性はぎ取りリボン４１６Ｂを有する。コンジット鋳造部品６１４と付着性クロージャー（ファスナー）・ストリップ４１６Ａは、別のインスタント  ユーザー・シール  ラップ・フラップクロージャー（ファスナー）を構成する。組み立てに際し、コンジット鋳造部品６１４は、スケルトン１５５０のスパイン１１５３の回転配列により、コンジット６１４が定義づけられる。さらに、図１Ｇのスケルトン５０、他のへレインがスケルトン１５５０を代用可能である。
【０１５３】
図５２Ａ−５２Ｂ
図５２Ａ−５２Ｂは、今回発明されたバインダー３２Ｘの提出用に具体化された透視図及び、取り付け可能ポケットホルダーのサンプルである。バインダー３２Ｘは、カバー３２００とスケルトン１５５０から構成される。カバー３２００は、図６Ａ−６Ｂのカバー６００と多少異なる。カバー３２００は、バックカバー２４４０、取り付けホルダーフラップ１７８Ａ、ポケット・スパニング  ギャップ２１８から構成される。バックカバー２４４０は、スケルトン１５５０、スパイン１１５３の回転配列により、コンジット１１５６が定義づけられる。バックカバー２４４０は、スロット１１５８Ａ−１１５８Ｃにより、リング１３４６を配置する。取り付けホルダーフラップ１７８Ａは、付着性ストリップ（ファスナー）５１６Ａと、それに対応する付着耐性はぎ取りリボン５１６Ｂを有し、バインダー３２Ｘをホルダーに取り付けスムーズにする。特に、図５２Ｂにあるはめこみホルダー３２００Ｆがその例である。ホルダー３２００Ｆは、ポケット３２００Ｐとフラップ１７８Ａにより取り付け可能な部分１７８Ｂを有する。カバー３２００もまた、世界共通のバインダーに取り付け可能なコンジット鋳造部品７１４であり、スケルトン１５５０により、カバー部分をユーザー選択にすることが可能。図８のフック９０、ループ９１、又は図４６Ａ−４６Ｂ、リベット６９や、ホール１１３Ａのような特色対応の必要のないホルダーやシートなど、バインダーのわずかなアタッチメントが可能。便利さから、フラップ１７８と付着性クロージャー（ファスナー）・ストリップ５１６Ａは、インスタント  ユーザー貼付を構成する。さらに、図１Ｇのスケルトン５０、他のヘレインが、スケルトン１５５０を代用可能である。
【０１５４】
図：  ５３Ａ−５３Ｅ
図５３Ａ−５３Ｅは今回発明された重要でオプショナルな構成部品付きのバインダー３３Ｘの提出用に具体化された展望と底面図である。バインダー３３Ｘはカバー３３００とスケルトン１６５０から構成されている。スケルトン１６５０は縦長可逆、圧縮可能な  リング１４４６を有し、リング１４４６は単独ロッドスパイン１２５３に装着される。
各リング１４４６は単一のプラスティック部から構成される。リング１４４６は楕円形で、使用中にリング１４４６とバインダー３３Ｘに掛かる典型的な縦圧力に対して概して可逆変形性である。このような圧力は、例えば、バインダー３３Ｘが一杯の箱や本棚に詰め込まれた時などに生じる可能性がある。ただし、リング１４４６の厳密な構造および材質によって、リング１４４６のすべてではないにせよ、大部分の可逆変形は、単にカバー３３００を閉じることで、カバー３３００がクルミ割り器のようにリング１４４６を圧縮するため、生じる可能性がある。図５３Ｃ−５３Ｄの例のように、リング１４４６の縦可逆変形は、図４９Ａ−４９Ｅのリング１３４６付き特薄カバー２９００よりさらに薄い、閉式極薄カバー３３００のデザインを容易にする。図４９Ｂおよび５０Ｂのスケルトン１５５０  の硬性リング１３４６と図５３Ｃ−５３Ｄのスケルトン１６５０  の可逆圧縮可能リング１４４６を比較すると、圧縮可能リング１４４６は、ルーズリーフ７２が同時に各バックカバーの上下に位置している際特に、特定の閉じたカバーの厚さにおいて、付加的隙間付き圧縮可能リング１４４６を通して、ページの回転を改良することが明らかになる。リング１４４６の最大可逆変形値、または最大可逆圧縮性は、リングの最小直径の方向において１５％−５０％の範囲が望ましい。図４９Ｄの縦長リング１３４６のように、縦長リング１４４６の最大内直径は、ルーズリーフ７２の穴端（ホール・エッジ）マージン１１７の二倍の値より大きい。ただし、図５３Ｃが示すように、相当な可逆変形において、リング１４４６の最小内直径は、穴端（ホール・エッジ）マージン１１７の二倍の値より小さく、図５３Ｄのようにリング１４４６が自在に拡張された時の最小内直径は穴端マージン１１７の一倍の値より大きい。閉じられたバインダー３３Ｘの最小厚さは、閉じられたカバー３３００とリング１４４６が圧縮された時生じるが、バインダー３３Ｘのページはカバー３３００が開かれて、リング１４４６が自在に拡張された時に回転するので、これらの数学不等式には、二通りの最小内直径が使用される。可逆圧縮における最小内直径は穴端マージン１１７の二倍の値より小さくなければならない。この条件は、薄いカバーの構造に必要であり、リング１４４６を従来型円形リングから区別するからである。ただし、自在拡張されたリングの最少内直径は穴端マージン１１７の一倍の値より大きくなければならない。この条件は、ページの十分な回転に必要だからである。さらに、可逆変形リング１４４６は図５３Ｄに示されるページの回転を容易にし、また、図５３Ｃに示されるように、極薄カバー３３００の構造を容易にする。図５３Ａ−５３Ｂが示すように、リング１４４６は垂直の時、柱式の、おおよそ縦の、やり型の太いリング部分１４４６Ｐ−１４４６Ｑを有する。このリング部分は、先細であり、おおよそ平行な、ゆみ型のリング部分１４４６Ｒ−１４４６Ｓへと変わり、可逆変形を容易にする。比較的太い柱型の縦リング部分１４４６Ｐ−１４４６Ｑ  は典型的な縦圧縮力において、永久的なゆがみに抵抗し、比較的平行な細いゆみ型のリング部分１４４６Ｒ−１４４６Ｓは、同じ縦圧縮力において容易に平たくなり、図５３Ｃ−５３Ｄのように、圧縮力の除去の直後に後ろに跳ねて、必要な可逆変形の大部分を発生させる。リング１４４６はタブ２４７と関連スロット２４８を有し、これらは互いにスナップ式に合わさり、リング１４４６を確実に閉じるためのインターロック３０８を構成する。リング１４４６はネック１４４６Ｎに隣接するタブ２４７を有する。ネック１４４６Ｎは伸ばすことが可能で、これによってインターロック３０８を図５９Ａ−５９Ｂのような望遠鏡型連結インターロック４０８にすることが出来き、これはリング１４４６が耐られる可逆変形の範囲、また限界を広げることが出来る。インターロック３０８は、縦圧縮力がリングの閉鎖を強化する傾向のある縦リング部分１４４６Ｑの上に適切に位置する。この位置はまた、可逆変形を容易にするために、他の場合に比べて横部分１４４６Ｒをより細くし、その弾力性を増す。リング１４４６は、ロッドスパイン１２５３の上にリング１４４６を装着するための通し穴１５７を有する。スパイン１２５３はリング１４４６の旋回を容易にするための平方形の台のようなものである。代案として、スパイン１２５３がリベット穴を有するより広い平方形の台に置き換えられると、リング１４４６は、旋回を邪魔するが極薄バインダーカバーのデザインを容易にするような定着した  従来的方法でリング１４４６をカバーに取り付けることが出来る。好ましい工法としては、リング１４４６は、Ｃに類似した断面を有する、プラスティックのシャフトのように伸ばされる。プラスティックのシャフトは、Ｃに類似した開いたリングに変わり、リングの自由な二つの端は反対のタブ２４７とスロット２４８にパンチ・カットされる。図１Ａ−１Ｌのバインダー１のカバー１００に類似するカバー３３００は、カバー１００に関係するバインダー組み立ての単純化された方法を提案し、コストを下げるためには薄いメタルシートで作られるのが良い。カバー３３００はフロントカバー１３４４、ミドルカバー２５４２及びバックカバー２５４０を構成する。図５３Ｄに示されるように、ミドルカバー２５４２は、フロントカバー１３４４とミドルカバー２５４２がバックカバー２５４０に対して３６０度開で折り畳まるように端折り目（エッジ・フォルド）２５４０Ｂに隣接する。バックカバー２５４０はバックカバー部分２５４０Ａと取り付けられたコンジット鋳造部品８１４を有する。コンジット鋳造部品８１４は、Ｐに類似した断面を有し、ほぼ柔軟なメタルで作られるのが良い。コンジット鋳造部品８１４は、スパイン１２５３とスケルトン１６５０が回転可能に配置されたコンジット１２５６を規定する管型部分８１４Ｂを有する。コンジット鋳造部品８１４は、リング１４４６を受けるスロット１２５８Ａ−１２５８Ｃを有する。さらに、閉カバー厚の増加以外のカバー３３００のわずかな訂正で図１Ｇのスケルトン５０とその中で露出する他のスケルトンはスケルトン１６５０に置き換えられることが出来る。とりわけ  コンジット鋳造部品８１４は、端８１４Ａに近いバックカバー部分２５４０Ａに取り付けられ、これは、図５３Ｃが示すようにカバー３３００が閉じている際、逆位置の自由な管型部分８１４Ｂがミドルカバー２５４２により持ち��げられることを可能にし、さらに、図５３Ｄに示されるように、カバー３３００が平らな位置に３６０度開に畳まれた際、管型部分８１４Ｂが端折り目（エッジ・フォルド）２５４０Ｂの周りにぶら下がるか、下垂することを可能にする。管型部分８１４Ｂは、図５３Ｄにあるカバー３３００の平らな状態のバックカバー２５４０とミドルカバー２５４２に対して十分平坦になる。コンジット鋳造部品８１４は、オプショナルな接着取り付けストリップ６１６Ａでバックカバー部分２５４０Ａに取り付けられる。コンジット鋳造部品８１４は、プラスティックを使用する場合はプラスティック溶接で、また他の材料を使用する場合は融合でバックカバー部分２５４０Ａに接着されるのが良い。接着取り付けストリップ６１６Ａのようなユーザー取り付けインスタント部品を、図５２Ａのような適した耐接着  はぎ取り式リボンと共に使用することによって、コンジット鋳造部品８１４は、図５２Ｂのユーザーによるフォルダー３２００Ｆへの追加部品用として単独販売出来る製品となる。ユーザー取り付けインスタント部品は組み立て別アフター・セールス部品と呼ぶのが相応しい。個別な組み立ては消費者に選択の余地を与え、消費者はコンジット鋳造部品８１４とリング１４４６が取り付けられる最終カバー部分を選ぶことが出来る。コンジット鋳造部品８１４は、図５２Ｂのポケット強化  フォルダー３２００Ｆと共に使用されるオプショナル・ポケット・スナップ式ギャップ３１８を有する。バインダー３３Ｘは図１Ａ−１Ｌのバインダー１のように作動する。ただし、これのリング１４４６は単独に開け閉めされ、極薄閉じカバー３３００は、パッキング、格納、持ち運びでより少ないスペースを必要とする。
図５３Ｅはバックカバー部分２５４０Ａに取り付き、カバー３３００と、その中で露出される他のカバーと共に使用される、コンジット鋳造部品９１４のもう一つの具体化である。コンジット鋳造部品９１４は弾力性のある半硬質メタルから構成される。コンジット鋳造部品９１４はコンジット１３５６を形成し、スパイン１２５３やその中で露出される他のスパインを受ける縦長穴または、細穴２０４を有する。コンジット１３５６は、細穴２０４がスパイン１２５３の強制的の購入の間一時的に伸ばされるスナップ式購入行動を通してスパイン１２５３を受ける。コンジット鋳造部品９１４と弾力的に引き伸ばし可能な細穴２０４は、弾力性のあるスナップ式留め閉めを形成し、これはもう一つのインスタント旋回留めになる。購入後、半硬質コンジット鋳造部品９１４は、普通使用の間スパイン１２５３を保持し、サポートするために十分固定している。コンジット鋳造部品部分９１４Ｂの厚さは、弾力性を増すため、またこれによって、コンジット鋳造部品９１４とバックカバー２５４０の大部分の間の要のように作動するために減少される。これによって、スパインの購入が可能になり、図５３Ｃ−５３Ｄがしめすように、コンジット鋳造部品８１４と類似した作動が出来るようになる。
図５４Ａ−５４Ｋ
図５４Ａ−５４Ｋは既存の創案にはもう一つの優先的に商品化されたバインダーの透視図とボトムビューを示している。このバインダー３４Ｘは、基本とオプションから構成され、カバー３４００と骨組み１７５０が含まれている。このバインダー３４Ｘは図５３Ａ〜５３Ｄに示された３３Ｘと互換性を持ち、リバーシブルと圧縮性のあるリング１５４６付きの骨組み１７５０を用いて、バインダー３４Ｘが密閉カバーの超薄さによりレポートバインダーとして喜ばれている。カバー３４００は、図５３Ａ−５３Ｄに示された超薄いカバー３３００とは少し異なっている。カバー３４００には、カバー３３００と同じようにバックカバー２５４０があるが、しかしそのミドルカバー２６４２とフロントカバー１５４４が異なっている。ミドルカバー２６４２とフロントカバー１５４４とは第一カバー折り目１５４４Ａによって繋がれ、図５４Ａが示したように、カバー３４００が閉じる時、骨組み１７５０に付いているリング１５４６が曲がり、きれいな流線型の輪郭を呈している。そして、カバー３３００のように、ミドルカバー２６４２はバックカバー２５４０とは縁の折り目２５４０Ｂに繋がれている。特に、コンジット・ケース８１４の管状部８１４Ｂは、図５４Ａに示されたように、カバー３４００が閉じる場合、ミドルカバー２６４２によって上がる。また、図５４Ｄが示したようにカバー３４００が折り、一つの平面で開けた３６０度を示した時、縁の折り目２５４０Ｂに沿って下がり又は伏せるようになり、管状部８１４Ｂはカバー３４００の水平面でバックカバー２５４０とミドルカバー２６４２にしっかりとくっつく。骨組み１７５０のスパイン１３５３は、カバー３４００を旋回させる旋回軸としてバックカバー２５４０のコンジット・ケース８１４の中を回転できるように設置されている。
【０１５５】
図５４Ｂはカバー３４００に利用されているオプション・リングクラッシュストッパー１１９の透視図を示している。図５４Ｃ−５４Ｄはカバー３４０１のボトムビューを示している。カバー３４０１にはカバー３４００とリングクラッシュストッパー１１９が含まれている。リングクラッシュストッパー１１９には四部分があり、それは三つの並行するちょうづかいのような折り目より構成されている。中の二部分は止め金具フラップ１１９Ａ−１１９Ｂであり、残りの二部分はリング・クラッシュの抵抗部の１１９Ｃ−１１９Ｄである。止め金具フラップ１１９Ａと１１９Ｂはフロントカバー１５４４及びミドルカバー２６４２に付いている。それぞれプラスチックで溶接又は粘着され、四角形チューブ１１９Ｔが形成される。四角形チューブ１１９Ｔにはおよその四角形の十字部があるが、カバー３４０１が十分なる垂直な圧縮力を受けて閉じる場合、チューブ１１９Ｔの両面がまっすぐと伸び張るから、図５４Ｃに示されたように、チューブ１１９Ｔは三角形トラスの形でカバー３４０１をサポートし、リング１５４６の極端的な変形を防ぐ。このまっすぐと伸び張る両側にはリング・クラッシュの抵抗部１１９Ｃと四角形チューブ１１９Ｔと交わるフロントカバー１５４４の一部が含まれている。チューブ１１９Ｔが図５４Ｃのようにおよその三角形となれば、それがカバー３４０１とリング１５４６にかかった圧縮負荷を割ることとなる。カバー３４０１が十分な垂直圧力で閉じる時、チューブ１１９Ｔの両サイドがまっすぐに引っ張られ、図５４Ｃが示したように三角形の支えになり、カバー３４０１を支える。したがって、リング１５４６に過度な変形を抵抗することになっている。まっすぐに引っ張られた両サイドはリングクラッシュ止め部分の１１９Ｃであり、四角いチューブ１１９Ｔと合わせる部分でもある。この部分はカバー１５４４の一部である。チューブ１１９Ｔは図５４Ｃが示したように、およその三角形になった時、リング１５４６を通じて、カバー３４０１に施された圧力を分担することができる。チューブ１１９Ｔはリング１５４６の永久的変形を防止するために設計されたのである。リング１５４６の短軸方向に、カバー３４０１に施された過度な圧力がリングの永久的変形を導く。永久的変形によってリング１５４６の折りが発生する恐れがあり、リング１５４６によって自由にページをめくることができなくなる。尚、リング・クラッシュの抵抗部１１９Ｄは厚くて硬いであるが、それに対して、リング・クラッシュの抵抗部１１９Ｃは薄くてもっと曲がりやすい。それは、リング１５４６の短軸方向に十分なる圧縮力がかかって、カバー３４０１が閉じる場合、リングクラッシュの抵抗部１１９Ｄは、圧縮を受ける部分であり、それに対し、リングクラッシュの抵抗部１１９Ｄは伸張部に位置しているからである。カバー３４００が１８０度又は３６０度に開けた場合、図５４Ｄが示したように四角形のチューブ１１９Ｔが平らに折り、バラバラのページ７２が均等且つ平らにフロントカバー１５４４とミドルカバー２６４２の間に並ぶようになる。カバー３４０１が閉じ、チューブ１１９Ｔが立つ時、リング１５４６に合わせるように、リングクラッシュストッパー１１９にスロット１３５８Ｔ−１３５８Ｖが付いている。カバー３４０１が閉じる時、リング１５４６をスロット１３５８Ｔ−１３５８Ｖに誘導するよう、スロット１３５８Ｔ−１３５８Ｖは漏斗状にした方が望ましい。リング１５４６が短軸方向にある圧縮力を受ける場合、スパイン１３５３の長い軸線に傾斜しないように、スロット１３５８Ｔ−１３５８Ｖがリング１５４６にぴったりと合わせた方が良い。
【０１５６】
図５４Ｅはカバー３４００に利用されている管状のオプション・リングクラッシュストッパー２１９のボトムビューを示している。図５４Ｆはカバー３４０２のボトムビューを示している。カバー３４０２にはカバー３４００と管状のリングクラッシュストッパー２１９が含まれている。管状のリングクラッシュストッパー２１９には折り目２１９Ｂを横切る止め金具ストリップ２１９Ａが付いている。リングクラッシュストッパー２１９がカバー３４００に付着しているから、折り目２１９Ｂはカバーの折り目１５４４Ａと交わる。図５４Ｃ−５４Ｄに示された四角形チューブ１１９Ｔに似て、管状のリングクラッシュストッパー２１９にはおよその四角形の十字部がある。しかし、その両側はまっすぐと伸び張っている。カバー３４０２が十分なる圧縮力を受けて閉じる場合、リングクラッシュストッパー２１９は図５４Ｆが示したように三角形トラスの形でカバー３４０２をサポートし、図５４Ｃにおけるチューブ１１９Ｔがカバー３４０１を支えることと同じような機能を果たす。管状のリングクラッシュストッパー２１９には四サイドが含まれ、それは四つのちょうづかいのような折り目に構成され、一枚のみの材料で作り上げられている。使用時の耐圧度を上げるよう、リング・クラッシュの抵抗部２１９Ｄは、素材の数層を重ね合わせて、一体化にすることによって、もっと厚く、且つ堅くにしている。リングクラッシュストッパー２１９にはリングクラッシュストッパー１１９の１３５８Ｔ−１３５８Ｖと同じようなスロットが付いている。カバー３４０２が１８０度又は３６０度に開いた時、図５４Ｄが示したチューブ１１９Ｔと同じように、リングクラッシュストッパー２１９は図５４Ｅの通り平らに折る。
【０１５７】
図５４Ｇは骨組み１７５０が位置するコンジットケース１０１４のボトムビューを示している。コンジットケース１０１４の全体は屋根型或いはアーチ型のリングクラッシュストッパー３１９によって構成されている。図５４Ｈ−５４Ｉはカバー３４０３が骨組み１７５０に繋がれている模様のボトムビューを示している。カバー３４０３は図５４Ａのカバー３４００に似ているが、コンジットケース１０１４がコンジットケース８１４とは互換可能である。カバー３４０３にはフロントカバー１５４４、ミドルカバー２６４２、バックカバー部２５４０Ａ及びコンジットケース１０１４が含まれている。コンジットケース１０１４はちょうづかい１０１４Ａの付近でバックカバー部２５４０Ａに付いている。コンジットケース１０１４はコンジット１４５６を、骨組み１７５０のスパイン１３５３が旋回するところに固定する。コンジットケース１０１４には、集結時、スパイン１３５３の受け皿となる長い開放する３０４が付いている。又、伸縮性のあるアーム１０１４Ｂが付いている。これは、カバー３４０３が開いた場合、図５４Ｇが示したように、アーチ型のリングクラッシュ・ストッパー３１９によって、骨組み１７５０が上がり、アーチ型のリングクラッシュ・ストッパー３１９の上でページをきれいにめくることができる。十分なる圧縮力を受けて閉じる場合、カバー３４０３はリング１５４６を押し付け、逆に伸縮性のあるアーム１０１４Ｂが落ちて、ミドルカバー２６４２にくっつくようになる。図５４Ｈが示したように、圧縮されたリング１５４６の短軸の高度が、アーチ型のリングクラッシュストッパー３１９の高度と一致する場合、アーチ型のリングクラッシュストッパー３１９はリング１５４６が受けた圧縮負荷を割ることになり、リング１５４６の永久的変形を防止、抑制することができる。カバー３４０３が３６０度に平らに折る場合、ちょうづかい部分１０１４Ａによって、コンジットケース１０１４が縁の折り目２５４０Ｂに沿って下がり、カバー３４０３の水平面にしっかりとくっつく。カバー３４０３が閉じる場合、ミドルカバー２６４２によってコンジットケース１０１４が直立するようになる。
【０１５８】
図５４Ｊは、カバー３４０４のボトムビューを示している。カバー３４０４には、カバー３４００とリングクラッシュ・ストッパー４１９が含まれている。リングクラッシュストッパー４１９には、折り目１５４４Ａのすぐそばでカバー３４００に付いている突起部４１９Ａ−４１９Ｂが含まれている。突起部４１９Ａ−４１９Ｂを折り目１５４４Ａに隣接させているによって、折り目１５４４Ａのシャープさと狭さを克服している。骨組み１７５０が加えられた場合、完全な折り目１５４４Ａによって、リング１５４６と反対に、カバー３４０４のわずかな閉鎖を限定されている。骨組み１７５０がリング１５４６の永久的変形を制限している。
【０１５９】
図５４Ｋは、既存創案にあるもう一つの優先的に商品化されたバインダーの骨組み１７５０の透視図を示している。骨組み１７５０は、成型されたプラスチックの単一製品である。骨組み１７５０には細長い円筒形のスパイン１３５３が付き、それはバインダーの多数のリング１５４６の一つ一つに付いている。リング１５４６には、リングの弓形である１５４６Ａ−１５４６Ｂ及びそれらを横切るスパイン１３５３が含まれている。特に、スパイン１３５３の十字部の直径は、リングの弓形１５４６Ａが横切られているところの枝の厚さとはほぼ一緒である。図５３Ａ−５３Ｄのリング１４４６とは同じような耐圧及びページめくりの機能を果たすから、リング１５４６はリング１４４６と同じような形にする。両方にも、閉じる場合、弓のようなおよそ水平的な薄い部分と、立った時、およそ立った厚い部分とは付いてある。リング１５４６には、図４８Ｃのリング１２４６とは同じようにタブ１４７とスロット１４８が付き、ぴったりと組み合せると、インターロック２０８となる。他に、リング１５４６には、バターフライ状又はちょうネクタイ状の押し上げ蓋式のちょうづかい１２０が付いてある。これは、周知のようなパッケジクリーム・ゲル・液体製品に普及化されているプラスチック・チューブやボットルのプラスチック製押し上げ蓋式のキャップとは同じ機能を持っている。
カバー３４００とはほとんど変更がないので、図５３Ａ及びここに記載されているその他の図の骨組み１６５０は骨組み１７５０とは互換可能である。バインダー３４Ｘの利用は図５３Ａ−５３Ｄが示したように、バインダー３３Ｘと似ている。
図５５Ａ−５５Ｂ
図５５Ａ−５５Ｂは、今回発明されたバインダーのリング１６４６の実施の形態を表す図である。短い寸法部分（あるいは短径）が垂直に立ち上がる形に置かれ、それと直角に交わる長い寸法部分は水平になっている。プラスチックのリング１６４６は、長楕円形であり、垂直方向に押す力に対して変形可能で、またもとの形に再生する。それは、図４９Ｄのリング１３４６と、図５３Ｂのリング１４４６と同じ機能的理由によるものである。リング１６４６は、丸みのある四角形のような形をしており、図４８Ｃに示されるように、ヒンジでとめられたスパイン１１５３と交差している。閉じた形で上向きの時、リング１６４６は円柱のような形で、ほぼ底面から直角の太い部分１６４６Ｐと１６４６Ｑを有し、その部分はゆがみに対する耐性がある。また、弓のような形状でほぼ水平の細い部分１６４６Ｒは平らになるが、また簡単にバネのように元に戻る。そして、ほぼ水平になっているヒンジ部分１６４６Ｓと相まって、リング１６４６が垂直方向に押された時に起こる、形状記憶の変形を容易にしている。リング１６４６が垂直方向の力を受けた時、太いヒンジ部分１６４６Ｓと弓のような形状の１６４６Ｒとの相乗効果で、太い垂直部分１６４６Ｐと１６４６Ｑが外側に突き出る形になる。そして、細い部分１６４６Ｒが、図５５Ｂのようにピンと張ってまっすぐになるまで変形することが出来る。リング１６４６は、図４８Ｃのリング１２４６と同じように、タブ（爪）１４７とスロット（穴）１４８を有し、それらがカチッとはまりインターロック（連結）２０８を形成する。インターロック２０８は、リングの垂直部分１６４６Ｑにあるが、そこは垂直方向の力がかかるとリングの閉まりが強化されるため、最適な位置である。
【０１６０】
図５６Ａ−５６Ｂ
図５６Ａ−５６Ｂは、今回発明されたバインダーのリング１７４６の実施の形態を表す図である。短い寸法部分（あるいは短径）が垂直に立ち上がる形に置かれ、それと直角に交わる長い寸法部分は水平になっている。長楕円形のリング１７４６は、図５３Ｂのリング１４４６と非常に類似しているが、ページめくりを容易にするために、その形は、ほぼ台形状をしている。１４４６と同様に、リング１７４６は、糸穴１５７を通してスパイン１２５３につながっており、タブスロットのインターロック３０８を有し、使用時に生じる典型的な垂直方向の力に対し、形状記憶の変形が可能である。リング１７４６は、ほぼ垂直の円柱状の部分１７４６Ｐと１７４６Ｑを有し、それは、ほぼ水平の弓状の部分１７４６Ｒと１７４６Ｓよりも、比較的太くなっている。リング１７４６の太い円柱状部分は、リング１７４６が図５６Ａのように自由に引き伸ばされた時は内側に少し傾くが、図５６Ｂのように垂直方向の力で押された時、外側に広がり、より垂直になる。
【０１６１】
図５７Ａ−５７Ｂ
図５７Ａ−５７Ｂは、今回発明されたバインダーのリング１８４６の実施の形態を表す図である。短い寸法部分（あるいは短径）が垂直に立ち上がる形に置かれ、それと直角に交わる長い寸法部分は水平になっている。長楕円形のリング１８４６は、図５３Ｂの１４４６と非常に似ているが、図５７Ａのように自由に引き伸ばされた時、靴状の形状を有する。リング１４４６のように、リング１８４６は糸穴１５７を通してスパイン１２５３につながっており、タブスロットのインターロック３０８を有し、使用時に生じる典型的な垂直方向の力に対し、形状記憶の変形が可能である。図５７Ｂは、リング１８４６が垂直方向の力で押された時の形状を示している。リング１８４６は、ほぼ垂直の円柱状の部分を有し、それは、ほぼ水平の弓状の部分よりも、比較的太くなっている。リング１８４６の靴の踵状の部分は、ルーズリーフ７２を収納セットするのに適合しており、一方、リング１８４６の幅の広い靴底状の部分は、容易なページめくりを可能にするようにデザインされている。リング１８４６の太くて硬い靴の踵状部分は、又、図５４Ｋのリング１５４６に比べ、同様に圧迫された時に、ルーズリーフの動きを最小限にする働きがある。
【０１６２】
図５８Ａ−５８Ｂ
図５８Ａ−５８Ｂは、今回発明されたバインダーのリング１９４６の実施の形態を表す図である。短い寸法部分（あるいは短径）が垂直に立ち上がる形に置かれ、それと直角に交わる長い寸法部分は水平になっている。長楕円形のリング１９４６は、図５４Ｋの１５４６と非常に似ているが、図５８Ａのように自由に引き伸ばされた時、車のサスペンションのような形状（または菱形の形状）を有する。リング１９４６は、リングのパーツ１９４６Ａと１９４６Ｂ、シンプルなストリップヒンジ２２０によってつながっている。リング１５４６のように、リング１９４６はスパイン１３５３に交差しており、タブスロットのインターロック２０８を有し、使用時に生じるリング１９４６に対してかかる典型的な垂直方向の力に対し、形状記憶の変形が可能である。上向き方向で閉じた状態の時、リング１９４６は、ほぼ垂直の円柱状の部分を有し、それは、ほぼ水平の弓状の部分よりも、比較的太くなっている。ほぼ左右対称の車のサスペンション状の形状は、垂直方向の圧縮に対し、形状再生を可能にするために、最適なデザインである。
【０１６３】
図５９Ａ−５９Ｂ
図５９Ａ−５９Ｂは、今回発明されたバインダーのリング２０４６の実施の形態を表す図である。短い寸法部分（あるいは短径）が垂直に立ち上がる形に置かれ、それと直角に交わる長い寸法部分は水平になっている。長楕円形のリング２０４６は、図５４Ｋの１５４６と非常に似ているが、図５９Ａのように自由に引き伸ばされた時、ほぼ三角形の形状を有する。リング２０４６は、リングのパーツ２０４６Ａと２０４６Ｂによって構成され、シンプルなストリップヒンジ２２０によってつながっている。リング１５４６のように、リング２０４６はスパイン１３５３に交差しており、リング２０４６使用時に生じるリングに対してかかる典型的な垂直方向の力に対し、形状記憶の変形が可能である。上向き方向で閉じた状態の時、リング２０４６は、ほぼ垂直の円柱状の部分を有し、それは、ほぼ水平の弓状の部分よりも、比較的太くなっている。リング２０４６は、リング１５４６と同じタブ１４７とスロット１４８を有するが、伸縮性のあるインターロック４０８に耐えるために、長いネック（立ち上がり部分）２０４６Ｎを有する。そして、それが、リング２０４６が閉じた状態である時に、伸び縮みする性能を向上させている。伸縮性のあるインターロック４０８は、ルーズリーフ７２の収納量アップと共に、よりスムーズなページめくりを可能にしている。
【０１６４】
図６０
図６０は、今回発明されたバインダーのリング２１４６の実施の形態を表す透視図である。短い寸法部分（あるいは短径）が垂直に立ち上がる形に置かれている。長楕円形のリング２１４６は、支柱１２２に交差している。リング２１４６のセットは、それぞれのリングが回転のための軸部分として機能する個別の支柱を持つ、別のタイプの回転式バインディングである。支柱１２２はまた、一種の直交型のベースである。リング２１４６は、ほぼ長方形の形状をなし、その長辺と短辺は、機能上、図４９Ｄのリング１３４６の対応する各辺に匹敵する。リング２１４６は、柔軟性のあるスパイラルのクロージャー（留め金）５０８を有する。リング２１４６は、同一の厚さの、フラット・シートプラスチックにより、安価に製造されている。典型的な使用例として、支柱１２２は、図４９Ａのカバー２９００のコンジット（溝）８５６の中に、回転させながら配置できる。また、そうでなければ、支柱１２２は、図２３Ａ―２３Ｅのカバー２３００にスケルトン５５０を貼付するのと同様の方法で、カバーのフォールドに沿って、留めることができる。
【０１６５】
私の上記記述には特許説明が含まれており、これらは発明の範囲を制限するものと解釈されるべきではなく、むしろ、そのうちのいくつかの抜擢した例と解釈されるべきである。この他にも様々なバリエーションが可能である。例えば、可逆圧縮可能リングは広い固定取り付けスパインに取り付け出来るうえ、さらに、極薄カバーのデザインを容易にする。同じように、この中に露出する特定のリング圧縮抗体は、固定取り付けスパイン付きのバインダーの極薄カバーに使用できる。従来の固定取り付けスパインは、リング用の直角な台の一種である。弾力性のあるカール・スナップ式の留め具は、鷲の爪、または馬蹄に類似した断面を有するように改良できる。
【０１６６】
ここに記述されているルーズリーフバインダーと、その類似品と、またその使用方法の技術（技）に熟練している人に評価されるであろう。この発明が、様々な選ばれた具体例の参考文献で説明される間に、この研究の視野と精神から外れることのないこれらの選ばれた具体例の中に、沢山の改造版や変種が作られるだろうことが、この技術に熟練した人によって理解されるだろう。それゆえに、発表された選ばれた具体例に限定されない発明が意図され、以下の権利主張によって許可されている一杯の機会で溢れている．
【図面の簡単な説明】
【０１６７】
【図１Ａ】図１Ａは、バックカバーに対しフロントカバーが約１２０度の角度で開いているバインダースケルトンの回転式のスパインが示された、現在のバインダー構成の展望である。
【図１Ｂ】図１Ｂは、図１Ａのバインダーの閉じた状態での展望である。
【図１Ｃ】図１Ｃは、図１Ａのバインダーのフロントカバーと前のルーズリーフが、バックカバーに対し１８０度の角度で開かれた図である。
【図１Ｄ】図１Ｄは、図１Ａのバインダーのフロントカバーとルーズリーフが３６０度の角度で全開されバックカバーと残りのルーズリーフの下に平らに折り込まれている状態の図である。
【図１Ｅ】図１Ｅは、図１Ｄの１Ｅの線で切断した形のバインダーの断面図である。
【図１Ｆ】図１Ｆは、図１Ｅを１８０度裏返しにした状態でルーズリーフの裏側に書き込めるということを示す図である。
【図１Ｇ】図１Ｇは、図１Ａのスケルトンのリングが閉じた状態の図である。
【図１Ｈ】図１Ｈは、図１Ａのスケルトンのリングが開いた状態の図である。
【図１Ｉ】図１Ｉは、図１Ａのバインダースケルトンの部分図である。
【図１Ｊ】図１Ｊは、図１Ａのバインダースケルトンの付加部品の図である。図１Ａ、１Ｇと１Ｈ、１Ｋと１Ｌに明らかであるように、スパイン製造の段階で、インナーロッド（内側の棒）が、穴の開いたチューブ内に予め組み込まれてから半径のリングをインナーロッド（内側の棒）に取り付ける方が好ましい。
【図１Ｋ】図１Ｋは、リングを同時に開閉出来るスパイン内のシンクロナイズドスイッチ機能の構成を部分的に示したもので、リングが閉じた状態の図１Ａのバインダースケルトンである。
【図１Ｌ】図１Ｌは、リングを同時に開閉出来るスパイン内のシンクロナイズドスイッチ機能の構成を部分的に示したもので、リングが開いた状態の図１Ａのバインダースケルトンである。
【図２Ａ】図２Ａは、バインダーが閉じた状態の構図であり、フロントカバーはリングで閉じられたルーズリーフの上に乗っているが、バインダーリングの外側のはぎ目を通じてミドルカバーにも連結している。
【図２Ｂ】図２Ｂは、図２Ａを２Ｂ線で切断した、断面図である。
【図２Ｃ】図２Ｃは、図２Ａのバインダーのルーズリーフを取り除いて、フロントカバーをバックカバーに対し１８０度に開き、ミドルカバーも１８０度に広がっている状態である。
【図２Ｄ】図２Ｄは、図２Ｂの断面図で、  フロントカバーとルーズリーフのページがバックカバーに対し１８０度の角度で開かれている状態で、  ミドルカバーも１８０度に折れている。
【図２Ｅ】図２Ｅは、図２Ｂのフロントカバーとルーズリーフのページがバックカバーに対し３６０度に平らに折り込まれており、残りのページとミドルカバーも３６０度になるよう折り込まれている、断面図である。
【図３Ａ】図３Ａは、バインダーの実用例第３番の図で、フロントカバーがカバーリングコネクションループ（カバー接続輪）のリングで閉じられたルーズリーフの上に乗り、バインダーは閉じた状態である。
【図３Ｂ】図３Ｂは、３Ａの３Ｂ線で切断した断面図である。
【図３Ｃ】図３Ｃは、３Ａのバインダーで、フロントカバーとルーズリーフのページがバックカバーに対し１８０度に開き、ミドルカバーも１８０度になるよう折り込まれている図である。
【図３Ｄ】図３Ｄは、図３Ｃの３Ｄ線で切断した断面図である。
【図３Ｅ】図３Ｅは、フロントカバーとルーズリーフのページがバックカバーに対し３６０度に平らに折り込まれており、残りのページとミドルカバーも３６０度になるよう折り込まれている、図３Ｂの断面図である。
【図４Ａ】図４Ａは、バインダーの実用例第４番の図で、ミドルカバーの一部がフロントカバーの一部、またミドルカバーの他の一部はバックカバーの一部になっており、両部分ともバインダースケルトンのスパインの回りを回転出来る仕組みになっている。
【図４Ｂ】図４Ｂは、図４Ａのバインダーの図で、フロントカバーがバックカバーに対し１８０度に開き、ミドルカバーは、その間で開いた状態にある。
【図４Ｃ】図４Ｃは、図４Ａのバインダーの図で、フロントカバーがバックカバーに対し３６０度に開いており、ミドルカバーの一部がフロントカバーの一部になっており、それがミドルカバーとバックカバーの共有部分に対し、約１８０度回転している。
【図４Ｄ】図４Ｄは、図４Ｃにルーズリーフを入れたバインダーを下から見た図である。
【図５】図５Ａは、バインダーの実用例第５番の図で、フロントカバーとバックカバーがミドルカバーの一部になっており、中央部はバインダースケルトンのスパインの回りを回転出来る仕組みになっている。図５Ｂは、図５Ａにルーズリーフを入れ、フロントカバーとルーズリーフがバックカバーに対し３６０度に平らに折り込まれているバインダーを下から見た図である。
【図６】図６Ａは、バインダーの実用例第６番の図で、ミドルカバーのない、ルーズリーフの前後カバーがバインダースケルトンのスパインの回りを回転できるようになっている。図６Ｂは、図６Ａをバインダーの裏側から見た図である。
【図７】図７Ａは、バインダーの実用例第７番の図で、クアッドプラナーカバー（中区切りカバー）を使用したバインダーである。このカバーは、バックカバーかつ区切りにもなるミドルカバーで、そして前カバーにもなり、バインダースケルトンのスパインの回りを回転し、バックカバーの端をも調整できる。図７Ｂは、図７Ａのバインダーを下から見た図で、前のルーズリーフがスケルトンを含むカバーの一部と残りのルーズリーフの下に平らに折り込まれ、カバーがＺの形に折られている。
【図８】図８は、バインダーの実用例第８番の図で、７の例と類似するがチャックで閉じられ、バックカバーは、マジックテープで取り付けや取り外しが自在である。
【図９】バインダーの実用例第９番を下から見た図で、１の例と類似するが、フロントカバーとつながっている第二のミドルカバーにあたる部分は、マジックテープでバックカバーとも接着でき、それを利用しバインダーを閉じられる。
【図１０】バインダーの実用例第１０番を下から見た図で、９の例と類似するが、マジックテープのミドルカバー兼バックカバーと、固定されたミドルカバー兼バックカバーの位置が９とは逆になっている。
【図１１】バインダーの実用例第１１番を下から見た図で、包み込む形のフロントカバーが向かい合うようにふたつあり、そのマジックテープでバインダーを閉じられる。フロントカバーの一方は具体例１の様にバックカバーに固定され、もう一方は１０の例の様にバックカバーに固定されている。
【図１２】バインダーの実用例第１２番で、スケルトンのスパインを回転するバックカバーがクワッドプラナーカバー式で、その上端はバイプラナーミドルカバー（複数用途中カバー）の一部とつながっている。
【図１３】図１３Ａは、バインダーの実用例第１３番で、バインダー１のようにミドルカバーはバックカバーとつながっているが、バックカバーは、リングで閉じられたルーズリーフの上になり、スケルトンはカバーに覆われていない。図１３Ｂは、図１３Ａのフロントカバーがバックカバーに対し３６０度に開き折り込まれている図を下から見たものである。
【図１４】図１４Ａは、バインダーの実用例第１４番で、バインダー２の様にミドルカバーが前後カバーとつながっているが、フロントカバーとバックカバーの両方がリングで閉じられたルーズリーフの上になり、スケルトンはカバーに覆われていない。図１４Ｂは、図１４Ａのバインダーを下から見た図で、フロントカバーがバックカバーに対し１８０度に開かれており、ミドルカバーはそれに順じて１８０度に折れている。図１４Ｃは、図１４Ａのバインダーを下から見た図で、フロントカバーがバックカバーに対し３６０度に開かれており、ミドルカバーはそれに順じて３６０度に折れている。
【図１５】バインダーの実用例第１５番を下から見た図で、フロントカバーがバックカバーに対し１８０度に開かれており、スケルトンはミドルカバー内に組み込まれ、フロントカバーとバックカバーはリングで閉じられたルーズリーフの上になり、前後カバーはリングの外側の継ぎともなるミドルカバーで連結されている。
【図１６】バインダーの実用例第１６番でバインダー１に類似するが、スロットの替わりにオープニング（オープンな窓のよう）になっている。
【図１７】バインダーの実用例第１７番で、スケルトンがバックカバーの上端近くに埋め込まれている為、ルーズリーフはバックカバーの上部で閉じられる。
【図１８】図１８Ａは、バインダーの実用例第１８番で、バックカバーはスケルトンのスパインの回りを回転し、バックカバーとつながっているバイプラナーミドルカバーはバックカバーに対し１８０度に折れ、二等分されたスロット穴の半分がバックカバーに、残りの半分はミドルカバーにある為、リングはバックカバーやミドルカバーの邪魔にならず左回りに回転できる。図１８Ｂは、図１８Ａを下から見た図で、フロントカバーはバックカバーやライティングパッド、ルーズリーフに対して１８０度に開かれている。
【図１９】図１９Ａは、バインダーの実用例第１９番で、１８のバインダーと類似するが、折りたたみ式スロットカバーが付けたされている。図１９Ｂは、図１９Ａを下から見た図で、バックカバーに対しフロントカバーが閉じた状態になっており、ライティングパッドとルーズリーフを入れ、折りたたみ式スロットカバーは広がっている。図１９Ｃは、図１９Ａを下から見た図で、バックカバーに対しフロントカバーは３６０度開いてあり、ライティングパッドとルーズリーフを入れ、折たたみ式スロットカバーは折った状態ある。
【図２０】図２０Ａは、バインダー実用例第２０番でスケルトンがコンジットに埋め込まれており、スケルトンのリングはミドルカバーの穴を通っている。図２０Ｂは、図２０Ａのバインダーを下から見た図でバックカバーに対してフロントカバーは閉じた状態にありルーズリーフが入れてある。図２０Ｃは、図２０Ａのバインダーを下から見た図でバックカバーに対してフロントカバーは３６０度に開かれた状態にありルーズリーフが入れてある。
【図２１】図２１Ａは、バインダーの実用例第２１番を閉じた状態で下から見た図で、２０のバインダーと類似するが、スケルトンはどんな状態でも安定した移動式のミドルカバーのコンジットに埋め込まれている。図２１Ｂは、図２１Ａのバインダーを下から見た図で、バックカバーに対してフロントカバーが３６０度に開かれている。
【図２２】図２２Ａはバインダーの実用例第２２番を閉じた状態で下から見た図でバインダー２１と類似するが、スケルトンはカバーのコンジットに組み込まれておらず、ミドルカバーがリングで閉じられたルーズリーフの上にくる。図２２Ｂは、図２２Ａのバインダーを下から見た図で、バックカバーに対してフロントカバーは３６０度に開かれた状態にある。
【図２３】図２３Ａは、バインダーの実用例第２３番を閉じた状態で下から見た図で、柔軟なミドルカバーと、細い留め具で固定されたごく普通のアーク型のスケルトンがあり、ミドルカバーの柔軟さを利用して回転する。図２３Ｂは、図２３Ａのバインダーを下から見た図で、フロントカバーが３６０度開いており、ルーズリーフ全ページはバックカバーの上にある。図２３Ｃは、図２３Ａのバインダーを下から見た図でフロントカバー、ライティングパッド、前のルーズリーフがバックカバーと残りのルーズリーフの下に折り込まれている状態である。図２３Ｄは、図２３Ａのバインダーを下から見た図で、バックカバー、ライティングパッド、ルーズリーフの半分がバックカバーと残りのルーズリーフの下に折り込まれている状態である。図２３Ｅは、図２３Ａのバインダーを下から見た図でフロントカバー、ライティングパッド、ルーズリーフの一番前の１ページ以外はバックカバーと残りのルーズリーフの下に折り込まれている状態である。
【図２４】図２４Ａは、バインダーの実用例第２４番を閉じた状態で下から見た図で、２３のバインダーに類似するが、もっと薄く、ミドルカバーに更に柔軟性がありスケルトンは普通の留め具でミドルカバーに取り付けられている。図２４Ｂは、図２４Ａのバインダーを下から見た図でフロントカバー、ライティングパッド、前のルーズリーフはバックカバーと残りのルーズリーフの下に折り込まれている状態である。図２４Ｃは、図２４Ａのバインダーを下から見た図でフロントカバー、ライティングパッド、ルーズリーフ半分はバックカバーと残りのルーズリーフの下に折り込まれている状態である。
【図２５】図２５Ａは、バインダーの実用例第２５番を閉じた状態で下から見た図でバインダー２３，２４と同じスケルトンを使用しているが、バックカバーの蝶番を利用して回転するようになっている。図２５Ｂは、図２５Ａのバインダーを下から見た図でフロントカバー、ライティングパッド、前のルーズリーフはバックカバーと残りのルーズリーフの下に折り込まれている状態である。
【図２６】図２６Ａは、スケルトンの第２実用例の図で、リングが開いた状態の時、スケルトン操作ノブがバインダーのどこに位置しているかを示している。図２６Ｂは、図２６Ａのスケルトンを下から見た部分的断面図でリングが閉じている際、シンクロナイズドスイッチ機能の構造を示している。図２６Ｃは、図２６Ａのスケルトンを前から見た部分的断面図でリングが閉じている際、シンクロナイズドスイッチ機能と操作ノブの構造をしめしている。
【図２７】図２７Ａは、スケルトンの第３実用例の図で、リングが閉じた状態の時、バインダーのシンクロナイズドスイッチ機能の構造を部分的に示している。図２７Ｂは、図２７Ａのスケルトンの図で、リングが開いた状態の時、バインダーのシンクロナイズドスイッチ機能の構造を部分的に示している。
【図２８】図２８Ａは、スケルトンの第４実用例の図で、リングが閉じた状態の時、バインダーのシンクロナイズドスイッチ機能の構造を部分的に示している。図２８Ｂは、図２８Ａのスケルトンの図で、リングが開いた状態の時、バインダーのシンクロナイズドスイッチ機能の構造を部分的に示している。
【図２９】図２９Ａは、スケルトンの第４実用例の図で、リングが閉じた状態の時、バインダーである。図２９Ｂは、図２９Ａのスケルトンのリング構成を下から見た図である。図２９Ｃは、図２９Ａの２９Ｃの部分を示す部分断面図である。
【図３０】図３０Ａは、初めの実用例のバインダーのリングを下から見た図で、上部が平らになった楕円形を示している。図３０Ｂ−３０Ｆは、図１のバインダーのリングを図３０Ａのリングを変えた図を下から見たもので、フロントカバー、ライティングパッド、多少量のルーズリーフをバックカバーと残りのルーズリーフの下に折り込んだ際、スケルトンの回転とカバーの位置がどのようになるかを示している。
【図３１】図３１Ａは、第２実用例のバインダーのリングを下から見た図で、上部が平らになった楕円形を示している。図３１Ｂ−３１Ｆは図１のバインダーのリングを図３１Ａのリングに変えた図を下から見たもので、フロントカバー、ライティングパッド、多少量のルーズリーフをバックカバーと残りのルーズリーフの下に折り込んだ際、スケルトンの回転とカバーの位置がどのようになるかを示している。
【図３２】図３２Ａは、第３実用例のバインダーのリングを下から見た図で、上部が平らになった楕円形を示している。図３２Ｂ−３２Ｆは図１のバインダーのリングを図３２Ａのリングに変えた図を下から見たもので、フロントカバー、ライティングパッド、多少量のルーズリーフをバックカバーと残りのルーズリーフの下に折り込んだ際、スケルトンの回転とカバーの位置がどのようになるかを示している。
【図３３】図３３Ａは、第４実用例のバインダーのリングを下から見た図で、上部が平らになった楕円形を示している。図３３Ｂ−３３Ｆは図１のバインダーのリングを図３３Ａのリングに変えた図を下から見たもので、フロントカバー、ライティングパッド、多少量のルーズリーフをバックカバーと残りのルーズリーフの下に折り込んだ際、スケルトンの回転とカバーの位置がどのようになるかを示している。
【図３４】図３４は、リング構成部分のもう一つの具体化提案を下から見た図である。
【図３５】図３５は、リング構成部分のもう一つの具体化提案を下から見た図である。
【０１６８】
【図３６】図３６Ａ  は  六番目に提案されるバインダーと共に使われるスケルトンの具体化の展望図である。図３６Ｂ  は  図３６Ａにあるスケルトンの構成部分の展望図である。図３６Ｃ  は  図３６Ａにあるスケルトンの追加構成部分の展望図である。図３６Ｄ  は  図３６Ａにあるスケルトンの  ラップ式保護部分の展望図である。図３６Ｅ  は  図３６Ａにあるスケルトンを下から見た図である。断面部は、リングが閉じた位置にある時の、作動器（同調開閉要素とも記した）のスプレッダー構成部分の構造を表示している。図３６Ｆ  は  図３６Ａにあるスケルトンを、リングが開いた位置にある時、下から見た図である。
【図３７】図３７Ａ  は図３７Ｃにあるスケルトンのスプレッダー構成部分の解体展望図である。図３７Ｂ  は    図  ３７Ｃにあるスケルトンのスパインに付いているトルク・レバー構成部分の展望図である。図３７Ｃ  は    バインダーと共に使われるスケルトンのもう一つの具体化提案を下から見た図である。断面部は、リングが閉じた位置にある時の、作動器のスプレッダー構成部分の構造を表示している。図３７Ｄは  図  ３７Ｃにあるスケルトンを、リングが開いた位置にある時、下から見た図である。
【図３８】図３８Ａ  は  図３８Ｂにあるスケルトンのスパインに付いている  トルク・レバーの上にある構成部分の展望図である。図３８Ｂ  は  バインダーと共に使われるスケルトンのもう一つの具体化提案を下から見た図である。断面部は、リングが閉じた位置にある時の、作動器のスプレッダー構成部分の構造を表示している。図３８Ｃ  は  図３８Ｂにあるスケルトンを下から見た図である。断面部は、リングが開いた位置にある時の、作動器のスプレッダー構成部分の構造を  表示している。
【図３９】図３９Ａは  図３９Ｂ  にあるスケルトンのスプレッダー構成部分の正面図である。図３９Ｂは  リングが閉じた位置にある時の、バインダーと共に使われるスケルトンのもう一つの具体化提案を下から見た図である。図３９Ｃは    図３９Ｂにあるスケルトンを、リングが開いている時に、下から見た図である。
【図４０】図４０Ａは  バインダーと共に使われるスケルトンのもう一つの具体化提案を下から見た図である。断面部は、リングが閉じた位置にある時の、作動器の構造の一部を表示している。図  ４０Ｂは  リングが開いている時状態の図４０Ａにあるスケルトンの展望図である。
【図４１】図４１Ａは、バインダーと共に使われるスケルトンのもう一つの具体化提案の展望図である。図４１Ｂは、図４１Ａ  にあるスケルトン構成部分の展望図である。図４１Ｃは  図４１Ａ  にあるスケルトンの追加構成部分の展望図である。図４１Ｄは  図４１Ａ  にあるスケルトンのラップ式帯形構成部分の展望図である。図４１Ｅは図４１Ａ  にあるスケルトンを下から見た図である。断面部は、リングが閉じた位置にある時の、作動器のスプレッダー構成部分の構造を表示している。図４１Ｆは  図４１Ａ  にあるスケルトを下から見た図である。断面部は、リングが開いた位置にある時の、作動器のスプレッダー構成部分の構造を表示している。
【図４２】図４２は、リング断片付きのバインダーと共に使われるスパインのもう一つの具体化提案を下から見た断面図である。
【図４３】図４３Ａは、バインダーと共に使われるスケルトのもう一つの具体化提案を下から見た図である。断面部は、リングが閉じた位置にある時の、作動器のスプレッダー構成部分の構造を表示している。図４３Ｂは、図４３Ａ  にあるスケルトを下から見た図である。断面部は、リングが開いた位置にある時の、作動器の構造を表示している。
【図４４】図４４は、バインダーと共に使われるリングのもう一つの具体化提案を下から見た図である。
【図４５】図４５Ａは、バインダーと共に使われるスケルトのもう一つの具体化提案の展望図である。図４５Ｂは、図１にあるバインダーを下から見た図である。ただし、これのスケルトンは図４５Ａのスケルトンに代わり、リングは垂直の位置になっている。図４５Ｃは、図１にあるバインダーを下から見た図である。ただし、これのスケルトンは、図４５Ａのスケルトンに代わり、リングは垂直の位置から時計とは逆方向に回転させられている。
【図４６】図４６Ａは、バインダーと共に使われる導管ケーシングのもう一つの具体化提案の展望図である。図４６Ｂは、図４６Ａにある導管ケーシングを組み込んだバインダーと共に使われるカバーのもう一つの具体化提案の展望図である。
【図４７】図４７Ａは、バインダーと共に使われる導管ケーシングのもう一つの具体化提案の展望図である。図４７Ｂは、図４７Ａにある導管ケーシングを組み込んだバインダーと共に使われるカバーのもう一つの具体化提案の展望図である。
【図４８】図４８Ａは、バインダーと共に使われる導管ケーシングの付いたカバーのもう一つの具体化提案の展望図である。導管ケーシングはユーザーがラップフラップにより自分で瞬時密封する方式で、ユーザーによるスケルトン選択を容易にする。図４８Ｂは、図４８Ａにあるカバー、および図４８Ｃにあるスケルトンを採用したバインダーのもう一つの具体化提案を下から見た図である。図４８Ｃは、バインダーと共に使われる１片のプラスチックとして成形されたスケルトンのもう一つの具体化提案の展望図である。図４８Ｄは、図４８Ｃにあるスケルトンと共に使われる連続スイッチ機能のスライド式ジッパータブ構成要素の展望図である。図４８Ｅは、導管ケーシングが接着して閉じられた図４８Ａにあるカバーの展望図である。
【図４９】図４９Ａは、カバーを閉じた状態の厚みが極薄のバインダーと共に使われるカバーのもう一つの具体化提案の展望図である。図４９Ｂは、図４９Ａにあるカバー、および図４９Ｄ〜４９Ｅにあるスケルトンを採用し、カバーを閉じた状態にあるバインダーのもう一つの具体化提案を下から見た図である。図４９Ｃは、図４９Ｂにあるバインダーを下から見た図で、フロントカバーがバックカバーに対し３６０度平らに開かれている。図４９Ｄは、長楕円形のリングの付いたバインダーと共に使われるスケルトンのもう一つの具体化提案を下から見た図である。図４９Ｅは、当初１片のプラスチックとして成形された図４９Ｄにあるスケルトンの一部のもう一つの具体化提案の展望図である。
【図５０】図５０Ａは、カバーを閉じた状態の厚みが極薄で、ユーザーによるスケルトン選択を容易にする瞬時ラップフラップ密閉方式の導管ケーシング付きのバインダーと共に使われるカバーのもう一つの具体化提案を下から見た図である。図５０Ｂは、図５０Ａにあるカバーと図４９Ｅにあるスケルトンを組み込んだバインダーのもう一つの具体化提案を下から見た図で、フロントカバーがバックカバーに対し３６０度平らに開かれ、リングで綴じられたルーズリーフが入っている。
【図５１】図５１Ａは、カバーを閉じた状態の厚さが極薄で、ユーザーによる即時ラップフラップ密閉方式の導管ケーシング付きのバインダーと共に使われるカバーのもう一つの具体化提案を下から見た図である。図５１Ｂは、図５１Ａにあるカバーと図４９Ｅにあるスケルトンを組み込んだバインダーのもう一つの具体化提案を下から見た図で、フロントカバーがバックカバーに対し３６０度に開かれている。
【図５２】図５２Ａは、図４９Ｅにあるスケルトンを組み込み、フォルダーの表面にユーザーが自分で貼れる永久配置貼付用インスタントラベル付きバインダーのもう一つの具体化提案の展望図である。図５２Ｂは、図５２Ａにあるバインダーが取り付け可能な典型的なフォルダーの展望図で、望ましい取り付け位置が示してある。
【図５３】図５３Ａは、バインダーと共に使われるスケルトンのもう一つの具体化提案に連結させた導管ケーシングを構成する部分組立品の具体化提案の展望図である。図５３Ｂは、バインダーと共に使われるリングのもう一つの具体化提案の展望図で、可逆的に圧縮可能である。図５３Ｃは、バインダーのもう一つの具体化提案を下から見た図で、リングで綴じられたルーズリーフが入って垂直方向の圧力が加わった状態である。また、図５３Ｂにあるような可逆的に圧縮可能なリングにより、閉じた状態で極薄の厚みを実現している。図５３Ｄは、図５３Ｃにあるバインダーを下から見た図で、リングで綴じられたルーズリーフが入って、フロントカバーがバックカバーに対し３６０度に開かれて平らになった状態である。図５３Ｄは、バインダーと共に使われる導管ケーシングのもう一つの具体化提案を下から見た図である。
【図５４】図５４Ａは、極薄で閉じた状態が美しい流線型の輪郭をもつカバーのもう一つの具体化提案を下から見た図で、図５４Ｋにある圧縮可能なリングで一次カバーが折りたたまれたカバーと相乗的に結合している。図５４Ｂは、バインダーと共に使われるリング圧搾レジスター（抵抗器）のもう一つの具体化提案を下から見た図である。図５４Ｃは、バインダーのもう一つの具体化提案を下から見た図で、リングで綴じられたルーズリーフが入って垂直方向の圧力が加わった状態である。また、カバーを閉じた状態で極薄の厚みを実現、図５４Ｂにあるようなリング圧搾レジスタ（抵抗器）を備えている。図５４Ｄは、図５４Ｃにあるバインダーを下から見た図で、リングで綴じられたルーズリーフが入って、フロントカバーがバックカバーに対し平らに３６０度に開かれた状態である。図５４Ｅは、バインダーと共に使われるリング圧搾レジスター（抵抗器）のもう一つの具体化提案を下から見た図である。図５４Ｆは、バインダーと共に使われるカバーのもう一つの具体化提案を下から見た図で、カバーを閉じた状態で極薄の厚みを実現、図５４Ｅにあるリング圧搾レジスター（抵抗器）を備えている。図５４Ｇは、バインダーと共に使われる図５４Ｋにあるスケルトンに連結させた導管ケーシング・リング圧搾レジスター（抵抗器）の統合的な組み合わせを構成する部分組立品の具体化提案の展望図である。図５４Ｈは、バインダーのもう一つの具体化提案を下から見た図で、垂直方向の圧力が加わった状態である。カバーを閉じた状態で極薄の厚みを実現、図５４Ｇにある部分組立品を組み込んでいる。図５４Ｉは、図５４Ｈにあるバインダーを下から見た図で、フロントカバーがバックカバーに対し平らに３６０度に開かれた状態である。図５４Ｊは、バインダーと共に使われるカバーのもう一つの具体化提案を下から見た図で、カバーを閉じた状態で極薄の厚みを実現、リング圧搾レジスター（抵抗器）のもう一つの具体化提案を備えている。図５４Ｋは、バインダーと共に使われるスケルトンのもう一つの具体化提案の展望図で、当初１片のプラスチックとして成形された押し上げ式の蝶番付きの可逆的に圧縮可能なリングを備えている。
【図５５】図５５Ａは、バインダーと共に使われる可逆的に圧縮可能なリングのもう一つの具体化提案の展望図である。垂直な状態で、楕円（ほぼ長方形）に自由に伸ばすことが出来る。図５５Ｂは、図５５Ａにあるリングの展望図で、垂直方向の圧力が加わった状態である。
【図５６】図５６Ａは、バインダーと共に使われる可逆的に圧縮可能なリングのもう一つの具体化提案の展望図である。垂直な状態で、楕円（ほぼ長方形）に自由に伸ばすことが出来る。図５６Ｂは、図５６Ａにあるリングの展望図で、垂直方向の圧力が加わった状態である。
【図５７】図５７Ａは、バインダーと共に使われる可逆的に圧縮可能なリングのもう一つの具体化提案の展望図である。垂直な状態で、楕円（ほぼ蹄鉄形）に自由に伸ばすことが出来、リングで綴じられ巧みにページを繰るための設計支援が施されたルーズリーフが入っている。図５７Ｂは、図５７Ａにあるリングの展望図で、垂直方向の圧力が加わった状態である。
【図５８】図５８Ａは、バインダーと共に使われる可逆的に圧縮可能なリングのもう一つの具体化提案の展望図である。垂直な状態で、楕円（車のサスペンションのような形、あるいはほぼ菱形）に自由に伸ばすことが出来る。図５８Ｂは、図５８Ａにあるリングの展望図で、垂直方向の圧力が加わった状態である。
【図５９】図５９Ａは、バインダーと共に使われる可逆的に圧縮可能なリングのもう一つの具体化提案の展望図である。垂直な状態で、楕円（ほぼ三角形）に自由に伸ばすことが出来る。また、リングで綴じられ巧みにページを繰るための設計支援が施されたルーズリーフが入っており、さらなる圧縮性を得るための伸縮自在の連動装置を備えている。図５９Ｂは、図５９Ａにあるリングの展望図で、垂直方向の圧力が加わった状態である。
【図６０】図６０Ａは、バインダーと共に使われる楕円リングのもう一つの具体化提案の展望図で、らせん状に閉まる構造を備えている。
【図１Ａ】
2007527814.tif 000003
【図１Ｂ】
2007527814.tif 000004
【図１Ｃ】
2007527814.tif 000005
【図１Ｄ】
2007527814.tif 000006
【図１Ｅ】
2007527814.tif 000007
【図１Ｆ】
2007527814.tif 000008
【図１Ｇ】
2007527814.tif 000009
【図１Ｈ】
2007527814.tif 000010
【図１Ｉ】
2007527814.tif 000011
【図１Ｊ】
2007527814.tif 000012
【図１Ｋ】
2007527814.tif 000013
【図１Ｌ】
2007527814.tif 000014
【図２Ａ】
2007527814.tif 000015
【図２Ｂ】
2007527814.tif 000016
【図２Ｃ】
2007527814.tif 000017
【図２Ｄ】
2007527814.tif 000018
【図２Ｅ】
2007527814.tif 000019
【図３Ａ】
2007527814.tif 000020
【図３Ｂ】
2007527814.tif 000021
【図３Ｃ】
2007527814.tif 000022
【図３Ｄ】
2007527814.tif 000023
【図３Ｅ】
2007527814.tif 000024
【図４Ａ】
2007527814.tif 000025
【図４Ｂ】
2007527814.tif 000026
【図４Ｃ】
2007527814.tif 000027
【図４Ｄ】
2007527814.tif 000028
【図５】
2007527814.tif 000029
【図６】
2007527814.tif 000030
【図７】
2007527814.tif 000031
【図８】
2007527814.tif 000032
【図９】
2007527814.tif 000033
【図１０】
2007527814.tif 000034
【図１１】
2007527814.tif 000035
【図１２】
2007527814.tif 000036
【図１３】
2007527814.tif 000037
【図１４】
2007527814.tif 000038
【図１５】
2007527814.tif 000039
【図１６】
2007527814.tif 000040
【図１７】
2007527814.tif 000041
【図１８】
2007527814.tif 000042
【図１９】
2007527814.tif 000043
【図２０】
2007527814.tif 000044
【図２１】
2007527814.tif 000045
【図２２】
2007527814.tif 000046
【図２３】
2007527814.tif 000047
【図２４】
2007527814.tif 000048
【図２５】
2007527814.tif 000049
【図２６】
2007527814.tif 000050
【図２７】
2007527814.tif 000051
【図２８】
2007527814.tif 000052
【図２９】
2007527814.tif 000053
【図３０】
2007527814.tif 000054
【図３１】
2007527814.tif 000055
【図３２】
2007527814.tif 000056
【図３３】
2007527814.tif 000057
【図３４】
2007527814.tif 000058
【図３５】
2007527814.tif 000059
【図３６】
2007527814.tif 000060
【図３７】
2007527814.tif 000061
【図３８】
2007527814.tif 000062
【図３９】
2007527814.tif 000063
【図４０】
2007527814.tif 000064
【図４１】
2007527814.tif 000065
【図４２】
2007527814.tif 000066
【図４３】
2007527814.tif 000067
【図４４】
2007527814.tif 000068
【図４５】
2007527814.tif 000069
【図４６】
2007527814.tif 000070
【図４７】
2007527814.tif 000071
【図４８】
2007527814.tif 000072
【図４９】
2007527814.tif 000073
【図５０】
2007527814.tif 000074
【図５１】
2007527814.tif 000075
【図５２】
2007527814.tif 000076
【図５３】
2007527814.tif 000077
【図５４】
2007527814.tif 000078
【図５５】
2007527814.tif 000079
【図５６】
2007527814.tif 000080
【図５７】
2007527814.tif 000081
【図５８】
2007527814.tif 000082
【図５９】
2007527814.tif 000083
【図６０】
2007527814.tif 000084
【国際調査報告】
2007527814.tif 000085